(57)【要約】【課題】遊技への注目度を好適に高めることができる遊技機を提供する。【解決手段】パチンコ機の遊技盤ユニットには、遊技領域を流下する遊技球を第１案内通路の入口部分へ案内可能な溝部３２３Ｃを形成する開閉体３１６Ｃと、開閉体３１６Ｃを回動させる駆動部とを有する可変入賞ユニットが設けられている。駆動部は主制御装置に接続されている。主制御装置は、駆動部を駆動制御することにより開閉体３１６Ｃを上記案内を行う開状態及び上記案内を行わない閉状態に切替可能となっている。開閉体３１６Ｃの開状態には、第１開状態と当該第１開状態よりも上記溝部３２３Ｃにおける遊技球の通過に要する期間が長い第２開状態とが含まれている。【選択図】      図１６
2020192035.tif 000002
【特許請求の範囲】
【請求項１】
遊技領域が形成された遊技盤と、
前記遊技盤に配設され、遊技球を所定位置へ案内可能な通路部を形成する通路形成体と、
前記通路形成体を、前記案内を行う案内状態及び前記案内を行わない非案内状態に切り替える切替手段と
を備え、
前記通路形成体の前記案内状態として、第１案内状態と、当該第１案内状態とは前記通路部における遊技球の通過に要する期間が長い第２案内状態とを含んでおり、
前記切替手段は、前記第１案内状態から前記非案内状態に切り替える場合に、前記第２案内状態を経由させるように構成されていることを特徴とする遊技機。
【請求項２】
前記所定位置は、第１所定位置であり、
前記通路形成体が、前記非案内状態となった場合に前記通路部に位置している遊技球は前記第１所定位置とは異なる第２所定位置へ排出される構成となっていることを特徴とする請求項１に記載の遊技機。
【請求項３】
前記切替手段は、前記通路形成体を所定方向へ動作させることにより、前記第１案内状態から前記非案内状態への切り替えを行うものであり、
前記通路部には、遊技球の流路として、第１流路及び当該第１流路よりも遊技球の通過期間が長い第２流路とが前記所定方向と交差する方向に並べて設けられており、前記第１案内状態から前記第２案内状態となることで前記第１流路に位置する遊技球が前記第２流路に移るように構成されていることを特徴とする請求項１又は請求項２に記載の遊技機。
【請求項４】
前記通路部の全域にて前記第１流路から前記第２流路への遊技球の移動が可能となっていることを特徴とする請求項３に記載の遊技機。
【請求項５】
前記第１案内状態においては前記通路部にて前記第１流路を形成している部分が当該通路部の底部となり、前記第２案内状態においては前記通路部にて前記第２流路を形成している部分が当該通路部の底部となるように構成されていることを特徴とする請求項３又は請求項４に記載の遊技機。
【請求項６】
前記通路形成体は、前記通路部の通路方向と同じ方向に延びる回動中心軸線を中心として回動可能となるように保持されており、
前記切替手段は当該通路形成体を回動させることにより、前記第１案内状態から前記非案内状態への切り替えを行うものであり、
前記通路部における前記回動中心軸線と交差する断面が当該回動中心軸線を中心とする円弧状をなしていることを特徴とする請求項５に記載の遊技機。
【発明の詳細な説明】
【技術分野】
【０００１】
本発明は、遊技機に関するものである。
【背景技術】
【０００２】
パチンコ遊技機等の遊技機には、遊技球が流下する遊技領域が形成された遊技盤を備えているものがある。遊技者の操作に基づいて遊技球が遊技領域に向けて発射され、発射された遊技球が遊技領域に設けられた入球部に入ると、それに基づいて遊技球の払い出し等の特典が遊技者に付与される。
【０００３】
このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。
【先行技術文献】
【特許文献】
【０００４】
【特許文献１】特開２００３−０７１０５９号公報
【発明の概要】
【発明が解決しようとする課題】
【０００５】
しかしながら、遊技球の動きによって遊技への注目度を向上させる上では、その構成に未だ改善の余地がある。
【０００６】
本発明は、上記例示した事情等に鑑みてなされたものであり、遊技への注目度を好適に高めることができる遊技機を提供することを目的とするものである。
【課題を解決するための手段】
【０００７】
本発明は、
遊技領域が形成された遊技盤と、
前記遊技盤に配設され、遊技球を所定位置へ案内可能な通路部を形成する通路形成体と、
前記通路形成体を、前記案内を行う案内状態及び前記案内を行わない非案内状態に切り替える切替手段と
を備え、
前記通路形成体の前記案内状態として、第１案内状態と、当該第１案内状態とは前記通路部における遊技球の通過に要する期間が長い第２案内状態とを含んでおり、
前記切替手段は、前記第１案内状態から前記非案内状態に切り替える場合に、前記第２案内状態を経由させるように構成されていることを特徴とする。
【発明の効果】
【０００８】
本発明によれば、遊技への注目度を好適に高めることができる。
【図面の簡単な説明】
【０００９】
【図１】第１の実施の形態におけるパチンコ機を示す正面図である。
【図２】パチンコ機の主要な構成を展開して示す斜視図である。
【図３】内枠の構成を示す正面図である。
【図４】遊技盤ユニットの構成を示す正面図である。
【図５】内枠の構成を示す背面図である。
【図６】パチンコ機の構成を示す背面図である。
【図７】裏パックユニットの構成を示す正面図である。
【図８】可変入賞ユニットを示す概略図である。
【図９】（ａ）ハウジングの下流領域を示す平面図、（ｂ）役物装置の斜視図である。
【図１０】役物装置を示す部分断面図である。
【図１１】開閉装置を示す概略図である。
【図１２】（ａ）開閉体の斜視図、（ｂ）〜（ｃ）開閉体の断面図である。
【図１３】（ａ）閉状態となっている場合の開閉装置を示す概略図、（ｂ）開状態となっている場合の開閉装置を示す概略図である。
【図１４】開閉装置の開状態／閉状態の切り替えの流れを示す概略図である。
【図１５】流路の切り替わりの様子を示す概略図である。
【図１６】開閉体の変形例を示す概略図である。
【図１７】第２の実施の形態における開閉装置を示す概略図である。
【図１８】第３の実施の形態における開閉装置を示す斜視図である。
【図１９】（ａ）開閉体の正面図、（ｂ）開閉装置の断面図である。
【図２０】流路の切り替わりの様子を示す概略図である。
【図２１】第４の実施の形態における開閉装置を示す概略図である。
【図２２】流路の切り替わりの様子を示す概略図である。
【図２３】開閉装置の変形例を示す概略図である。
【図２４】流路の切り替わりの様子を示す概略図である。
【図２５】流路の切り替わりの様子を示す概略図である。
【図２６】流路の切り替わりの様子を示す概略図である。
【図２７】第５の実施の形態における開閉装置を示す概略図である。
【図２８】流路の切り替わりの様子を示す概略図である。
【図２９】開閉装置の変形例を示す概略図である。
【図３０】開閉装置の変形例を示す概略図である。
【図３１】開閉装置の変形例を示す概略図である。
【図３２】（ａ）開閉装置の水平断面図、（ｂ）開閉体と下流側通路形成部との関係を示す概略図である。
【図３３】第２通路部への遊技球の案内の様子を示す概略図である。
【図３４】第６の実施の形態における開閉装置を示す概略図である。
【図３５】第２通路部への遊技球の案内の様子を示す概略図である。
【図３６】開閉装置の変形例を示す概略図である。
【図３７】第２通路部への遊技球の案内の様子を示す概略図である。
【図３８】開閉装置の変形例を示す概略図である。
【図３９】（ａ）第７の実施の形態における開閉装置を示す概略図、（ｂ）開閉体を示す斜視図である。
【図４０】流路の切り替わりの様子を示す概略図である。
【発明を実施するための形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１１】
図１に示すように、パチンコ機１０は、当該パチンコ機１０の外殻を形成する外枠１１と、この外枠１１に取り付けられた遊技機主部１２とを有している。
【００１２】
外枠１１は板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１３】
この外枠１１によって遊技機主部１２が開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１４】
図２に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。
【００１５】
前扉枠１４は、パチンコ機１０の正面視で左側を回動基端側、右側を回動先端側として前方へ回動可能となるようにして内枠１３に取り付けられており、裏パックユニット１５は、パチンコ機１０の正面視で左側を回動基端側、右側を回動先端側として後方へ回動可能となるようにして内枠１３に取り付けられている。
【００１６】
前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前扉枠１４の背面側から覆われている。
【００１７】
枠体２０には窓部２１を囲むようにしてガラスユニット設置部が形成されている。ガラスユニット設置部は、枠体２０の背面側に設けられているとともにパチンコ機１０の前方に向けて凹んでおり、その底部に上記窓部２１が形成されている。ガラスユニット３０は、ガラスユニット設置部に嵌まることで上下方向及び左右方向への変位が規制されている。
【００１８】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部を有しており、同枠部によって囲まれた領域にガラスパネル３１，３２が収容され、それらガラスパネル３１，３２によって遊技領域ＰＥがパチンコ機１０の正面側から２重に覆われる構成となっている。
【００１９】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。また、環状電飾部２４の中央であってパチンコ機１０の最上部には所定のエラー時に点灯するエラー表示ランプ部２５が設けられ、窓部２１の左右両側には賞球払出中に点灯する賞球ランプ部２６が設けられている。また、中央のエラー表示ランプ部２５に近接した位置には、遊技状態に応じた効果音などが出力されるスピーカ部２７が設けられている。
【００２０】
前扉枠１４における窓部２１の下方には、手前側へ膨出した上側膨出部２８と下側膨出部２９とが上下に並設されている。上側膨出部２８内側には上方に開口した上皿２８ａが設けられており、下側膨出部２９内側には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２１】
下側膨出部２９並びとなる位置には、手前側へ突出するようにして遊技球発射ハンドル４１が設けられている。遊技球発射ハンドル４１が操作されることにより、後述する遊技球発射機構から遊技球が発射される。
【００２２】
前扉枠１４の背面には、図２に示すように、通路形成ユニット５０が取り付けられている。通路形成ユニット５０は、合成樹脂により成形されており、上皿２８ａに通じる前扉側上皿通路と、下皿２９ａに通じる前扉側下皿通路とが形成されてなる。通路形成ユニット５０において、その上側隅部には後方に突出し上方に開放された受口部５３が形成されており、当該受口部５３を仕切壁５４によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿２８ａに導かれ、前扉側下皿通路に入った遊技球は下皿２９ａに導かれる。
【００２３】
次に、図２及び図３に基づき内枠１３について詳細に説明する。図３は内枠１３の正面図である。なお、図３においても、図２と同様にパチンコ機１０の遊技領域内の構成を省略している。
【００２４】
内枠１３は、外形が外枠１１とほぼ同一形状をなす樹脂ベース７０を主体に構成されている。樹脂ベース７０の前面における回動基端側（図３の左側）には、その上端部及び下端部に支持金具７１，７２が取り付けられている。また、前扉枠１４の背面における回動基端側には、それら支持金具７１，７２に対応させて突起軸が設けられている。図示は省略するが、支持金具７１，７２には軸孔が形成されており、それら軸孔に前扉枠１４の突起軸が挿入されることにより、内枠１３に対して前扉枠１４が回動可能に支持されている。つまり、これら支持金具７１，７２及び突起軸は内枠１３に対する組付機構を構成している。
【００２５】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材６３が複数設けられている（図２参照）。前扉用鉤部材７６が鉤受け部材６３に引っ掛かることにより前扉枠１４が閉じた状態で施錠される。また、図２に示すように、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００２６】
図３に示すように、樹脂ベース７０の右下隅部には、施錠装置の解錠操作を行うためのシリンダ錠７８が設置されている。シリンダ錠７８は施錠装置に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００２７】
樹脂ベース７０前面の略中央部分には、遊技盤ユニット８０を収容する遊技盤収容部７３が形成されている。遊技盤収容部７３は、パチンコ機１０の後方に凹み、遊技盤ユニット８０を収容する収容空間を区画しており、樹脂ベース７０に取り付けられた遊技盤ユニット８０がその収容空間に嵌まった状態となっている。本実施の形態においては特に、遊技盤ユニット８０が樹脂ベース７０に対して着脱可能に取り付けられており、メンテナンス作業等の容易化が図られている。
【００２８】
遊技盤ユニット８０は、合成樹脂製の遊技盤８０ａとその背後に設けられた背面ブロック８０ｂ（図５参照）とを有してなり、その前面が遊技盤収容部７３の開放部分を通じて樹脂ベース７０の正面側に露出している。この露出している部位、すなわち遊技盤８０ａの前面には、遊技球が流下する遊技領域ＰＥが形成されている。既に説明したように遊技領域ＰＥはガラスパネル３２によって覆われている。ガラスパネル３２は、遊技盤８０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０ａは合成樹脂製に限定されるものではなく、木製とすることも可能である。
【００２９】
以下、図４に基づき遊技盤ユニット８０（特に遊技領域ＰＥに配された各種構成）について説明する。図４は遊技盤ユニット８０の正面図である。なお、図４においては図３等に示す遊技領域区画部材１０８の図示を省略している。
【００３０】
遊技盤８０ａには、自身の厚さ方向（前後方向）に貫通する大小複数の開口が形成されている。各開口には、一般入賞口８１、作動入球部８４，８５、スルーゲート８６、可変入賞ユニット３００等がそれぞれ配設されている。一般入賞口８１、作動入球部８４，８５、可変入賞ユニット３００に遊技球が入ると、それら遊技球が後述する検知センサにより検知され、その検知結果に基づいて所定数の賞球の払い出し等の特典が遊技者に付与される。その他に、遊技盤８０ａ（遊技領域ＰＥ）の最下部にはアウト口８９が設けられており、各種入賞口等に入らなかった遊技球はアウト口８９を通って遊技領域ＰＥから排出される。以下の説明では、アウト口８９への遊技球の入球と明確に区別すべく、一般入賞口８１、作動入球部８４，８５、スルーゲート８６、可変入賞ユニット３００への遊技球の入球を「入賞」とも表現する。
【００３１】
また、遊技盤８０ａには、遊技球の流下経路を適宜分散，調整等するために多数の釘９０が植設されているとともに、風車等の各種部材（役物）が配設されている。これら釘９０や風車等の各種構成によって、遊技球の流下経路が分化され、上述した一般入賞口８１等への入賞が適度な確率で発生するように調整されている。
【００３２】
上記可変入賞ユニット３００は遊技盤８０ａの中央に配されており、当該可変入賞ユニット３００によって遊技領域ＰＥにおける遊技球の流下ルートが可変入賞ユニット３００を左側から迂回する左ルートと、可変入賞ユニット３００を右側から迂回する右ルートとに大別されている。
【００３３】
可変入賞ユニット３００の周辺に上記作動入球部８４，８５（抽選契機入球部）が配設されている。作動入球部８４，８５は、可変入賞ユニット３００の側方（左ルート及び右ルート）に配設された左右の作動入球部８４（以下、第１作動入球部８４と称する）と、同可変入賞ユニット３００の下方、詳しくは左右のルートの合流箇所に配設された下側の作動入球部８５（以下、第２作動入球部８５と称する）とによって構成されている。
【００３４】
第２作動入球部８５には、開閉式の入球補助装置（入球補助手段）又は開閉部材（開閉手段）として作動入球部用の電動役物９１が設けられている。電動役物９１は、左右一対の可動片と同可動片を駆動させるソレノイド式の駆動部とを有してなり、第２作動入球部８５への入球が容易となる補助状態（開状態）と、当該開状態よりも入球が困難となる非補助状態（閉状態）とに切替可能となっている。左ルート及び右ルートにて各第１作動入球部８４の上方となる位置に上記スルーゲート８６が配置されている。遊技球のスルーゲート８６の通過をトリガとした抽選にて当選となった場合には、第２作動入球部８５に付属の電動役物９１が所定期間だけ補助状態となり、第２作動入球部８５への入球が補助されることとなる。
【００３５】
遊技領域ＰＥの下部には、上記一般入賞口８１の配設対象となる装飾体９２が配設されている。装飾体９２は遊技盤８０ａの前面からパチンコ機１０の前方に突出しており、ガラスユニット３０（ガラスパネル３２）との隙間が遊技球１個分よりも狭くなっている。これにより、装飾体９２の前方を遊技球が落下することが回避されている。装飾体９２にてガラスユニット３０と対峙する部分には主表示ユニットＤが埋設されており、ガラスユニット３０を通じた主表示ユニットＤの視認性が確保されている。ここで、主表示ユニットＤについて補足説明する。
【００３６】
主表示ユニットＤは、第１作動入球部８４への入賞に基づいた抽選結果を表示する第１作動入球部用表示部９３と、第２作動入球部８５への入賞に基づいて行われた抽選結果を表示する第２作動入球部用表示部９４とを有している。
【００３７】
第１作動入球部用表示部９３では、第１作動入球部８４への入賞をトリガとして絵柄の変動表示が実行され、その変動表示の停止結果として、第１作動入球部８４への入賞に基づいて行われた内部抽選（当否抽選）の結果が明示される。同様に、第２作動入球部用表示部９４では、第２作動入球部８５への入賞をトリガとして絵柄の変動表示が実行され、その変動表示の停止結果として、第２作動入球部８５への入賞に基づいて行われた内部抽選の結果が明示される。
【００３８】
詳細については後述するが、可変入賞ユニット３００の流入口３１１には、流入口３１１への入球を許容する開状態と流入口３１１への入球を不可とする閉状態とに切替可能な開閉装置３１５が配設されている。
【００３９】
第１作動入球部８４及び第２作動入球部８５への入賞に基づく内部抽選では、開閉装置３１５を開状態に維持する開放期間等を決定する。本実施の形態においては、開閉装置３１５を開状態とする開放期間として相対的に短い期間である第１期間（例えば１ｓｅｃ）と、相対的に長い期間である第２期間（例えば２ｓｅｃ）とが設定されている。第１作動入球部８４への入賞に基づく内部抽選では第１期間となりやすくなっており、第２作動入球部８５への入賞に基づく内部抽選では第２期間となりやすくなっている。つまり、第１作動入球部８４と第２作動入球部８５とを比較した場合、開閉装置３１５の開放態様は前者よりも後者の方が遊技者に有利となるように差別化されている。
【００４０】
本実施の形態においては遊技球が第１作動入球部８４又は第２作動入球部８５を通過した回数は両方合せて最大４回まで保留される構成が採用されており、主表示ユニットＤにはその保留数（保留個数）を表示する保留数用表示部９５が設けられている。
【００４１】
また、主表示ユニットＤには、スルーゲート８６への入賞に基づいた抽選結果を表示するスルーゲート用表示部９６が併設されている。スルーゲート用表示部９６では、スルーゲート８６への入賞をトリガとして絵柄の変動表示が行われ、その変動表示の停止結果として、スルーゲート８６への入賞に基づいて行われた内部抽選の結果が明示される。スルーゲート８６への入賞に基づく内部抽選の結果が電役開放状態への移行に対応した当選結果であった場合には、スルーゲート用表示部９６にて所定の停止結果が表示されて変動表示が停止された後に、電役開放状態へ移行する。電役開放状態では、第２作動入球部８５に付属の電動役物９１が所定の態様で開放される。
【００４２】
本実施の形態においては、電動役物９１によるサポートモードとしては電動役物９１が単位時間当たりに補助状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【００４３】
具体的には、低頻度サポートモードと高頻度サポートモードとでは、電動役物開放抽選における電役開放状態当選となる確率は同一となっているが、高頻度サポートモードでは低頻度サポートモードよりも、１回の電動役物開放抽選が行われてから次の電動役物開放抽選が行われる上で最低限確保される確保時間が短く設定されている。
【００４４】
上記のように高頻度サポートモードでは、低頻度サポートモードよりも第２作動入球部８５への入賞が発生する確率が高くなる。換言すれば、低頻度サポートモードでは、第２作動入球部８５よりも第１作動入球部８４への入賞が発生する確率が高くなるが、高頻度サポートモードでは、第１作動入球部８４よりも第２作動入球部８５への入賞が発生する確率が高くなる。
【００４５】
なお、高頻度サポートモードを低頻度サポートモードよりも単位時間当たりに電役開放状態となる頻度を高くする上での構成は上記のものに限定されることはなく、例えば電動役物開放抽選における電役開放状態当選となる確率を高くする構成としてもよい。さらには、回数、開放時間及び当選確率のうち、いずれか１条件又は任意の組み合わせの条件を相違させることで、高頻度サポートモードと低頻度サポートモードとを差別化する構成としてもよい。
【００４６】
因みに、本実施の形態においては遊技球がスルーゲート８６を通過した回数は最大４回まで保留される構成が採用されているが、主表示ユニットＤにはその保留数（保留個数）を表示する保留数用表示部９７が設けられている。
【００４７】
再び図３を用いて説明すれば、樹脂ベース７０における遊技盤収容部７３（遊技盤ユニット８０）の下方には、遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に固定されることで内枠１３に対して一体化されている。
【００４８】
発射レール１１２は、遊技盤ユニット８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００４９】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤ユニット８０側、詳しくは遊技盤ユニット８０に装着された誘導レール１００に向けて打ち出される。
【００５０】
誘導レール１００は、遊技領域区画部材１０８と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分と、遊技領域ＰＥの上部に位置する出口部分とを有している。ソレノイド１１１の動作に基づいて発射された遊技球は、発射レール１１２→誘導レール１００（入口部分→出口部分）の順に移動することにより遊技領域ＰＥに導かれる。なお、遊技盤ユニット８０において出口部分の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００５１】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００５２】
誘導レール１００及び発射レール１１２は、同誘導レール１００の入口部分と発射レール１１２の先端部分とが遊技盤ユニット８０の下端縁を挟んで斜めに対峙するように配置されている。つまり、それら両レール１００，１１２は、同誘導レール１００の入口部分と発射レール１１２の先端部分とが遊技盤ユニット８０の下端縁近傍にて左右にずれるようにして配置されている。これにより両レール１００，１１２を遊技盤ユニット８０の下端縁に近づけつつ、誘導レール１００の入口部分と発射レール１１２との間には所定間隔の隙間を形成している。
【００５３】
このようにして形成された隙間よりも下側にはファール球通路５５（図２参照）が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２９ａに排出される。これにより、ファール球と次に発射される遊技球との干渉が抑制される。
【００５４】
樹脂ベース７０において発射レール１１２の左方（詳しくは前扉枠１４を支持している側）には、樹脂ベース７０を前後方向に貫通する貫通孔に通路形成部材１３１が配設されている。通路形成部材１３１は、樹脂ベース７０に対してネジ止めされており、本体側上皿通路１３２と本体側下皿通路１３３とを有している。それら本体側上皿通路１３２及び本体側下皿通路１３３の上流側は、後述する遊技球分配部に通じている。また、通路形成部材１３１の下方には前扉枠１４に取り付けられた通路形成ユニット５０の受口部５３が入り込んでおり、本体側上皿通路１３２の下方には前扉側上皿通路が配置され、本体側下皿通路１３３の下方には前扉側下皿通路が配置されている（図２参照）。
【００５５】
樹脂ベース７０において通路形成部材１３１の下方には、本体側上皿通路１３２及び本体側下皿通路１３３からの遊技球の流出を規制するシャッタ１３４が設けられている。シャッタ１３４は、両通路の出口部分を狭め遊技球の流出を阻止する阻止位置と、遊技球の流出を許容する許容位置との両位置に切り替え可能な状態で樹脂ベース７０によって支持されている。また、樹脂ベース７０にはシャッタ１３４を阻止位置に向けて付勢する付勢部材が取り付けられており、前扉枠１４を内枠１３に対して開いた状態では付勢部材の付勢力によってシャッタ１３４が阻止位置に留まる構成となっている。これにより、本体側上皿通路１３２又は本体側下皿通路１３３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１３４が許容位置に押し戻される。この状態では、本体側上皿通路１３２及び前扉側上皿通路と、本体側下皿通路１３３及び前扉側下皿通路とがそれぞれ連通し、遊技球の移動が許容されることとなる。
【００５６】
次に、図５に基づき内枠１３（樹脂ベース７０及び遊技盤ユニット８０）の背面構成について説明する。図５は内枠１３の背面図である。
【００５７】
樹脂ベース７０の背面における回動基端側（図５の右側）には、軸受け金具１３６が取り付けられている。軸受け金具１３６には、上下に離間させて軸受け部１３７が形成されており、これら軸受け部１３７により内枠１３に対して裏パックユニット１５が回動可能に取り付けられている。
【００５８】
樹脂ベース７０における遊技盤収容部７３の底部分には樹脂ベース７０の厚さ方向に貫通し同樹脂ベース７０の背面側に開放された中央開口７４が形成されており、その中央開口７４が遊技盤収容部７３に収容された遊技盤ユニット８０によって内枠１３の正面側から覆われている。遊技盤ユニット８０の背面ブロック８０ｂには制御装置等の各種構成が搭載されており、それら各種構成は中央開口７４を通じて内枠１３の背側に露出した状態となっている。
【００５９】
遊技盤ユニット８０の背面ブロック８０ｂは、各種構成を遊技盤８０ａに搭載する台座としてのベース体１４１が固定されている。ベース体１４１は、遊技盤ユニット８０側に開放された略箱状をなしており遊技盤８０ａの背面のほぼ全域を覆っている。ベース体１４１の一部は樹脂ベース７０の中央開口７４を通じて同樹脂ベース７０の背面側に突出しており、その突出した部分に対して報知・演出制御装置ユニット１４２が搭載されている。報知・演出制御装置ユニット１４２は、報知・演出制御装置１４３と、取付台とを具備する構成となっており、取付台上に報知・演出制御装置１４３が装着されている。
【００６０】
報知・演出制御装置１４３は、後述する主制御装置からの指示に従い音声やランプ表示の制御（ランプ部２４〜２６やスピーカ部２７の制御）を司る報知・演出制御基板を具備しており、報知・演出制御基板が透明樹脂材料等よりなる基板ボックス１４５に収容されて構成されている。
【００６１】
報知・演出制御装置ユニット１４２の下方には、ベース体１４１を後方から覆うようにして主制御装置ユニット１６０が設けられている。主制御装置ユニット１６０は、遊技盤ユニット８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００６２】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部によって開封不能に連結され、これにより基板ボックス１６３が封印されている。ボックス封印部は、基板ボックス１６３の短辺部に複数設けられ、そのうち少なくとも１つが用いられて封印処理が行われる。
【００６３】
ボックス封印部はボックスベースとボックスカバーとを開封不能に結合する構成であれば任意の構成が適用できるが、ボックス封印部を構成する係止孔部に係止ピンを挿入することでボックスベースとボックスカバーとが開封不能に結合されるようになっている。ボックス封印部による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００６４】
基板ボックス１６３と取付台１６１とは台座封印部によって開封不能に連結されている。詳しくは、台座封印部は、ボックス封印部と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００６５】
ベース体１４１において遊技盤８０ａの背面と対向している部分には、一般入賞口８１、作動入球部８４，８５、可変入賞ユニット３００用の遊技盤開口部に対応し且つ下流側で１カ所に集合する回収通路が形成されている。これにより、一般入賞口８１等に入賞した遊技球は何れも回収通路を介して遊技盤ユニット８０の下方に集合する構成となっている。つまり、ベース体１４１には各種入賞口に入賞した遊技球を回収する機能が付与されている。
【００６６】
遊技盤ユニット８０の下方には後述する排出通路が配されており、回収通路によって遊技盤ユニット８０の下方に集合した遊技球は排出通路内に導出される。なお、アウト口８９についても同様に排出通路に通じており、何れの入賞口にも入賞しなかった遊技球はアウト口８９を介して排出通路に導出される。
【００６７】
また、上記回収通路には、遊技盤ユニット８０表側の一般入賞口８１に入賞した遊技球を検知する一般入賞口用検知センサと、作動入球部８４，８５に入賞した遊技球を検知する作動入球部用検知センサとが設けられている。これら各検知センサは、可変入賞ユニット３００の左右両側に配設されたスルーゲート用検知センサとともに入賞検知機構を構成している。これら各種検知センサは主制御装置１６２に対して電気的に接続されており、各検知センサからの検知情報（検知信号）が主制御装置１６２に入力される構成となっている。
【００６８】
次に、図６及び図７に基づき裏パックユニット１５について説明する。図６はパチンコ機１０の背面図、図７は裏パックユニット１５の正面図である。
【００６９】
図６に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００７０】
裏パック２０１は透明性を有する合成樹脂により成形されており、図７に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変入賞ユニット３００の背面部分を囲むのに十分な大きさを有する（図６参照）。
【００７１】
ベース部２１１には、その右上部に外部端子板が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３７に挿通させることで、裏パックユニット１５が内枠１３に対して回動可能に支持されている。ベース部２１１には、内枠１３に設けられた固定レバーが挿通される複数の挿通部が形成されており、固定レバーが挿通部に挿通された状態にてベース部２１１に後方から当接することにより内枠１３に対して裏パックユニット１５が固定されている。
【００７２】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に固定された遊技球分配部２２５に供給される。遊技球分配部２２５は、払出装置２２４より払い出された遊技球を上皿２８ａ、下皿２９ａの何れかに振り分けるための機能を有している。
【００７３】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００７４】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００７５】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００７６】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。
【００７７】
基板ボックス２４４，２４６については、内蔵された各基板を当該基板ボックス２４４，２４６の外部から視認可能となるように透明性を有する合成樹脂によって形成されている。そして、払出制御基板及び電源・発射制御基板は、一方の板面が各種素子等の搭載面となっており、他方の板面が半田面となっている。そして、搭載面が遊技機後方を向くように（半田面が内枠１３側（遊技機前方）を向くように）して配置されることで、メンテナンス等の際に、各制御基板に異常が発生していないか等を目視で容易に確認できる構成となっている。
【００７８】
また、電源・発射制御装置２４３には電源のＯＮ操作及びＯＦＦ操作を行うための電源スイッチ２４７が設けられている。本パチンコ機１０は各種データの記憶保持機能を有している。例えば遊技ホールの営業終了時等に、通常手順で電源を遮断すると遮断前の状態が記憶保持される。また、万一停電が発生した際でも停電時の状態を保持し、停電からの復帰の際には停電時の状態に復帰できるようになっている。
【００７９】
ここで、上記主制御装置１６２にはリセットスイッチ１６６が設けられており、このリセットスイッチ１６６を押しながら電源が投入された場合には、ＲＡＭデータが初期化される。
【００８０】
（可変入賞ユニット３００）
ここで、図８に基づき遊技盤ユニット８０の中央に配設された可変入賞ユニット３００について詳しく説明する。図８は可変入賞ユニット３００の内部構造を示す正面図であり、説明の便宜上、可変入賞ユニット３００の外郭の一部（後述するハウジングの一部）については図示を省略している。
【００８１】
可変入賞ユニット３００は、内部に遊技球の流下領域及び役物装置等の配置領域が区画形成されたハウジング３０１を有してなる。ハウジング３０１は、前方に開放された略箱状をなし上記役物装置等を収容する第１ハウジング構成体と、当該第１ハウジング構成体の開放部分を遊技機前方から覆う第２ハウジング構成体とが組み合わされてなり、可変入賞ユニット３００の外郭を構成している。第２ハウジング構成体については、透明な合成樹脂材料により形成されており、当該第２ハウジング構成体を通じて可変入賞ユニット３００の内部領域、詳しくは当該内部領域を移動する遊技球や後述する役物装置等を遊技機前方から視認可能となっている。
【００８２】
ハウジング３０１の上面部３１０は左右方向における中央を頂部として左右両側に下り傾斜しており、当該頂部を境に上記左ルートの一部を構成する球通路３０８と上記右ルートの一部を構成する球通路３０８とが形成されている。上面部３１０にて各球通路３０８の途中となる部分には、可変入賞ユニット３００の「入口部分」としての流入口３１１が各々形成されている。流入口３１１はハウジング３０１の内外（上下）に開放された開口であり、遊技球が通過可能な大きさとなっている。
【００８３】
上述したように、各流入口３１１にはそれら流入口３１１への遊技球の流入を左右する開閉装置３１５が各々併設されている。開閉装置３１５は、「可動体」又は「開閉体」としての開閉体３１６と、開閉体３１６を駆動させる「駆動手段」として駆動部３１７（詳しくはステッピングモータ）と、開閉体３１６の開位置及び閉位置を規定するストッパ（図示略）と、開閉体３１６の位置を検知する位置検知センサ（図示略）とを有している。駆動部３１７は主制御装置１６２に接続されており、主制御装置１６２では上記作動入球部８４，８５への抽選にて当選結果等に基づいて駆動部３１７の駆動制御を行う。
【００８４】
なお、図示は省略しているが、ハウジング３０１には、流入口３１１に流入した遊技球を検知する検知センサが設けられている。この検知センサは、主制御装置１６２に接続されており、主制御装置１６２においては検知センサからの検知信号（検知情報）に基づいて可変入賞ユニット３００への入賞発生の有無を把握し、入賞が発生した場合には所定数の遊技球の払い出しを行う。
【００８５】
ハウジング３０１の内部領域は、上流領域／下流領域の２つの領域に大別される。下流領域には大当たりの発生抽選を行う抽選手段を構成する役物装置３０３が配設されており、上流領域には上述した開閉装置３１５と可変入賞ユニット３００に流入した遊技球を上記役物装置３０３に供給する供給手段としての案内通路３０２とが配設されている。案内通路３０２については、当該案内通路３０２の最上流部分（流入口３１１の直下流となる位置）にて第１案内通路３３１及び第２案内通路３３２に分岐している。
【００８６】
ここで、図９及び図１０を参照して、役物装置３０３について補足説明する。図９（ａ）はハウジングの中流領域を示す平面図、（ｂ）は役物装置３０３の斜視図、図１０は可変入賞ユニットの部分断面図である。
【００８７】
（役物装置３０３）
図９（ａ）に示すように、ハウジング３０１の底部３８０の上面には役物装置３０３を構成する入賞役物３５０が配設されている。入賞役物３５０は、モータ３６０の出力軸に固定されており（図１０参照）、鉛直方向に延びる軸線を中心とした回転が許容された状態で底部３８０に載置されている。モータ３６０は主制御装置１６２に対して電気的に接続されており、主制御装置１６２からの駆動信号に基づいて動作する。この駆動信号は、遊技機の電源がＯＮになってからＯＦＦになるまで出力が継続される。このため、遊技機の電源がＯＮとなっている間は、入賞役物３５０が常時一定速度で同一方向（詳しくは平面視にて反時計回り方向）に回動（周期動作）を続ける。なお、入賞役物３５０の回転速度及び回動方向は一定である必要はなく、遊技状況等に応じて変化させてもよい。
【００８８】
入賞役物３５０は、自身の中心軸線方向に複数の段差が形成された厚肉の円盤状をなしている。より具体的には、入賞役物３５０は、上段部３５１，中段部３５２，下段部３５３の３つの段部を有してなり、上段部３５１の外径  ＜  中段部３５２の外径  ＜  下段部３５３の外径となるように形成されることで全体として上方に凸となっている（図９（ｂ）参照）。
【００８９】
図１０に示すように、底部３８０には、下段部３５３に対応する円形状の凹部３８１が形成されており、この凹部３８１に対して下段部３５３が嵌まった状態となっている。凹部３８１の深さ寸法は下段部３５３の厚み寸法よりも小さく設定されており、下段部３５３が凹部３８１から上方に突出した状態となっている。凹部３８１の開口縁には、下段部３５３の縦壁に沿って起立する略円環状の内壁部３８２が形成されており、内壁部３８２よりも外側には同内壁部３８２に対向する外壁部３８３が形成されている。内壁部３８２と外壁部３８３との隙間は遊技球の直径よりも僅かに大きくなっており、これら両壁部３８２，３８３及び底部３８０によって形成された通路が上記第１案内通路３３１の下流部分（横通路部）を構成している。なお、横通路部については入賞役物３５０よりも手前側に位置しており、当該横通路部を移動する遊技球の視認性が確保されている。
【００９０】
底部３８０の上面において両壁部３８２，３８３によって挟まれている部分（遊技球の転動面）は、左右方向における中央側へ緩やかに下り傾斜している。第１案内通路３３１の縦通路部（上流部分）を経て底部３８０に至った遊技球は両壁部３８２，３８３に沿って横通路部（下流部分）を前方に移動する。
【００９１】
横通路部において最も低位となっている底部３８０の特定部分（中央部分）には、入賞役物３５０に向けて（すなわち後方に向けて）下り傾斜する溝部３８４が形成されている。内壁部３８２において溝部３８４の先側に位置する部分には、内外に貫通する陥欠部３８５が形成されており、この陥欠部３８５を介して、遊技球が入賞役物３５０に移動可能となっている。すなわち、この陥欠部３８５によって第１案内通路３３１の出口が構成されている。
【００９２】
図９（ｂ）に示すように、入賞役物３５０の下段部３５３には、この陥欠部３８５に対応する複数（本実施の形態においては８つ）の入球部３５６が設けられている。各入球部３５６は、入賞役物３５０の周方向において等間隔となるように配列されており、内壁部３８２と対向する側及び上方に開放されている入球部３５６（以下、第１入球部３５６Ａと称する）と、内壁部３８２と対向する側及び上下に開放されている入球部３５６（以下、第２入球部３５６Ｂと称する）とに大別される。すなわち、複数の入球部３５６のうちの１つ（第２入球部３５６Ｂ）は無底となっており、他（第１入球部３５６Ａ）は有底となっている。
【００９３】
下段部３５３の入球部３５６が陥欠部３８５と連なる位置に至った場合には、第１案内通路３３１を通って移動してきた遊技球の入球部３５６への移動が許容されることとなる。これにより、第１案内通路３３１を経由した遊技球は１／８の確率で無底の第２入球部３５６Ｂに入り、７／８の確率で有底の第１入球部３５６Ａに入ることとなる。そして、一旦入球部３５６に入った遊技球は、入賞役物３５０の回動に伴って入球部３５６と共に移動する。これにより、入球部３５６から第１案内通路３３１への遊技球の逆戻りが凹部３８１の壁面及び内壁部３８２によって阻止されることとなる。
【００９４】
凹部３８１の底部において入球部３５６が通過する経路と重なる位置には、Ｖ入賞口３８６が設けられている。Ｖ入賞口３８６は、遊技球の通過を許容する孔状をなしており、無底の第２入球部３５６Ｂに入った遊技球は、当該第２入球部３５６ＢとＶ入賞口３８６とが連なった際に、同Ｖ入賞口３８６に移る。Ｖ入賞口３８６を通過した遊技球は所定の排出通路を通じて可変入賞ユニット３００から排出される（島設備に返却される）こととなる。
【００９５】
底部３８０には、Ｖ入賞口３８６に入った遊技球を検出するＶ入賞口検知センサ３８７が設けられている。Ｖ入賞口検知センサ３８７は主制御装置１６２に接続されており、主制御装置１６２ではＶ入賞口検知センサ３８７からの検知信号（検知情報）に基づいてＶ入賞口３８６への入賞の有無を把握する。大当たり（開閉実行モード）となっていない状況下にてＶ入賞口３８６への入賞が発生した場合には大当たり（開閉実行モード）へと移行し、大当たり（開閉実行モード）となっている状況下にてＶ入賞口３８６への入賞が発生した場合には当該入賞に基づいて開閉実行モードが継続される。
【００９６】
また、内壁部３８２にて入賞役物３５０の回転中心軸線を挟んで陥欠部３８５と反対側となる位置には、排出口３８８が形成されている。排出口３８８は可変入賞ユニット３００（ハウジング３０１）の内外に貫通している。有底の第１入球部３５６Ａに入った遊技球は、排出口３８８と第１入球部３５６Ａの開放部分とが連なった際に、同排出口３８８を通じて可変入賞ユニット３００外に排出され、その後、遊技盤８０ａの背面側に設けられた返却通路を経由して遊技ホールの島設備に返却される。
【００９７】
入賞役物３５０の上段部３５１には、上方に開放された一条の溝部３５８が形成されている。溝部３５８は、その一端が有底の第１入球部３５６Ａ、他端が無底の第２入球部３５６Ｂに向けてそれぞれ開放されており、中段部３５２に形成された連通部３５７を介して第１入球部３５６Ａ及び第２入球部３５６Ｂに連通している。ここで、上記第２案内通路３３２の出口部分３３２ｂは、溝部３６８の中央部分の直上に位置しており、当該出口部分３３２ｂから落下した遊技球は、溝部３５８に入る。そして、溝部３５８に入った遊技球は、入賞役物３５０の回動によって発生する遠心力により溝部３５８に沿って移動する。この結果、当該遊技球は、第１入球部３５６Ａ及び第２入球部３５６Ｂの何れかへ移動することとなる。このため、第１案内通路３４１を経由した遊技球は１／２の確率で第１入球部３５６Ａに入り、同じく１／２の確率で第２入球部３５６Ｂに入ることとなる。言い換えれば、可変入賞ユニット３００に入った遊技球が第２案内通路３３２を経由して入賞役物３５０に至った場合には、１／２の確率でＶ入賞口３８６への入賞（例えば大当たり）が発生することとなる。
【００９８】
開閉実行モード中は開閉装置３１５を開状態とする期間として上記第１期間及び第２期間よりも長い第３期間（３０ｓｅｃ）が設定される。開閉装置３１５が開状態となった場合には、第３期間が経過したこと又は第３期間の経過前に所定数（１０個）の遊技球が流入口３１１に流入したことの何れかを条件として閉状態への切り替えがなされる。このように開閉装置３１５が閉状態  →  開状態→  閉状態に切り替わることが１ラウンドに相当し、このラウンド遊技が複数回繰り返されることとなる。詳しくは、本実施の形態にて大当たりとなった場合には、１／２の確率で開閉実行モードにおけるラウンド数として「４」が設定され、１／４の確率でラウンド数として「８」が設定され、１／４の確率でラウンド数として「１６」が設定される。
【００９９】
開閉実行モードが終了した後は、可変入賞ユニット３００内の遊技球が全て可変入賞ユニット３００から排出されたことを契機として、サポートモードが規定回数（５回：作動入球部８４，８５に係る保留の上限数よりも多い数）を上限として高頻度サポートモードへと移行する。高頻度サポートモード中は第２作動入球部８５に付属の電動役物９１が補助状態となりやすく、当該第２作動入球部８５への入球が促される。既に説明したように、第２作動入球部８５への入球に基づく内部抽選では、補助期間として第２期間が設定されるロング開放となりやすくなっている。
【０１００】
（開閉装置３１５）
本実施の形態においては、上述した開閉装置３１５に係る構成が特徴的なものとなっている。以下、図１１及び図１２を参照して、開閉装置３１５について補足説明する。図１１は開閉装置３１５及びその周辺構成を示す図８の部分拡大図、図１２（ａ）は開閉体３１６の斜視図、図１２（ｂ）〜（ｃ）は開閉体３１６の縦断面図である。なお、図１２においては説明の便宜上、開状態となっている場合の向きで開閉体３１６を表示している。因みに、開閉装置３１５については左右一組となるように配設されているが（図８参照）、これら各開閉装置３１５については具体的な構成が共通となっている。そこで以下、右側の開閉装置３１５について説明し、左側の開閉装置３１５については説明を省略する。
【０１０１】
図１１に示すように、開閉装置３１５を構成している開閉体３１６及び駆動部３１７は、後者が前者に対して遊技盤ユニット８０の中央側に位置するように左右に並べて配置されている。開閉体３１６には駆動部３１７の出力軸が取り付けられる取付部３２２が形成されており、当該開閉体３１６は駆動部３１７によって回動可能に軸支されている。
【０１０２】
駆動部３１７の出力軸は、遊技盤ユニット８０の前面と平行且つ当該遊技盤ユニット８０の中央側から側方に向けて下り傾斜となるように延びており、当該出力軸によって規定される開閉体３１６の回動中心軸線ＣＬ１の向きはハウジング３０１の上面部３１０によって形成された上記球通路３０８の通路方向と同じ方向となっている。開閉体３１６は、球通路３０８の下流側から中央側を見て時計回り方向及び反時計回り方向の各方向に回動中心軸線ＣＬ１を中心として回動することで開状態／閉状態に切り替わることとなる。
【０１０３】
開閉体３１６にて、上記取付部３２２を挟んで駆動部３１７と反対側となる部分が当該開閉体３１６における本体部３２１となっている。本体部３２１には、回動中心軸線ＣＬ１と同じ方向に延びる溝部３２３が形成されており、全体として回動中心軸線ＣＬ１と同じ方向に延びる樋状をなしている（図１２参照）。
【０１０４】
溝部３２３については、上記回動中心軸線ＣＬ１と交差する方向に開放されており（以下、この開放されている部分を「第１開放部３２４」という）、更には、上面部３１０によって形成された球通路（詳しくは流入口３１１が形成されている部分）の通路方向における下流側に開放されている（以下、この開放されている部分を「第２開放部３２５」という）。これら第１開放部３２４及び第２開放部３２５については、何れも遊技球が通過可能となるように形成されている。
【０１０５】
図１１に示すように、開閉体３１６は、閉状態では第１開放部３２４が下向きとなり、当該開閉体３１６の外面部３２９によって球通路３０８の一部（流入口３１１が形成されている部分）が補完されている。つまり、ハウジング３０１の上面部３１０及び外面部３２９によって球通路３０８における遊技球の転動面が形成されている。
【０１０６】
図１３（ｂ）に示すように、開状態においては開閉体３１６の第１開放部３２４が上向きとなり、溝部３２３が流入口３１１に対して遊技球の直径寸法よりも大きな隙間を隔てて下方から対峙することとなる。開状態では、流入口３１１→第１開放部３２４を通過した遊技球は溝部３２３内に到達する。溝部３２３（内面部３２８）は、回動中心軸線ＣＬ１と直交する断面（縦断面）が当該回動中心軸線ＣＬ１を中心とする円弧状をなしており、その直系寸法は遊技球の直径寸法よりも大きくなっている（図１２参照）。溝部３２３に到達した遊技球は、当該溝部３２３の底部に沿って第２開放部３２５側へ転動する。溝部３２３の第２開放部３２５は第１案内通路３３１の入口部分３３１ａと対峙しており、溝部３２３に沿って転動した遊技球は、第１案内通路３３１に移ることとなる。
【０１０７】
ここで、図１４を参照して、開閉装置３１５が開状態／閉状態に切り替わる場合の開閉体３１６の動作態様について補足説明する。図１４は図１１のＡ−Ａ線部分断面図である。
【０１０８】
開閉装置３１５が閉状態から開状態に切り替わる場合には、図１４（ａ）→図１４（ｂ）→図１４（ｃ）に示すように、開閉体３１６が回動中心軸線ＣＬ１を中心として第１所定方向（左方から見て時計回り方向）に回動する。これにより、第１開放部３２４の向きが、下方→前方→上方となるように変化する。なお、以下の説明においては、図１４（ａ）に示す閉状態にて、本体部３２１（溝部３２３）における後側の端部を第１端部３２１ａ、前側の端部を第２端部３２１ｂと称する。
【０１０９】
図１４（ａ）に示す閉状態では、第１端部３２１ａが第１ハウジング構成体３０５にて球通路３０８の後壁部を形成している部分と近接しており、第２端部３２１ｂが第２ハウジング構成体３０６にて球通路３０８の前壁部を形成している部分と近接している。このため、球通路３０８を流下する遊技球は、流入口３１１に到達しても、開閉体３１６の外面部３２９に沿って流下を続け当該流入口３１１への流入が回避されることとなる。
【０１１０】
図１４（ａ）→図１４（ｂ）に示すように、開閉体３１６が第１所定方向に回動することで、第１端部３２１ａが前方へ移動し、第２端部３２１ｂが後方へ移動する。この場合、開閉体３１６と第１ハウジング構成体３０５との隙間が変化しない一方、開閉体３１６と第２ハウジング構成体３０６との隙間が大きくなる。
【０１１１】
図１４（ｂ）に示す例では、回転角度が９０°となっており、この状態では上記隙間の何れについても遊技球の直径寸法よりも小さくなっている。故に、遊技球の流入口３１１への流入及び第２案内通路３３２への流入が回避されることとなる。
【０１１２】
開閉体３１６の回動角度が９０°を超えることで、第２端部３２１ｂと第２ハウジング構成体３０６との隙間よりも第１端部３２１ａと第２ハウジング構成体３０６との隙間の方が大きくなる。そして、回動角度が１００°に達することで、第２端部３２１ｂと第２ハウジング構成体３０６との隙間が遊技球の直径寸法よりも大きくなり、流入口３１１への入球が許容される。但し、この状態では、第２ハウジング構成体３０６と第１端部３２１ａとの隙間は遊技球の直径寸法よりも小さくなっているため、流入口３１１に流入した遊技球が第２ハウジング構成体３０６と第１端部３２１ａとの隙間を素通りして第２案内通路３３２へ流入することが回避され、溝部３２３に沿って移動することとなる。つまり、ハウジング３０１内に第１案内通路３３１に続く球通路が形成されることとなる（図１４（ｃ）参照）。
【０１１３】
その後は、開閉体３１６の回動角度が１８０°に達すると、上記ストッパ部によって当該開閉体３１６のそれ以上の回動が阻止されることとなる。開閉体３１６が上下反転した状態（開状態）は、可変入賞ユニット３００への入球数が所定数に達するかそれとも予め設定された期間に達するかの何れかの条件が成立するまで維持されることとなる。
【０１１４】
これら２つの条件の何れかが成立した場合には、開閉体３１６が開状態から閉状態に切り替わる（復帰する）。この場合、図１４（ｃ）→図１４（ｂ）→図１４（ａ）に示すように、開閉体３１６が回動中心軸線ＣＬ１を中心として上記第１所定方向とは反対の第２所定方向に回動する。これにより、第１開放部３２４の向きが、上方→前方→下方となるように変化する。
【０１１５】
具体的には、図１４（ｃ）に示す開状態では、第１端部３２１ａが第２ハウジング構成体３０６にて球通路３０８の前壁部を形成している部分と近接しており、第２端部３２１ｂが第１ハウジング構成体３０５にて球通路３０８の後壁部を形成している部分と近接している。このため、流入口３１１→第１開放部３２４を通じて溝部３２３へ到達した遊技球は、第２案内通路３３２への流入が回避されることとなる。
【０１１６】
図１４（ｃ）→図１４（ｂ）に示すように、開閉体３１６が第２所定方向に回動することで、第１端部３２１ａが後方へ移動し、第２端部３２１ｂが前方へ移動する。この場合、開閉体３１６と第１ハウジング構成体３０５との隙間が変化しない一方、開閉体３１６と第２ハウジング構成体３０６との隙間が大きくなる。
【０１１７】
第２所定方向への回動角度が８０°に達すると、第２端部３２１ｂと第２ハウジング構成体３０６との隙間が遊技球の直径寸法よりも小さくなる。このようにして、開閉体３１６が開状態から閉状態に切り替わることにより、流入口３１１への遊技球の流入が不可となる。この状態では、第１端部３２１ａと第２ハウジング構成体３０６との隙間は遊技球の直径寸法よりも小さいままとなっているため、溝部３２３に位置する遊技球が当該隙間を通じて第２案内通路３３２へ流入することが回避される。但し、この状態にて当該隙間に入った遊技球については、第１案内通路３３１の入口部分３３１ａの段差に引っ掛かり、当該入口部分３３１ａへの移動が妨げられることとなる。
【０１１８】
第２所定方向への回転角度が１１０°に達すると、第１端部３２１ａと第２ハウジング構成体３０６との隙間が遊技球の直径寸法よりも大きくなり、溝部２３２に位置する遊技球が当該隙間を通じて第２案内通路３３２へ流入可能となる。その後は、開閉体３１６の回動角度が１８０°に達すると、上記ストッパ部によって当該開閉体３１６のそれ以上の回動が阻止され、開閉体３１６の閉状態への復帰が完了することとなる。
【０１１９】
なお、左側の開閉装置３１５においては、閉状態から開状態に切り替わる場合の回動方向と、開状態から閉状態に切り替わる場合の回動方向とが、右側の開閉装置３１５の回動方向と各々逆の方向となる。これにより、左側の開閉装置３１５についても、開状態／閉状態の切り替え途中で開閉体３１６の第１開放部３２４が遊技機前方を向くように構成されている。
【０１２０】
本実施の形態に示す開閉体３１６については、当該開閉体３１６に到達した遊技球を第１案内通路３３１及び第２案内通路３３２に振り分ける振分手段として機能していることを特徴の１つとしている。ここで、図１５を参照して、第２案内通路３３２への遊技球の振り分けの流れについて補足説明する。
【０１２１】
（第２案内通路３３２への振り分け）
図１５（ａ）に示すように、開閉装置３１５が開状態となっている状況下にて流入口３１１に到達した遊技球Ｂ１は、当該流入口３１１を通じて開閉体３１６の溝部３２３へと落下する。その後は、溝部３２３に沿った流下を続けることで、第１案内通路３３１へと流入する。つまり、この状態における遊技球Ｂ１の振り分け先は第１案内通路３３１となっている。
【０１２２】
第１案内通路３３１の最上流部分には遊技球を検知する上記検知センサが配設されている。第１案内通路３３１へ流入した遊技球は当該検知センサにより検知され、開状態への切り替え後に案内通路３０２に流入した遊技球の総数が所定数に達した場合には、開閉体３１６が開状態から閉状態に切り替えられることとなる。
【０１２３】
閉状態への切替条件が成立したタイミングにて後続の遊技球Ｂ２が溝部３２３に位置している場合には、当該遊技球Ｂ２の振り分け先は第２案内通路３３２となる。具体的には、図１５（ｂ）→図１５（ｃ）→図１５（ｄ）に示すように、開閉体３１６が回動することにより、溝部３２３の第１開放部３２４が上向きの状態から前向きの状態を経て下向きの状態に変化する。これにより、溝部３２３に位置している遊技球Ｂ２は開閉体３１６による支えを失い、下方へと落下する。この落下先には、第２案内通路３３２の入口部分３３２ａが位置しており、遊技球Ｂ２は第２案内通路３３２へ振り分けられることとなる。つまり、開状態から閉状態への切替間際については、遊技球の振り分け先が第２案内通路３３２となる。
【０１２４】
以上詳述した第１の実施の形態によれば、以下の優れた効果を奏する。
【０１２５】
従来の遊技機で採用されているように、「所定の入球口」であり流入口への入球後に当該流入口から大きく離れた箇所にて遊技球の振分けを行う構成では、遊技者が注目すべき箇所が散在することとなる。これでは、入球箇所と振分箇所との一方に注視すると、他方での遊技球の動き等が分かりづらくなり、遊技者の困惑を招きやすくなる。この点、本実施の形態に示す構成によれば、流入口３１１に流入した遊技球については開閉体３１６によって第１案内通路３３１の入口部分３３１ａ及び第２案内通路３３２の入口部分３３２ａに振り分けられることとなる。そして、この開閉体３１６が開状態／閉状態に切り替わることにより、流入口３１１への入球が左右されることとなる。つまり、本実施の形態に示す開閉体３１６には当該開閉体３１６の向きによって「所定の入球口」である流入口３１１への入球と流入口３１１へ流入した遊技球の振り分けとを制御する機能が付与されている。これは、遊技球の挙動を変化させるための構成の複雑化を抑制し、遊技者の理解を促したり、遊技（遊技球の挙動）への注目度の向上を図ったりする上で有利である。また、注目すべき箇所が開閉装置３１５に集約されることで、遊技球の動きを多様化したとしても、遊技球の動きが見逃される機会を少なくすることができる。
【０１２６】
単に入球箇所や振分箇所を一所にまとめようとしても入球制限用の可動部材と振分用の可動部材とが個別となることで、遊技者の困惑を抑える効果は低下すると想定される。また、複数の可動部材を並存させようとした場合には、それら可動部材の占有領域が嵩む。これは、それら可動部材の配置に係る制約を緩和させる上で好ましくない。この点、本実施の形態に示した構成によれば、簡素な構造によって入球制限及び振分の各機能を発揮させることができ、それらの課題を好適に解消できる。
【０１２７】
流入口３１１を通じて溝部３２３の内面部３２８（「球受け部」に相当）に到達した遊技球は、開閉装置３１５が開状態となっている場合には第２開放部３２５（「第１排出部」に相当）を通じて第１案内通路３３１の入口部分３３１ａ側へ排出される。これに対して、開状態から閉状態に切り替わる場合に内面部３２８上に位置している遊技球は第１開放部３２４（「第２排出部」に相当）を通じて第２案内通路３３２の入口部分３３２ａ側へ排出される。このように、開閉体３１６から遊技球が排出される排出部として第１開放部３２４及び第２開放部３２５を各々設けることにより、１の開放部がそれら２つの排出部を兼ねる構成と比較して、開閉体３１６からの排出位置等を見れば遊技球の振り分け先を容易に特定することができる。上述したように、流入口３１１付近での遊技球の動きが多様となる構成であるため、排出部を個別とすることは遊技者の理解を促す上でも好ましい。
【０１２８】
開状態から閉状態に切り替わることで内面部３２８上に位置する遊技球が第１開放部３２４へ移動することとなる。この際の遊技球の移動経路については、開状態にて第２開放部３２５へ遊技球が移動する場合の移動経路よりも短くなる。開状態から閉状態への切り替え時には遊技球を第１開放部３２４を通じて第２案内通路３３２側（有利側）へ速やかに排出することにより、遊技球の振り分けが無駄に遅延されているかのような印象を遊技者に与えることを回避できる。
【０１２９】
第２案内通路３３２の入口部分３３２ａ側へ向かう遊技球が通過する第１開放部３２４については、流入口３１１から内面部３２８へ遊技球が移る際の入口部として機能する。このように、第１開放部３２４が開閉体３１６の入口部及び出口部を兼ねる構成とすることにより、開閉体３１６の構造の簡素化に寄与できる。
【０１３０】
本実施の形態に示す開閉体３１６については、流入口３１１へ流入した遊技球が当たる部位（内面部３２８）と、流入口３１１への流入が不可となっている場合に遊技球が当たる部位（外面部３２９）とが分かれている。このような構成とすれば、遊技球が当たる箇所を分散させることができ、開閉体３１６の耐久性が上記複数の機能を併有することに起因して低下することを好適に抑制できる。これは、上述した第１案内通路３３１び第２案内通路３３２への遊技球の振分機能等を安定して発揮させる上で好ましい。
【０１３１】
特に、開閉体３１６を回動式とした上で「球受け部」としての内面部３２８が回動中心側を向き且つ「所定部位」としての外面部３２０が外側を向くように形成することにより、上記入球及び振分の制御機能を発揮させる上で開閉体３１６の構造の複雑化を好適に抑制できる。
【０１３２】
「球受け部」として機能する内面部３２８は、回動中心軸線ＣＬ２を中心とする円弧状をなしている。この構成によれば、内面部３２８上に遊技球が位置している状態にて開閉体３１６が回動した場合に、内面部３２８に押されたり引っ張られたりして回動方向における遊技球の位置が変化することを抑制できる。これにより閉状態への切り替え時に遊技球を開閉体３１６の直下へ落下させることが可能となる。上述の如く第２案内通路３３２の入口部分３３２ａが内面部３２８の下方に位置し、開閉装置３１５及びそれに関連する構成の厚さ（遊技盤８０ａの厚さ方向における大きさ）を小さくすることができる。これは、当該開閉装置３１５等の配置自由度の向上を図る上で好ましい。
【０１３３】
開閉体３１６が開状態から閉状態に切り替わる場合には、溝部３２３の第１開放部３２４が遊技機前方（正面側）を向く状態を経由することとなる。このような構成とすれば、溝部３２３に位置する遊技球が開閉体３１６の背後に隠れる等して、当該遊技球の視認性が低下することを好適に抑制できる。
【０１３４】
＜変形例１＞
上記第１の実施の形態では、開閉装置３１５が閉状態から開状態に切り替わる場合の開閉体３１６の回動方向と、開状態から閉状態に切り替わる場合の開閉体３１６の回動方向とを逆となるように構成したが、これに限定されるものではない。閉状態から開状態に切り替わる場合の開閉体３１６の回動方向と、開状態から閉状態に切り替わる場合の開閉体３１６の回動方向とを同じ方向となるように構成してもよい。
【０１３５】
＜変形例２＞
上記第１の実施の形態では、開閉装置３１５が閉状態から開状態に切り替わる場合に、開閉体３１６の溝部３２３が遊技機前方を向く状態を経由する構成としたが、開閉装置３１５が閉状態から開状態に切り替わる場合に、開閉体３１６の溝部３２３が遊技機後方を向く状態を経由する構成とすることも可能である。また、開閉装置３１５が開状態から閉状態に切り替わる場合に、開閉体３１６の溝部３２３が遊技機前方を向く状態を経由する構成としたが、開閉装置３１５が開状態から閉状態に切り替わる場合に、開閉体３１６の溝部３２３が遊技機後方を向く状態を経由する構成とすることも可能である。
【０１３６】
＜変形例３＞
上記第１の実施の形態では、開放条件（切替条件）が成立したことに基づいて開閉装置３１５が閉状態から開状態に切り替わり、閉鎖条件（切替条件）が成立したことに基づいて開閉装置３１５が開状態から閉状態に切り替わる構成としたが、開閉装置３１５が所定のタイミング（例えば遊技機の電源ＯＮ）から予め設定された周期で開状態／閉状態に切り替わる構成とすることも可能である。
【０１３７】
＜変形例４＞
開閉装置３１５を構成する開閉体の具体的形状については、開閉体が第１案内通路３３１及び第２案内通路３３２へ遊技球を振り分ける機能と、流入口３１１を開閉する機能とを併有しているのであれば任意に変更してもよい。例えば、開閉体を筒状（例えば円筒状）とし、当該開閉体の外周部分に開閉体の内外に貫通し遊技球が通過可能な貫通孔を形成するとよい。開閉装置を開状態とする場合には当該貫通孔を上向きとし、閉状態とする場合には当該貫通孔を下向きとすることで、上述した開閉機能と振分機能とを好適に発揮させることができる。なお、開閉体内に遊技球を流入させるための貫通孔と、開閉体内の遊技球を第２案内通路３３２へ落下させるための貫通孔とを共用とする必要は必ずしもなく、それら貫通孔を個別に設けてもよい。
【０１３８】
＜変形例５＞
上記第１の実施の形態では、開閉体３１６の第１開放部３２４が回動中心軸線ＣＬ１と同じ方向に延びる構成としたが、これに限定されるものではない。図１６（ａ）の概略図に示すように、開閉体３１６Ａの第１開放部３２４Ａを回動中心軸線ＣＬ１に対して斜めとなるように傾けて形成することも可能である。このような構成とすれば、開閉体３１６Ａを開状態から閉状態に切り替える際に、第２ハウジング構成体３０６にて流入口３１１を形成している部分と開閉体３１６Ａとの間に遊技球が引っ掛かる等して、開閉体３１６の閉状態への切り替えが円滑に行われなくなることを抑制できる。
【０１３９】
＜変形例６＞
上記第１の実施の形態では、ハウジング３０１の上面部３１０を平面状に形成したが、閉状態となっている開閉体３１６（詳しくは外面部３２９）とハウジング３０１の上面部３１０との段差を小さくする上では、上面部３１０についても開閉体３１６と同様に円弧状に形成するとよい。これにより、遊技球が開閉体３１６の外面部３２９からハウジング３０１の上面部３１０に移る際の挙動の乱れを軽減できる。
【０１４０】
また、このような遊技球の挙動の乱れを抑える上では、図１６（ｂ）に示すように回動方向にて開閉体３１６Ｂの外面部３２９Ｂの一部を平面状となるように形成し、閉状態においてはその平面部分によって球通路３０８の転動面を補完する構成とすることも可能である。
【０１４１】
＜変形例７＞
上記第１の実施の形態に示したように、開閉装置３１５を開状態から閉状態に切り替える場合に溝部３２３に位置している遊技球については第２案内通路３３２へ振り分けられることとなる。ここで、溝部３２３に位置する遊技球の移動速度が高くなってしまった場合には、その勢いで第１案内通路３３１へ流入する可能性が高くなり、第２案内通路３３２への振り分けに期待する遊技者にとって酷となる。本変形例においては、このような事情に鑑みた工夫がなされていることを特徴の１つとしている。以下、図１６（ｃ）の概略図を参照して、当該工夫について説明する。
【０１４２】
開閉体３１６Ｃの溝部３２３Ｃには、開閉装置３１５が開状態となっている場合に遊技球が転動する部分（中央部分）を挟んだ両側に、回動中心軸線ＣＬ１と交差する方向に延びる突起３２８Ｃが所定の間隔で複数形成されている。これら突起３２８Ｃの突出量については、上記中央部分が最下部に位置している状況下にて当該中央部分に位置する遊技球との接触が回避される程度となっている。
【０１４３】
開閉装置３１５Ｃが開状態から閉状態に切り替わる過程では、溝部３２３Ｃの最下部に突起３２８Ｃが位置する状態を経由する。このように突起３２８Ｃが第１案内通路３３１へ向けた流路を横切っている場合には、溝部３２３Ｃに沿って流下する遊技球についてはこれら突起３２８Ｃに当たること（乗り越えること）で減速される。つまり、上述した中央部分が最下部に位置している状態と比較して、突起３２８Ｃが最下部に位置している状態では、溝部３２３Ｃにおける遊技球の移動速度が低下し、第１案内通路３３１への移動が遅延されることとなる。これにより、第２案内通路３３２へ振り分けられるはずの遊技球が勢いよく第１案内通路３３１へ飛び込む等して、遊技者の遊技意欲を低下させる要因となることを好適に抑制できる。
【０１４４】
なお、突起３２８Ｃについては、第２案内通路３３２の入口部分３３２ａへ向けた遊技球の流路と同じ方向に延びいる（交差が回避されている）。これにより、突起３２８Ｃによって溝部３２３Ｃから当該入口部分３３２ａへ向けた遊技球の移動が妨げられることを抑制している。
【０１４５】
＜変形例８＞
上記第１の実施の形態に示した第１案内通路３３１の上流部分及び第２案内通路３３２の上流部分を同じ向きとし、上下又は前後に並設することも可能である。
【０１４６】
＜変形例９＞
上記第１の実施の形態では、左右の流路（左ルート及び右ルート）に開閉体３１６を各々配設したが、これに限定されるものではない。例えば、左右の流路の一方（特定の流路）に複数の開閉体３１６を当該特定の流路に沿うようにして並べて配設することも可能である。つまり、複数の開閉体３１６を並列となるようにして配設するのではなく直列となるようにして配設することも可能である。
【０１４７】
＜変形例１０＞
上記第１の実施の形態では、作動入球部８４，８５への入球に基づいて可変入賞ユニット３００への入球を可能とする手段として開閉体３１６を適用した構成について例示したが、これに限定されるものではない。例えば、スルーゲート８６への入球に基づいて作動入球部８５への入球を可能とする手段として上記開閉体３１６に相当する構成を適用してもよい。
【０１４８】
なお、遊技領域ＰＥにおける特定の流路に作動入球部８４への入球に基づいて動作する開閉体３１６と、スルーゲート８６への入球に基づいて動作する開閉体（開閉体３１６に相当する構成）とを配設することも可能である。
【０１４９】
＜変形例１１＞
上記第１の実施の形態では、遊技盤８０の中央に設けられた大型の可変入賞ユニット３００の入口部分に開閉体３１６を配設したが、少なくとも、有利度に差がある複数の通路を有する入賞装置の入口部分に配設される構成であれば足り、配設対象のサイズや配置箇所については任意である。
【０１５０】
＜変形例１２＞
上記第１の実施の形態では、可変入賞ユニット３００に流入した遊技球の案内先として、Ｖ入賞口３８６及び排出口３８８を設け、Ｖ入賞口３８６への入賞により大当たり（開閉実行モード）へ移行する構成としたがこれに限定されるものではない。例えばＶ入賞口３８６への入賞に基づいて作動入球部８４，８５に係る抽選モードが相対的に不利な低確率モードから相対的に有利な高確率モードへ移行する構成とすることも可能である。
【０１５１】
また、可変入賞ユニット３００に流入した遊技球の案内先については有利不利の差が設けられているのであれば足り、例えば排出口３８８を一般入賞口８１に相当する構成に変更することも可能である。また、２つの案内先のうち一方に遊技球が案内された場合には他方に遊技球が案内された場合よりも大当たりのラウンド数が多くなるように差を設けてもよい。
【０１５２】
更には、上記変形例３に示したように開閉体３１５を周期的に動作させる構成とする場合や、スルーゲート８６への入球によって開閉体３１５が開状態となる構成とする場合には、遊技球の案内先として作動入球部を設けることも可能である。このような構成には、抽選が遊技者にとって相対的に不利となるように設定された作動入球部と、相対的に有利となるように設定された作動入球部を併用し、それら作動入球部を遊技球の案内先として設定するとよい。
【０１５３】
＜変形例１３＞
上記第１の実施の形態では、作動入球部８４，８５への入球を契機とした抽選に当選した場合には、左右の開閉体３１５の両方が開状態に切り替わる構成としたが、これを以下のように変更してもよい。例えば、作動入球部８４，８５への入球を契機とした抽選により第１当選結果となった場合には左右の開閉体３１５の一方が開状態に切り替わり、第２当選結果となった場合には左右の開閉体３１５の両方が開状態に切り替わる構成とすることしてもよい。また、作動入球部８４，８５への入球を契機とした抽選により当選結果Ａとなった場合には左側の開閉体３１５が開状態に切り替わり、当選結果Ｂとなった場合には右側の開閉体３１５が開状態に切り替わり、当選結果Ｃとなった場合には左右両方の開閉体３１５が開状態に切り替わる構成としてもよい。
【０１５４】
＜変形例１４＞
上記第１の実施の形態では、作動入球部８４，８５への入球を契機として抽選を行い、その抽選に当選した場合に開閉体３１５が閉状態から開状態に切り替えられる構成とした、これに限定されるものではない。作動入球部８４，８５への入球が発生した場合には、その都度開閉体３１５が開状態に切り替えられる構成（抽選を行わない構成）とすることも可能である。
【０１５５】
＜第２の実施の形態＞
上記第１の実施の形態では開閉体３１６を樋状としたが、本実施の形態においては開閉体３１６の形状が上記第１の実施の形態と相違している。以下、図１７の概略図を参照して、第１の実施の形態との相違点を中心に本実施の形態における開閉体３１６Ｄ及びそれに関連する構成について補足説明する。図１７（ａ）は閉状態となっている開閉装置３１５Ｄを示す概略図、図１７（ｂ）は開状態となっている開閉装置３１５Ｄを示す概略図、図１７（ｃ）は開状態／閉状態の切り替わり途中の開閉装置３１５Ｄを示す概略図である。なお、図１７においては説明の便宜上、案内通路３３１Ｄ，３３２Ｄの入口部分３３１ａＤ，３３２ａＤを二点鎖線によって示しており、これら入口部分３３１ａＤ，３３２ａＤのうち遊技球の入球先となっているものにドットハッチングを付与している。
【０１５６】
本実施の形態に示す開閉装置３１５Ｄについても、上記第１の実施の形態に示した開閉装置３１５と同様に、流入口３１１を開閉可能な回動式の開閉体３１６Ｄと、当該開閉体３１６Ｄを回動させる駆動部（図示略）とを有してなる。
【０１５７】
開閉体３１６Ｄの本体部３２１Ｄは、駆動部の軸部が取り付けられた取付部３２２Ｄから回動中心軸線ＣＬ１方向に延びる肉厚一定の平板状をなしている。本体部３２１Ｄは回動中心軸線ＣＬ１からオフセットされており、回動中心軸線ＣＬ１側の板面（以下、内面部３２８Ｄという）及び当該内面部３２８Ｄとは反対側の板面（以下、外面部３２９Ｄという）の何れについても回動中心軸線ＣＬ１と平行となるように形成されている。
【０１５８】
図１７（ａ）に示すように、開閉装置３１５Ｄが閉状態となっている場合には、本体部３２１Ｄの外面部３２９Ｄとハウジング３０１の上面部３１０とが同一仮想平面上に位置しており、それらハウジング３０１の上面部３１０及び本体部３２１Ｄの外面部３２９Ｄによってハウジング３０１を左右に迂回する球通路３０８Ｄ（詳しくは遊技球の転動面）が形成されている。
【０１５９】
図１７（ｂ）に示すように、開閉装置３１５Ｄが開状態となっている場合、詳しくは開閉体３１６Ｄが最大回動位置に配置されている場合には、本体部３２１Ｄが流入口３１１の下方に位置し、本体部３２１Ｄの内面部３２８Ｄが流入口３１１に対して下方から対峙している。内面部３２８Ｄについては、取付部３２２Ｄ側とは反対側（球通路３０８Ｄの下流側）へ下り傾斜しており、第１案内通路３３１Ｄの入口部分３３１ａＤについては本体部３２１Ｄに対して当該傾斜方向における下流側に位置している。流入口３１１を通過して内面部３２８Ｄに載った遊技球は、内面部３２８Ｄに沿って転動し、第１案内通路３３１Ｄの入口部分３３１ａＤに向かうこととなる。つまり、開閉装置３１５Ｄが開状態となっている場合の遊技球の主たる案内先は第１案内通路３３１Ｄとなる。
【０１６０】
なお、取付部３２２Ｄには、開状態となっている場合に内面部３２８Ｄへ下り傾斜となるように形成された傾斜部３２２ａＤが設けられている。流入口３１１を通過する遊技球については傾斜部３２２ａＤに沿って移動することで加速され、流入口３１１を通過した後は速やかに第１案内通路３３１Ｄの入口部分３３１ａＤへと移動する。
【０１６１】
開閉装置３１５Ｄが開状態となっている状況下にて、当該開閉装置３１５Ｄの閉鎖条件が成立した場合には、開閉装置３１５Ｄが開状態から閉状態に切り替わることとなる。この際、図１７（ｂ）に示すように、内面部３２８Ｄ上に遊技球が位置している場合には、この遊技球の案内先は第２案内通路３３２Ｄとなる。本実施の形態では、第２案内通路３３２Ｄの入口部分３３２ａＤが開閉体３１６Ｄの下方から遊技機前方に拡張されている。具体的には、入口部分３３２ａＤは、流入口３１１と開閉体３１６Ｄを隔てて対峙する範囲だけでなく、その前方となる範囲に及んでいる。図示は省略しているが、第２ハウジング構成体にて入口部分３３２ａＤの前壁部を形成している部分については遊技機前方にオフセットされており、開状態においては当該前壁部と開閉体３１６Ｄとの間に遊技球が通過可能な大きさの隙間が確保されている。但し、開状態においては内面部３２８Ｄが僅かながら後方に下り傾斜となるように傾いており、当該内面部３２８Ｄ上の遊技球が当該隙間を通じて第２案内通路３３２へ流入することが抑制されている。
【０１６２】
図１７（ｂ）→図１７（ｃ）に示すように、開閉装置３１５Ｄが開状態から閉状態に切り替わる際には、開閉体３１６Ｄの姿勢が変化することにより、内面部３２８Ｄが遊技機前方に下り傾斜となる。これにより、内面部３２８Ｄ上に位置している遊技球は進路を変え、第２案内通路３３２Ｄの入口部分３３２ａＤへ流入することとなる。つまり、開状態から閉状態への切り替わりのタイミングにて内面部３２８Ｄ上に位置している遊技球の振り分け先は第２案内通路３３２となる。
【０１６３】
また、本実施の形態においては、開状態から閉状態へ切り替わる際に開閉体３１６Ｄの内面部３２８が遊技機前方を向いた状態を経由することとなるが、上記第１の実施の形態とは異なり、この状態では、流入口３１１及び入口部分３３２ａＤの両方が開放され、それら流入口３１１及び入口部分３３２ａＤが連通する。このタイミングで流入口３１１へ流入した遊技球については、そのまま第２案内通路３３２Ｄの入口部分３３１ａＤに入ることとなる。
【０１６４】
以上詳述した第２の実施の形態によれば、開閉装置３１５Ｄが開状態から閉状態に切り替わる場合には、内面部３２８Ｄ上に位置する遊技球が速やかに第２案内通路３３２Ｄの入口部分３３２ａＤに移動することとなる。また、開状態から閉状態に切り替わる過程で流入口３１１と入口部分３３２ａＤが直通となることにより、当該切替のタイミングで流入口３１１に流入した遊技球についても入口部分３３２ａＤへ速やかに移動することとなる。
【０１６５】
＜変形例１＞
上記第２の実施の形態では、開状態（詳しくは開閉体３１６Ｄが最大回動位置に配置された状態）では、内面部３２８Ｄが第２案内通路３３２Ｄ側とは反対側（後方）に僅かに下り傾斜となるように構成することで、第２案内通路３３２Ｄへ向けた遊技球の動きを抑制する構成としたがこれに限定されるものではない。例えば、上述した傾斜に代えて又は加えて、第２案内通路３３２Ｄへ向けた遊技球の動きを抑制する他の構成を設けることも可能である。すなわち、図１７（ｂ）の破線に例示しているように、開閉体３１６Ｄの端部であって開状態となっている場合に前側に位置する端部に、上方に起立する起立部３２８ａＺを設け、当該起立部３２８ａＺによって第２案内通路３３２Ｄへ向けた遊技球の移動を妨げる構成とすることも可能である。但し、起立部の起立量については開状態から閉状態への切り替えの際に内面部３２８Ｄ上に位置する遊技球が当該起立部３２８ａＺを乗り越えることが可能となる程度とすることが好ましい。
【０１６６】
＜変形例２＞
上記第２の実施の形態に示した第２案内通路３３２Ｄの入口部分３３２ａＤの位置及び大きさについては任意であり、例えば上記第１の実施の形態に示した第２案内通路３３２の入口部分３３２ａと同じ位置及び大きさとすることも可能である。
【０１６７】
＜変形例３＞
上記第２の実施の形態では、内面部３２８Ｄ及び外面部３２９Ｄを平行となるように形成したが、これに限定されるものではない。内面部３２８Ｄ及び外面部３２９Ｄを非平行とすることも可能である。また、内面部３２８Ｄ及び外面部３２９Ｄを平面状とする必要は必ずしもなく、少なくとも何れかを曲面状とすることを否定するものではない。
【０１６８】
＜第３の実施の形態＞
本実施の形態に示す可変入賞ユニット４００においては、当該可変入賞ユニット４００の上部に球通路４０８が形成され、この球通路４０８の途中位置に設けられた流入口４１１を開閉装置４１５によって開閉する構成となっている点で、第１の実施の形態に示した可変入賞ユニット３００と構成が一致しているものの、開閉装置及びそれに関連する構成が第１の実施の形態と相違している。詳しくは、上記第１の実施の形態においては開閉体３１６の回動中心軸線ＣＬ１が遊技盤ユニット８０の前面と平行な向きとなるようにして開閉装置３１５を構成したが、本実施の形態においては開閉体４１６の回動中心軸線ＣＬ２が遊技盤ユニット８０の前面と交差（直交）する向きとなるようにして開閉装置４１５を構成している点で第１の実施の形態と相違している。以下、図１８及び図１９を参照して、第１の実施の形態との相違点を中心に、本実施の形態における開閉装置４１５及びそれに関連する構成について説明する。図１８は開閉装置４１５及びその周辺構成を遊技機前方から見た斜視図、図１９（ａ）は開閉体４１６の正面図、図１９（ｂ）は開閉装置４１５の縦断面図である。なお、本実施の形態においては、
図１８に示すように、開閉装置４１５は、開閉体４１６と、当該開閉体４１６用の駆動部４１７（図１９（ｂ）参照）とを有してなり、可変入賞ユニット４００（ハウジング４０１）の上面部４１０に形成された流入口４１１への入球を許容する開状態（図１８（ｂ）参照）と流入口４１１への入球を不可とする閉状態（図１８（ａ）参照）とに切替可能となっている。
【０１６９】
開閉体４１６は回動中心軸線ＣＬ２を中心とする円柱状をなしており、その外周部分の一部が流入口４１１を通じて露出している。外周部分には回動中心軸線ＣＬ２側に凹む凹部４２３が形成されている。この凹部４２３は、１の遊技球を収容可能な大きさとなっており、回動中心軸線ＣＬ２の放射方向に開放されている。以下、この開放された部分を第１開放部４２４という。
【０１７０】
本実施の形態においては、閉状態となっている場合には凹部４２３の第１開放部４２４が左斜め下方を向いている。開状態に移行する場合には、当該閉状態から開閉体４１６を遊技機正面視にて時計回り方向に１２０°回動させることで、凹部４２３の第１開放部４２４を上方、すなわち流入口４１１側に向ける。開状態においては、この第１開放部４２４が上記流入口４１１と連通した状態となることで流入口４１１を通過した遊技球が凹部４２３に入ることとなる。また、開状態から閉状態へ復帰する場合には、開閉体４１６を遊技機正面視にて反時計回り方向に１２０°回動させる。これにより、凹部４２３の第１開放部４２４が再び左斜め下方を向くこととなる。
【０１７１】
図１９に示すように、凹部４２３は、遊技機後方に開放されており（以下、第２開放部４２５という）、上記ハウジング４０１を構成する後側の第１ハウジング構成体４０５には、開閉装置４１５が開状態となっている場合に第２開放部４２５と連通するようにして第１案内通路４３１の入口部分４３１ａが形成されている。
【０１７２】
凹部４２３の底部４２８については入口部分４３１ａ側（後方）へ僅かに下り傾斜しており、当該底部４２８に載った遊技球については、入口部分４３１ａ側へ転動することとなる。なお、開閉体４１６の厚さ寸法については、遊技球の直径寸法よりも大きく（具体的には１．５倍程度）なっており、且つ、上記上面部４１０については、遊技前方に僅かに下り傾斜となるように形成されている。このため、上面部４１０に沿って移動する遊技球は前側に偏倚し、凹部４２３に入った場合には底部４２８にて入口部分４３１ａから遠い位置に載ることとなる。これにより、流入口４１１に流入した遊技球が入口部分４３１ａへ到達するのにはある程度の期間を要する構成となっている。
【０１７３】
開閉装置４１５が閉状態となった場合には、開閉体４１６の外周部分にて凹部４２３が形成されていない部分（以下、外面部４２７という）が、流入口４１１に位置し、当該外面部４２７及びハウジング４０１の上面部４１０によって球通路４０８における遊技球の転動面が形成されることとなる。
【０１７４】
ここで、図１８に示すように、ハウジング４０１には、開閉体４１６の外周部分と対向する対向壁部４１２が設けられている。開閉体４１６が回動することで凹部４２３の向きが変化するが、この際、凹部４２３からの遊技球の流出が当該対向壁部４１２によって阻止されることとなる。対向壁部４１２には、遊技球が通過可能な陥欠部４１３が形成されている。陥欠部４１３は、対向壁部４１２における下側部分に設けられており、開閉装置４１５が閉状態となった場合に凹部４２３の第１開放部４２４と対峙することとなる（図１８（ａ）参照）。
【０１７５】
この陥欠部４１３を挟んで開閉体３１６とは反対側となる位置（下方）には、第２案内通路４３２の入口部分４３２ａが設けられている。陥欠部４１３を通じて開閉体４１６の凹部４２３から流出した遊技球については、第２案内通路４３２へ流入することとなる。
【０１７６】
以下、図２０の概略図を参照して、本実施の形態に示す開閉装置４１５について、第２案内通路４３２への遊技球の振り分けの流れについて説明する。
【０１７７】
図２０（ａ）に示すように、開閉装置４１５が開状態となっている場合には、球通路４０８を流下する遊技球は流入口４１１を通じて開閉体４１６の凹部４２３に流入する。凹部４２３に流入した遊技球については、凹部４２３の底部４２８の傾斜によって第１案内通路４３１の入口部分４３１ａに向かうこととなる。
【０１７８】
底部４２８上に遊技球が位置しているタイミングにて開閉装置４１５の閉鎖条件が成立した場合には、図２０（ａ）→図２０（ｂ）に示すように、開閉体４１６が遊技機正面視にて反時計回り方向に回動する。これにより、底部４２８に位置する遊技球が開閉体４１６とともに回動し、凹部４２３の第２開放部４２５と第１案内通路４３１の入口部分４３１ａとの連通が解除される。これにより、当該遊技球が凹部４２３内、詳しくは開閉体４１６、第１ハウジング構成体４０５、第２ハウジング構成体４０６によって囲まれた空間内に閉じ込められ、当該凹部４２３からの流出が回避される。
【０１７９】
図２０（ｂ）→図２０（ｃ）に示すように、遊技機正面視にて反時計回り方向への開閉体４１６の回動が続くことにより、凹部４２３の第１開放部４２４が対向壁部４１２の陥欠部４１３に連通した状態となる。これにより、凹部４２３に位置していた遊技球は、開閉体４１６から離れ、第２案内通路４３２の入口部分４３２ａに流入することとなる。
【０１８０】
＜変形例１＞
上記第３の実施の形態では、凹部４２３に１の遊技球のみが滞在可能となるように凹部４２３の大きさを制限したが、これに限定されるものではない。凹部４２３に複数の遊技球が同時に滞在可能となるように凹部４２３を拡張することも可能である。
【０１８１】
＜変形例２＞
上記第３の実施の形態では、開状態／閉状態に切り替える場合の開閉体４１６の回動角度を１２０°となるように設定したが、これに限定されるものではない。少なくとも第１開放部４２４を通じて第２案内通路４３２へ遊技球を振り分けることができる、すなわち凹部４２３に位置する遊技球が当該凹部４２３から第２案内通路４３２の入口部分４３２ａに案内することができるのであれば、開閉体４１６の回動角度については任意に変更してもよい。
【０１８２】
＜変形例３＞
上記第３の実施の形態に示した開閉装置４１５では、遊技機正面視にて開閉体４１６を反時計回り方向に回動させることで開状態から閉状態に切り替え、時計回り方向に回動させることで閉状態から開状態に切り替える構成としたが、これらの回動方向を逆にすることも可能である。
【０１８３】
また、閉状態から開状態に切り替える場合の回動方向と、開状態から閉状態に切り替える場合の回動方向とを同じ方向とすることも可能である。
【０１８４】
＜変形例４＞
上記第３の実施の形態では、凹部４２３に位置する遊技球が第１案内通路４３１へ向かう場合には第２開放部４２５を通過し、凹部４２３に位置する遊技球が第２案内通路４３２へ向かう場合には第１開放部４２４を通過する構成とした。すなわち、凹部４２３からの遊技球の流出口を個別とした。これを変更し、凹部４２３に位置する遊技球が第１案内通路４３１及び第２案内通路４３２の何れに向かう場合であっても流出口を共用とすることも可能である。例えば、凹部４２３に位置する遊技球が第１案内通路４３１及び第２案内通路４３２の何れに向かう場合であっても第１開放部４２４を経由する構成とすることも可能である。この場合、第２案内通路４３２の入口部分４３２ａについても第１案内通路４３１の入口部分４３１ａと同様に遊技機前方を向く構成とすればよい。
【０１８５】
＜第４の実施の形態＞
本実施の形態に示す可変入賞ユニット４００Ａは主たる構成が第３の実施の形態に示した可変入賞ユニット４００と共通となっているものの、開閉装置及びそれに付随する構成が第３の実施の形態と相違している。以下、図２１を参照して、本実施の形態における開閉装置４１５Ａを、第３の実施の形態に示した開閉装置４１５との相違点を中心に説明する。図２１（ａ）は閉状態となっている開閉装置４１５Ａを遊技機正面から見た斜視図、図２１（ｂ）は開状態となっている開閉装置４１５Ａを遊技機正面から見た斜視図である。
【０１８６】
図２１に示すように、開閉体４１６Ａは、回動中心軸線ＣＬ２を中心とする円柱状をなしている点で第３の実施の形態と同様であるものの、凹部４２３に代えて、遊技機前方に開放された溝状の通路部４２３Ａが形成されている。通路部４２３Ａは、開閉体４１６Ａの外周部分について周方向における異なる２つの箇所を繋ぐように延びており、それら２箇所にて外側に開放されている。本実施の形態においては、この通路部４２３Ａに入った遊技球が第１案内通路４３１Ａ及び第２案内通路４３２Ａに振り分けられることとなる。以下の説明では当該通路部４２３Ａへの入口部分として機能する開放部分を第１開放部４２４Ａ、出口部分として機能する開放部分を第２開放部４２５Ａとして区別する。
【０１８７】
通路部４２３Ａについてはその途中位置にて屈曲しており、全体として略へ字状をなしている。第１開放部４２４Ａと第２開放部４２５Ａとは、通路部４２３Ａの屈曲部分よりも上流側の通路方向及び下流側の通路方向の何れの方向に見ても重ならない構成となっており、通路部４２３Ａを通過する遊技球の移動速度の上昇が抑えられている。
【０１８８】
本実施の形態においては、第１案内通路４３１Ａ及び第２案内通路４３２Ａが開閉体４１６Ａの下方に配設されている。具体的には、第１案内通路４３１Ａの入口部分４３１ａが左側、第２案内通路４３２Ａの入口部分４３２ａが右側となるようにして左右に並設されている。
【０１８９】
可変入賞ユニット４００Ａのハウジング４０１Ａには、上記第３の実施の形態と同様に、開閉体４１６Ａの外周面に対向する対向壁部４１２Ａが形成されている。この対向壁部４１２Ａにて第１案内通路４３１Ａの入口部分４３１ａに対峙する部分には、遊技球が通過可能な第１陥欠部４１３Ａが形成されており、第２案内通路４３２Ａの入口部分４３２ａに対峙する部分には、遊技球が通過可能な第２陥欠部４１４Ａが形成されている。通路部４２３Ａの第２開放部４２５Ａが第１陥欠部４１３Ａに連通している場合には、通路部４２３Ａに位置する遊技球の振り分け先が第１案内通路４３１Ａとなり、通路部４２３Ａの第２開放部４２５Ａが第２陥欠部４１４Ａに連通している場合には、通路部４２３Ａに位置する遊技球の振り分け先が第２案内通路４３２Ａとなる。
【０１９０】
図２１（ａ）に示すように開閉装置４１５Ａが閉状態となっている場合には、開閉体４１６Ａの外周部分にて開放部４２４Ａ，４２５Ａが形成されていない部分（以下、外面部４２９Ａという）が流入口４１１に位置している。つまり、開閉体４１６Ａの外面部４２９Ａによって球通路４０８Ａにおける遊技球の転動面が補完されている。これにより、球通路４０８Ａに沿って流下する遊技球の流入口４１１への流入が不可となっている。
【０１９１】
閉状態においては、第１開放部４２４Ａは対向壁部４１２Ａと対峙しており且つ第２開放部４２５Ａは第２陥欠部４１４Ａ及び第２案内通路４３２Ａの入口部分４３２ａと連通している。通路部４２３Ａは縦向きとなっているため、当該通路部４２３Ａに位置する遊技球については、通路部４２３Ａに沿って流下することで第２案内通路４３２Ａへ流入することとなる。
【０１９２】
なお、通路部４２３Ａの通路幅等は遊技球の直径寸法よりも僅かに大きい程度となっており、同一箇所を複数の遊技球が同時に通過できない構成となっている。これにより、通路部４２３Ａ内での球詰まりの発生が抑制している。
【０１９３】
図２１（ａ）→図２１（ｂ）に示すように、閉状態から開閉体４１６Ａを遊技機正面視にて反時計回り方向に回動させることにより、第１開放部４２４Ａ及び第２開放部４２５Ａの両方が上昇し、回動角度が５０°となることで開閉体４１６Ａの第１開放部４２４Ａが流入口３１１と連通する。この状態（開状態）では、球通路４０８Ａを流下する遊技球は流入口３１１に流入し、第１開放部４２４Ａを通じて通路部４２３Ａに到達することとなる。
【０１９４】
閉状態においては、第２開放部４２５Ａが第１陥欠部４１３Ａ及び第１案内通路４３１Ａの入口部分４３１ａと連通している。通路部４２３Ａは縦向きとなっているため、当該通路部４２３Ａを通過する遊技球については第１案内通路４３１Ａへ流入することとなる。
【０１９５】
以下、図２２の概略図を参照して、本実施の形態に示す開閉装置４１５Ａについて、第２案内通路４３２Ａへの遊技球の振り分けの流れについて説明する。
【０１９６】
図２２（ａ）に示すように、開閉装置４１５Ａが開状態となっている場合には、球通路４０８Ａを流下する遊技球は流入口４１１を通じて開閉体４１６Ａの通路部４２３Ａに流入する。通路部４２３Ａに流入した遊技球については、当該通路部４２３Ａに沿って流下し、第１案内通路４３１Ａの入口部分４３１ａＡに向かうこととなる。
【０１９７】
通路部４２３Ａ内に遊技球が位置しているタイミングにて開閉装置４１５Ａの閉鎖条件が成立した場合には、図２２（ａ）→図２２（ｂ）に示すように、開閉体４１６Ａが遊技機正面視にて反時計回り方向に回動する。これにより、通路部４２３Ａに位置する遊技球が開閉体４１６Ａとともに回動し、通路部４２３Ａの第２開放部４２５Ａと第１案内通路４３１Ａの入口部分４３１ａＡとの連通が解除される。つまり、第２開放部４２５Ａは上述した対向壁部４１２Ａによって外側から覆われた状態となる。これにより、当該遊技球が通路部４２３Ａ内、詳しくは開閉体４１６Ａ、第１ハウジング構成体４０５Ａ、第２ハウジング構成体４０６Ａによって囲まれた空間内に閉じ込められ、当該通路部４２３Ａからの流出が回避される。
【０１９８】
なお、本実施の形態に示す通路部４２３Ａについては、当該通路部４２３Ａ内に複数の遊技球が同時に位置し得るように通路長が設定されている。図２２においては１の遊技球のみが通路部４２３Ａ内に閉じ込められた場合について例示しているが、複数の遊技球が通路部４２３Ａに位置している場合であっても同様である。
【０１９９】
図２２（ｂ）→図２２（ｃ）に示すように、遊技機正面視にて反時計回り方向への開閉体４１６Ａの回動が続くことにより、通路部４２３Ａの第２開放部４２５Ａが対向壁部４１２Ａの第２陥欠部４１４Ａに連通した状態となる。これにより、通路部４２３Ａに位置していた遊技球は、開閉体４１６Ａから離れ、第２案内通路４３２Ａの入口部分４３２ａＡに流入することとなる。
【０２００】
＜変形例１＞
上記第４の実施の形態では、通路部４２３Ａの入口部分として機能する第１開放部４２４Ａと出口部分として機能する第２開放部４２５Ａとが通路部の通路方向にて重ならないように、当該通路部４２３Ａを途中位置で屈曲させる構成としたが、これに限定されるものではない。例えば、通路部を直線状に形成して第１開放部４２４Ａと第２開放部４２５Ａとが通路方向にて重なる構成とすることも可能である。
【０２０１】
＜変形例２＞
上記第４の実施の形態では、通路部４２３Ａの途中位置にて屈曲させて当該通路部４２３Ａを通過する遊技球の通路壁面への衝突を促すことで遊技球の滞在期間を引き延ばす構成としたが、遊技球の滞在期間を引き延ばすための具体的構成については任意であり、例えば、通路壁面に突起等を形成して、当該突起に遊技球が当たって減速することで滞在期間を引き延ばす構成とすることも可能である。
【０２０２】
＜変形例３＞
上記第４の実施の形態では、開状態から閉状態への切り替えを行う場合に、開閉体４１６Ａの回動に伴って第２開放部４２５Ａの高さ位置が下がる構成としたが、これに限定されるものではない。開状態から閉状態への切り替えを行う場合に、開閉体４１６Ａの回動に伴って第２開放部４２５Ａの高さ位置が上がる構成とすることも可能である。これにより、通路部４２３Ａにおける下流部分にて遊技球の移動速度の上昇を抑えることができるため、閉状態への切り替わりのタイミングにて通路部４２３Ａの出口付近に位置する遊技球についても第２案内通路４３２Ａへの入球機会を増やすことができる。例えば図２２（ａ）に示す向きとは反対側に通路部４２３Ａを屈曲させるとよい。
【０２０３】
＜変形例４＞
第１案内通路４３１Ａ及び第２案内通路４３２Ａの入口付近に配設される遊技球用の検知センサを開閉体４１６Ａに移設し、当該開閉体４１６Ａの通路部４２３Ａを通過する遊技球を検知する構成とすることも可能である。
【０２０４】
＜変形例５＞
上記第４の実施の形態に示した開閉装置４１５Ａでは、遊技機正面視にて開閉体４１６Ａを反時計回り方向に回動させることで開状態から閉状態に切り替え、時計回り方向に回動させることで閉状態から開状態に切り替える構成としたが、これらの回動方向を逆にすることも可能である。
【０２０５】
また、閉状態から開状態に切り替える場合の回動方向と、開状態から閉状態に切り替える場合の回動方向とを同じ方向とすることも可能である。
【０２０６】
＜変形例６＞
上記第５の実施の形態に示した開閉体４１６Ａの通路部４２３Ａを途中位置にて分岐させる構成とすることも可能である。以下、図２３の概略図を参照して、その具体例について説明する。
【０２０７】
本変形例に示す開閉装置４１５Ｂにおいては、開閉体４１６Ｂに形成された通路部４２３Ｂが途中位置にて２股に分岐しており、通路部４２３Ｂの出口部分として第２開放部４２５Ｂ及び第３開放部４２６Ｂが設けられている。図２３（ａ）に示す閉状態においては、入口部分として機能する第１開放部４２４Ｂ及び第３開放部４２６Ｂが上向きとなり、それら第１開放部４２４Ｂ及び第３開放部４２６Ｂの間に設けられた第２開放部４２５Ｂが下向きとなっている。開閉体４１６Ｂを囲む対向壁部４１２Ｂには、それら３つの開放部４２４Ｂ，４２５Ｂ，４２６Ｂに各々対応する３つの陥欠部４１３ａＢ，４１４Ｂ，４１３ｂＢが設けられている。
【０２０８】
第１陥欠部４１３ａＢ及び第３陥欠部４１３ｂＢは、第１案内通路４３１Ｂの入口部分４３１ａＢに連通しており、それら第１陥欠部４１３ａＢ及び第３陥欠部４１３ｂＢを通過した遊技球は、第１案内通路４３１Ｂに流入することとなる。第２陥欠部４１４Ｂは、第２案内通路４３２Ｂの入口部分４３２ａＢに連通しており、当該第２陥欠部４１４Ｂを通過した遊技球は、第２案内通路４３２Ｂに流入することとなる。
【０２０９】
図２３（ａ）に示すように、閉状態では、第１開放部４２４Ｂ及び第３開放部４２６Ｂが対向壁部４１２Ｂに覆われているのに対して、第２開放部４２５Ｂが第２陥欠部４１４Ｂに連通している。このため、通路部４２３Ｂ内に位置する遊技球は、第２開放部４２５Ｂに向かい、当該第２開放部４２５Ｂ及び第２陥欠部４１４Ｂを通じて第２案内通路４３２Ｂへ振り分けられることとなる。
【０２１０】
図２３（ｂ）に示すように、開状態では、第１開放部４２４Ｂが流入口４１１に連通し、球通路４０８Ｂを流下する遊技球は当該流入口４１１を通じて通路部４２３Ｂへ流入する。そして、第２開放部４２５Ｂ及び第３開放部４２６Ｂは、第１陥欠部４１３ａＢ及び第３陥欠部４１３ｂＢに各々連通しており、通路部４２３Ｂに流入した遊技球は、第１案内通路４３１Ｂへ振り分けられることとなる。
【０２１１】
ここで、図２４〜図２６を参照して、第２案内通路４３２Ｂへの遊技球の案内の流れについて説明する。
【０２１２】
図２４（ａ）に示すように、開閉装置４１５Ｂの閉鎖条件が成立し、開閉体４１６Ｂが遊技機正面視にて反時計回り方向への回動を開始するタイミングにて、通路部４２３Ｂにおける分岐位置よりも上流側となる位置に遊技球が位置している場合には、図２４（ａ）→図２４（ｂ）に示すように、開閉体４１６Ｂが回動することにより、第２開放部４２５Ｂ及び第３開放部４２６Ｂが対向壁部４１２Ｂによって覆われた状態となる。そして、上記遊技球は、通路壁部によって押されることで第２開放部４２５Ｂ側へ案内される。図２４（ｃ）に示すように、開閉装置４１５Ｂの閉状態への切り替えが完了することに合せて、第２開放部４２５Ｂが第２陥欠部４１４Ｂと連通し、第２案内通路４３２Ｂへの案内経路が確保される。その後、通路部４２３Ｂに沿って流下した遊技球は、第２開放部４２５Ｂ及び第２陥欠部４１４Ｂを通じて第２案内通路４３２Ｂへ振り分けられることとなる。
【０２１３】
次に、図２５を参照して、開閉装置４１５Ｂの閉鎖条件が成立し、開閉体４１６Ｂが遊技機正面視にて反時計回り方向への回動を開始するタイミングにて、遊技球が第２開放部４２５Ｂ側の分岐通路部に位置している場合について説明する。この場合には、図２５（ａ）→図２５（ｂ）に示すように、開閉体４１６Ｂの回動に伴い当該分岐通路部の底面を形成している部分が降下することで、遊技球が支えを失う。この結果、当該遊技球については下方への落下の動きが顕著となり、移動方向が変化する。この結果、第１陥欠部４１３ａＢへの移動が困難となる。図２５（ｂ）に示すように、開閉体４１６Ｂの回動が進むことで、第２開放部４２５Ｂが対向壁部４１２Ｂによって覆われた状態となり、当該第２開放部４２５Ｂを通じた遊技球の流出が阻止されることとなる。その後、図２５（ｃ）に示すように、開閉体４１６Ｂの回動が完了することで、第２開放部４２５Ｂと第２陥欠部４１４Ｂとが連通し、上記遊技球は第２開放部４２５Ｂ及び第２陥欠部４１４Ｂを通じて第２案内通路４３２Ｂへ流入することとなる。
【０２１４】
次に、図２６を参照して、開閉装置４１５Ｂの閉鎖条件が成立し、開閉体４１６Ｂが遊技機正面視にて反時計回り方向への回動を開始するタイミングにて、遊技球が第３開放部４２６Ｂ側の分岐通路部に位置している場合について説明する。この場合には、図２６（ａ）→図２６（ｂ）に示すように、当該分岐通路部の底面を形成している部分が上昇することで、遊技球が分岐位置へ押し戻される。これにより、当該遊技球の第３開放部４２６Ｂ側への移動が妨げられることとなる。このような積極的に遊技球に作用したとしても、第２開放部４２５Ｂからは遠いため、押された遊技球がそのまま第２開放部４２５Ｂに向かうことを抑制できる。図２６（ｂ）→図２６（ｃ）に示すように、開閉体４１６Ｂの回動が進み、開閉体４１６Ｂの回動が完了することで、第２開放部４２５Ｂと第２陥欠部４１４Ｂとが連通する。この状態では、第３開放部４２６Ｂ側の分岐通路部は第２開放部４２５Ｂ側の分岐通路部に向けて下り傾斜となる。このため、第３開放部４２６Ｂ側の分岐通路部に位置している遊技球については、第２開放部４２５Ｂ側の分岐通路部へ移り、第２開放部４２５Ｂ及び第２陥欠部４１４Ｂを通じて第２案内通路４３２Ｂへ流入することとなる。
【０２１５】
なお、本変形例においては、第２開放部４２５Ｂが形成されている分岐通路部の長さと、第３開放部４２６Ｂが形成されている分岐通路部の長さとを同一した場合について例示しているが、これに限定されるものではない。各分岐通路部の長さを相違させてもよい。これにより、何れの分岐通路部を通過しているかによって第２案内通路４３２Ｂへの振り分け確率に差を生じさせることができる。また、分岐通路部の通過所要期間に差を設ける上では、必ずしも通路長を相違させる必要はない。開閉体４１６Ｂの小型化を実現する上では分岐通路部に突起等の減速手段を配設して遊技球の通過速度に差を設けてもよいし、閉状態における分岐通路部の傾きに差を設けることで遊技球の通過速度に差を設けてもよい。
【０２１６】
また、本変形例においては、閉状態にて通路部４２３Ｂに流入し分岐位置へ到達した遊技球が第２開放部４２５Ｂ側の分岐通路部へ移動する確率と第３開放部４２６Ｂ側の分岐通路部へ移動する確率とが同じとなるように構成したが、これに限定されるものではない。一方の分岐通路部へ移動する確率が他方の分岐通路部へ移動する確率よりも高くなるように差を設けてもよい。
【０２１７】
上記各変形例を組み合わせて分岐通路部の通過に要する期間が長い側の分岐通路部へ遊技球が移動する確率が、通過に要する期間が短い側の分岐通路部へ遊技球が移動する確率よりも低くなるように差を設けることにより実用上好ましい構成を実現できる。
【０２１８】
＜変形例７＞
上記第４の実施の形態に示した開閉体４１６Ａに代えて、上記第３の実施の形態に示した開閉体４１６を適用することも可能である。この場合、開閉体４１６を時計回り方向に回動させることで凹部４２３に位置する遊技球を第１案内通路４３１Ａ及び第２案内通路４３２Ａの一方に案内され、開閉体４１６を反時計回り方向に回動させることで凹部４２３に位置する遊技球を第１案内通路４３１Ａ及び第２案内通路４３２Ａの他方に案内する構成とするとよい。
【０２１９】
＜変形例８＞
通路部４２３Ａの折れ曲り部分にて通路内側に凸となっている部分（凸部又は頂部）を面取することり（トリム等により平面部や曲面部を形成すること）により、通路部４２３Ｂを通過する遊技球が凸部に当たった際の挙動の乱れを抑制できる。
【０２２０】
特に、上記変形例６に示した通路部４２３Ｂにおいては通路の分岐部分に凸部が形成されている。仮にそれら凸部に変形が生じると、第２開放部４２５Ｂ側及び第３開放部４２６Ｂ側への遊技球の振り分け率が設計値から大きくかい離すると懸念される。そこで、それら分岐部分の凸部についても面取り（トリム）によって変形を抑える構成とすることにより、上記不都合の発生を抑制するとよい。
【０２２１】
なお、凸部の面取りによって凸部に平面部や曲面部を形成する場合には、それら平面部や曲面部の形成範囲を第２開放部４２５Ｂ側又は第３開放部４２６Ｂ側に偏らせる構成としてもよい。例えば、図２４（ａ）に示すように第１開放部４２４Ｂが上方を向いている状態にて当該第１開放部４２４Ｂの直下に位置する凸部を斜めに面取りして、第２開放部４２５Ｂ側への通路及び第３開放部４２６Ｂ側への通路の一方を他方よりも長くなるように偏重させることにより、第１開放部４２４Ｂを通過した遊技球を第２開放部４２５Ｂ側及び第３開放部４２６Ｂのうち前者側へ移動しやすくしたり、後者側へ移動しやすくしたりさせることができる。図２４（ａ）に示す例では、分岐部分に３つの凸部が形成されているが、それら各凸部について遊技球の案内先の偏りが相違するように面取りを行うことにより、遊技球の振分態様の更なる多様化を好適に実現できる。
【０２２２】
＜第５の実施の形態＞
本実施の形態に示す可変入賞ユニット５００においては、当該可変入賞ユニット５００の上部に球通路３０８が形成され、この球通路３０８の途中位置に設けられた流入口５１１を開閉装置５１５によって開閉する構成となっている点で、第１の実施の形態に示した可変入賞ユニット３００と構成が一致しているものの、開閉装置及びそれに関連する構成が第１の実施の形態と相違している。詳しくは、上記第１の実施の形態においては開閉体３１６の回動中心軸線ＣＬ１が遊技盤ユニット８０の前面に対して平行となるようにして開閉装置３１５を構成したが、本実施の形態においては開閉体の回動中心軸線が遊技盤ユニットの前面に対して交差（直交）するようにして開閉装置を構成している点で第１の実施の形態と相違している。以下、図２７及び図２８を参照して、第１の実施の形態との相違点を中心に、本実施の形態における開閉装置及びそれに関連する構成について説明する。図２７は開閉装置及びその周辺構成を遊技機前方から見た概略図である。なお、図２７においては可変入賞ユニットに設けられた案内通路を２点鎖線によって示している。
【０２２３】
図２７に示すように、開閉装置５１５は、開閉体５１６と、当該開閉体５１６用の駆動部（図示略）とを有してなり、可変入賞ユニット５００（ハウジング５０１）の上面部５１０に形成された流入口５１１への入球を許容する開状態と流入口５１１への入球を不可とする閉状態とに切替可能となっている。
【０２２４】
開閉体５１６は、上面部５１０によって形成される球通路５１４の通路方向と同じ方向に延びる長板状をなしており、一方の板面が上方を向くようにして配置されている。開閉装置５１５が閉状態となっている場合には、開閉体５１６が流入口５１１に位置し、当該開閉体５１６の板面によって球通路５１４における遊技球の転動面が補完されている。
【０２２５】
具体的には、開閉体５１６については、球通路５１４の通路方向における中間部分に段差部５１７が形成されており、当該段差部５１７に対して傾斜方向における上流側が上段部５１６ａ、下流側が下段部５１６ｂとなっている。閉状態においては、それら上段部５１６ａ及び下段部５１６ｂのうち上段部５１６ａによって流入口５１１が塞がれており、当該上段部５１６ａによって上記転動面が補完されている。
【０２２６】
ここで、上面部５１０にて流入口５１１に対して上流側に位置する部分（以下、上流部分５１０ａという）については、下流部分５１０ｂよりも上側にオフセットしている。そして、閉状態においては、開閉体５１６の上段部５１６ａが下流部分５１０ｂと同一平面上に位置し、上流部分５１０ａと開閉体５１６との間に段差が生じている。なお、開閉体５１６の下段部５１６ｂについては、下流部分５１０ｂに下方から重なっており、球通路５１４を通過する遊技球への干渉が回避されている。
【０２２７】
開閉体５１６については遊技盤８０ａの前面と平行な方向であって且つ球通路５１４の通路方向（流入口５１１の向き又は開閉体５１６の傾斜方向）と交差する方向にスライド移動可能な状態で保持されている。閉状態から開状態へ切り替わる場合には、当該開閉体５１６が下側（詳しくは左下方向）へスライド移動することで流入口５１１が開放される。これに対して、開状態から閉状態へ切り替わる場合には、当該開閉体５１６が上側（詳しくは右上方向）へスライド移動することで流入口５１１が塞がれることとなる。
【０２２８】
流入口５１１の直下となる位置には、第１案内通路５３１の入口部分５３１ａが配設されている。この入口部分５３１ａは上向きとなっており、流入口５１１に対して下方から対峙している。この入口部分５３１ａに対して開閉体５１６の傾斜方向における下流側（図２７における右側）となる位置には第２案内通路５３２の入口部分５３２ａが配設されている。この入口部分５３２ａは上向きとなっており、上面部５１０の下流部分５１０ｂに対して下方から対峙している。
【０２２９】
本実施の形態では、開閉装置３１５の動作契機となった当たり種別により開閉装置５１５の開状態が相対的に第２案内通路５３２へ振り分けられにくい第１開状態と、相対的に第２案内通路４３２へ振り分けられやすい第２開状態とに分かれる構成となっている。具体的には第１の当たり結果となった場合には第１開状態となり当該第１開状態が所定の期間に亘って維持され、第２の当たり結果となった場合には第２開状態となり当該第２開状態が所定の期間に亘って維持されるように区別されている。ここで、図２８を参照して、第１開状態及び第２開状態との違いについて説明する。図２８（ａ）は第１開状態となっている開閉装置５１５を示す概略図、図２８（ｂ）は第２開状態となっている開閉装置５１５を示す概略図である。
【０２３０】
図２８（ａ）に示すように、第１開状態においては、開閉体５１６が流入口５１１と第１案内通路４３１の入口部分４３１ａによって挟まれた領域から外れた位置へ退避している。このため、流入口５１１へ流入した遊技球はそのまま入口部分４３１ａへと落下する。なお、第１案内通路５３１及び第２案内通路５３２を区画している壁部については、その上端部と下流部分５１０ｂとの間に遊技球が通過可能な隙間が確保されているものの、流入口５１１に流入した遊技球は自重によって落下することで、当該隙間を通じた第２案内通路５３２への移動が発生する可能性は低く、ほとんどの遊技球については振分先が第１案内通路５３１となる。
【０２３１】
なお、第１案内状態から閉状態に復帰する場合には第２案内状態を経由するものの、第２案内状態にて停止又は一時停止することはない。このため、第２案内状態となっている場合にタイミングよく開閉体５１６に載った遊技球については第２案内通路５３２に振り分けられる可能性があるものの、そのような事象が発生する確率は高くない。
【０２３２】
図２８（ｂ）に示すように、第２開状態においては、開閉体５１６の下段部５１６ｂが流入口５１１と第１案内通路５３１の入口部分５３１ａとの間に位置し、当該入口部分５３１ａが開閉体５１６によって覆われている。これにより、第１案内通路５３１への振り分けが回避されている。流入口５１１に流入した遊技球は、開閉体５１６へと落下し、下段部５１６ｂに沿って移動することで、第１案内通路５３１の入口部分５３１ａの上方を横切るようにして第２案内通路５３２の入口部分５３２ａへ振り分けられることとなる。
【０２３３】
なお、第２開状態から、閉状態へ復帰する場合には、下段部５１６ｂに遊技球が載っている可能性がある。このような遊技球については、開閉体５１６の段差部５１７によって傾斜方向における下流側（第２案内通路５３２の入口部分５３２ａ側）へ押され、当該入口部分５３２ａへの移動が促される。
【０２３４】
開閉装置５１５が閉状態となっている場合には、「所定の入球口」としての流入口５１１への入球が不可となる。開閉装置５１５が第１案内状態となると、流入口５１１への流入が許容され且つ当該流入口へ流入した遊技球が第１案内通路５３１へ案内されることとなる。これに対して、開閉装置５１５が第２案内状態となると、流入口５１１への流入が許容される点では第１開状態と同様であるが、流入口５１１へ流入した遊技球については第２案内通路５３２へ案内される。つまり、第１開状態と第２開状態とでは流入口５１１へ遊技球が流入するものの、その案内先については各状態に応じて切り替えられることとなる。このような構成とすれば、遊技球の動きを多様化し、遊技の単調化を抑制することが可能となる。故に、遊技への注目度の向上に寄与できる。
【０２３５】
ここで、第１開状態及び第２開状態にて遊技球の案内先が変更される場合であっても、遊技球の案内には同じ部材（開閉体５１６）が用いられることとなり、遊技球の挙動に違いを付与しつつもそれが過剰となる等して遊技者を困惑させる要因になることを抑制できる。
【０２３６】
開閉体５１６（下段部５１６ｂ）の上面は遊技球の転動面を形成しており、当該上面に遊技球が載っている状況下にて第１開状態から第２開状態に切り替わる場合には、当該遊技球を載せたまま当該遊技球の重さに抗して開閉体５１６が移動する。このように、開閉体５１６に載っている遊技球を持ち上げる必要が生じることで、第１開状態から第２開状態への切り替わりを遅らせることができる。これにより、僅かながら第２案内通路５３２へ遊技球が案内される機会が増えることとなる。このように、第１開状態から閉状態への切替に際して開閉体５１６上に遊技球が位置するか否かによって第２案内通路５３２へ遊技球が案内される機会が増減することにより、遊技球の挙動が単調になることを好適に抑制できる。
【０２３７】
閉状態から第１開状態へ切り替わる場合に前記第２開状態を経由する構成となっており、閉状態から第１開状態へ切り替わる場合に開閉体５１６上に遊技球が位置していない場合と比べて当該開閉体５１６上に遊技球が位置している場合のほうが閉状態から第１開状態への切り替えが速くなる。
【０２３８】
開閉体５１６上に遊技球が位置している状況下にて第１開状態への切り替えが行われる場合に当該遊技球が第２案内通路５３２へ案内されることは、第１開状態から閉状態への切り替えが行われる場合に第２案内通路５３２へ遊技球が案内されることについてその希少性を低下させる要因になる。この点、本実施の形態に示す構成においては、閉状態から第１開状態へ切り替わる場合には、遊技球の重さ等を利用して第１開状態への切り替えを速やかに行われることとなる。故に、第２案内通路５３２へ案内される機会を減らし、上記不都合の発生を好適に抑制できる。
【０２３９】
流入口５１１への流入に期待する遊技者は、第１開状態や第２開状態に期待して遊技を行うものと想定される。このため、閉状態への切り替え（復帰）が発生することが遊技意欲を低下させる契機になり得る。ここで、本実施の形態に示したように、閉状態へ復帰する場合には、第２開状態を経由することで遊技球の案内先が第１案内通路５３１から第２案内通路５３２に切り替わる構成とすれば、当該閉状態への切替直前に一時的に遊技者の有利度が増すこととなる。これにより、閉状態への終了に向けて遊技者の注目度が低下することを抑制し、閉状態への切り替えが遊技意欲低下の要因になることを抑制できる。
【０２４０】
第１案内通路５３１の入口部分５３１ａは流入口５１１の直下となる位置に設けられ、第２案内通路５３２の入口部分５３２ａは上記直下となる位置から外れた位置に設けられている。そして、開閉体５１６は、第１開状態では流入口５１１と入口部分５３１ａの間となる位置から退避し、第２開状態では当該間となる位置に位置することとなる。このような構成によれば、流入口５１１から落下した遊技球が開閉体５１６に衝突する機会を第２開状態に限定することができる。故に、開閉体５６１を保護し、開閉体５１６に歪み等の変形が生じることを抑制できる。これは、開閉体５１６による遊技球の案内機能の低下を抑える上で好ましい。
【０２４１】
＜変形例１＞
上記第５の実施の形態では、閉状態から開状態への切り替えに際して開閉体５１６が球通路５１４の通路方向における上流側（図２７における左側）へ退避する構成としたが、これに限定されるものではない。閉状態から開状態への切り替えに際して開閉体５１６が球通路５１４の通路方向における下流側（図２７における右側）へ退避する構成とすることも可能である。
【０２４２】
＜変形例２＞
上記第５の実施の形態では、開閉体５１６に段差部５１７を形成して、下段部５１６ｂ側から上段部５１６ａ側への遊技球の移動を妨げる構成としたが、このような遊技球の移動を妨げるための具体的構成については任意である。例えば開閉体５１６の中央部分に上方に突出する仕切り部又は区画部を設け、それら仕切り部又は区画部によって開閉体５１６の傾斜方向とは反対側への遊技球の移動を妨げる構成としてもよい。
【０２４３】
＜変形例３＞
上記第５の実施の形態では、第２案内状態となっている場合に開閉体５１６によって第１案内通路５３１の入口部分５３１ａを覆い、当該第１案内通路５３１への遊技球の振り分けを不可としたが、これに限定されるものではない。少なくとも開閉体５１６によって第１案内通路５３１の入口部分５３１ａへの遊技球の移動を困難とすることができるのであれば足り、当該入口部分５３１ａへの入球を不可とする必要はない。
【０２４４】
＜変形例４＞
上記第５の実施の形態では、開閉体５１６が斜めにスライド移動する構成としたが、開閉体５１６の移動方向についてはこれに限定されるものではない。例えば、図２９の概略図に示すように、第１案内通路５３１Ａの入口部分５３１ａＡと、第２案内通路５３２Ａの入口部分５３２ａＡとが上下に並設されている場合には、開閉体５１６Ａを昇降可能に保持し、その並び方向と同じ方向（上下方向）に開閉体５１６Ａを移動させることで、閉状態／第１案内状態／第２案内状態に切り替える構成とすることも可能である。
【０２４５】
＜変形例５＞
上記第５の実施の形態では、開閉体５１６をスライド移動させることで閉状態／第１案内状態／第２案内状態に切り替える構成としたが、開閉体を回動させることで閉状態／第１案内状態／第２案内状態に切り替える構成とすることも可能である。例えば、図３０の概略図に示すように、第１案内通路５３１Ｂの入口部分５３１ａＢと、第２案内通路５３２Ｂの入口部分５３２ａＢとが上下に並設されている場合には、板状をなす開閉体５１６Ｂを当該開閉体５１６Ｂの一端部を中心に回動させることで、閉状態／第１案内状態／第２案内状態に切り替える構成とすることも可能である。
【０２４６】
＜変形例６＞
上記第５の実施の形態では、当たり種別に応じて閉状態から第１開状態に切り替わる場合と、閉状態から第２開状態に切り替わる場合とに分けて、開閉体５１６を所定の開放期間に亘って第１開状態又は第２開状態に維持する構成としたが、これに限定されるものではない。例えば、何れの当たり種別においても閉状態から第１開状態に切り替わり、開閉体５１６が所定の開放期間に亘って第１開状態に維持される構成とすることも可能である。すなわち、閉状態から第１開状態に切り替わる過程や第１開状態から閉状態に切り替わる過程で第２開状態を経由し、第２開状態にて停止又は一旦停止しない構成とすることも可能である。このような構成においては、第２開状態となるタイミングにて開閉体５１６から案内通路５０２に移る遊技球についてはその移動先が第２案内通路５３２となり、それ以外のタイミングにて開閉体５１６から案内通路５０２に移る遊技球についてはその移動先が第１案内通路５３１となる。
【０２４７】
ここで、第２開状態を経由する場合に開閉体上に位置する遊技球を第２案内通路の入口部分に振り分けるための具体的構成については任意である。例えば、開閉体によって遊技球の流下方向を変化させることで振り分け先が変わる構成としてもよい。以下、図３１〜図３３の概略図を参照して、その具体例について説明する。図３１（ａ）は閉状態となっている開閉装置５１５Ｃを示す概略図、図３１（ｂ）は開状態となっている開閉装置５１５Ｃを示す概略図、図３２（ａ）は第１案内通路５３１Ｃ及び第２案内通路５３２Ｃの関係を示す水平断面図、図３２（ｂ）は開閉体５１６Ｃと上面部５１０Ｃの下流部分５１０ｂＣとの関係を示す縦断面図である。
【０２４８】
図３１に示す開閉体５１６Ｃについては、上記第５の実施の形態に示した開閉体５１６と同様に平板状をなしており、その中間部分に形成された段差部５１７Ｃを境に上段部５１６ａＣ及び下段部５１６ｂＣに区分けされている。また、この開閉体５１６Ｃについても開閉体５１６と同様に斜めにスライド移動可能に保持されており、当該開閉体５１６Ｃがスライド移動することで開閉装置５１５Ｃが開状態／閉状態に切り替わる構成となっている。
【０２４９】
開閉装置５１５Ｃが閉状態となっている場合には、開閉体５１６Ｃの上段部５１６ａＣによって流入口５１１Ｃが塞がれており、開閉体５１６Ｃの下段部５１６ｂＣは上面部５１０Ｃの下流部分５１０ｂＣに下方から当接している。開閉装置５１５Ｃの開放条件が成立すると、開閉体５１６Ｃが斜め下方（図３１においては左下方）に降下する。これにより、流入口５１１Ｃが開放され、当該流入口５１１Ｃに対して下方から開閉体５１６Ｃの下段部５１６ｂＣが対峙することとなる（図３１（ｂ）参照）。
【０２５０】
開状態にて流入口５１１Ｃに流入した遊技球は、開閉体５１６Ｃ（詳しくは下段部５１６ｂＣ）に沿って右方に流下する。本実施の形態においては下段部５１６ｂＣの上面が僅かながら遊技機後方へ下り傾斜してはいるものの、当該傾斜よりも右方への傾斜が大きい点、更には、流入口５１１Ｃに流入した遊技球が右方への移動成分を有する点から、後方へ進路をずらしつつも右方に設けられた第１案内通路５３１Ｃの入口部分５３１ａＣへ流入することとなる。
【０２５１】
ここで、ハウジングにて第１案内通路５３１Ｃの入口部分５３１ａＣよりも上流側であって且つ上面部５１０Ｃの下流部分５１０ｂＣの下方となる部分には、第２案内通路５３２Ｃの入口部分５３２ａＣが形成されている。この入口部分５３２ａＣは遊技機前方を向いており、開閉体５１６Ｃが閉位置に向けている際に、当該開閉体５１６Ｃの下段部５１６ｂＣに位置している遊技球が流入する。以下、このような動きを実現するための構成等について説明する。
【０２５２】
図３２（ｂ）に示すように、上面部５１０Ｃの下流部分５１０ｂＣと、開閉体５１６Ｃの下段部５１６ｂＣとは、下流部分５１０ｂＣの下面５１２Ｃと下段部５１６ｂＣの上面５１８Ｃとの隙間が前方から後方に向かうに連れて徐々に大きくなるように傾斜している。図３３（ａ）→図３３（ｂ）に示すように、開閉体５１６Ｃが下段部５１６ｂＣに遊技球が載っている状態を維持しつつ閉位置へスライド移動する場合には、当該スライド移動に伴って下流部分５１０ｂＣの下面５１２Ｃと下段部５１６ｂＣの上面５１８Ｃとの隙間が小さくなり、当該遊技球が下流部分５１０ｂＣの下面５１２Ｃ及び下段部５１６ｂＣの上面５１８Ｃによって挟まれることとなる。図３３（ｂ）→図３３（ｃ）に示すように、下流部分５１０ｂＣの下面５１２Ｃ及び下段部５１６ｂＣの上面５１８Ｃに挟まれた遊技球は、開閉体５１６Ｃの移動が続くことで遊技機後方へ押され、第２案内通路５３２Ｃの入口部分５２ｂＣへ案内されることとなる。
【０２５３】
なお、開閉体５１６Ｃの長手方向においては、下流部分５１０ｂＣの下面５１２Ｃと下段部５１６ｂＣの上面５１８Ｃとの隙間が均一となっているため、開閉体５１６Ｃの閉位置への移動によって遊技球が第１案内通路５３１Ｃの入口部分５３１ａＣ側へ案内されることを回避している。
【０２５４】
＜第６の実施の形態＞
本実施の形態に示す可変入賞ユニット６００においては、当該可変入賞ユニット６００の上部に球通路６０８が形成され、この球通路６０８の途中位置に設けられた流入口６１１を開閉装置６１５によって開閉する構成となっている点で、第１の実施の形態に示した可変入賞ユニット３００と構成が一致しているものの、開閉装置及びそれに関連する構成が第１の実施の形態と相違している。詳しくは、上記第１の実施の形態においては開閉装置３１５が開状態から閉状態に切り替わる場合に、開閉体３１６上に位置している遊技球が自重によって第２案内通路３３２に流入する構成としたが、これに対して、本実施の形態では、開閉体６１６が当該開閉体６１６上に位置している遊技球に積極的に働きかけることにより当該遊技球を第２案内通路６３２へ流入させる構成となっている点で上記第１の実施の形態と構成が相違している。以下、図３４及び図３５を参照して、第１の実施の形態との相違点を中心に、本実施の形態における開閉装置６１５及びそれに関連する構成について説明する。図３４（ａ）は閉状態となっている開閉装置６１５を示す概略図、図３４（ｂ）は開状態となっている開閉装置６１５を示す概略図、図３４（ｃ）は開閉装置６１５の縦断面図、図３５は第２案内通路６３２への遊技球の流入の様子を示す概略図である。
【０２５５】
開閉装置６１５の開閉体６１６はハウジングの上面部６１０により形成された球通路６０８の通路方向と同じ方向にスライド移動可能となるようにして当該ハウジングに取り付けられている。図３４（ａ）に示すように、開閉体６１６は球通路６０８の通路方向における上流側となる部分（以下、上段部６４１という）が下流側となる部分（以下、下段部６４２という）よりも上位となる段差状をなしており、全体としてこの段差部６４３を境とする上下にクランクするクランク状をなしている。
【０２５６】
なお、開閉体６１６については第１ハウジング構成体６０５及び第２ハウジング構成体６０６に形成された各溝部に上段部６４１の前後の端部が係合することにより、上記通路方向にスライド移動可能な状態でハウジングにより保持されているが、開閉体６１６の保持構造については任意である。
【０２５７】
開閉装置６１５が閉状態となっている場合には、開閉体６１６の上段部６４１によって球通路６０８（詳しくは流入口６１１が形成されている部分）の転動面が補完されており、当該流入口６１１への遊技球の流入が阻止されている。上段部６４１については、上記通路方向へ下り傾斜となっているのに対して、下段部６４２の上面６４２ａは当該通路方向においては高さが一定且つ遊技機前方へ下り傾斜となっている。つまり、上段部６４１と下段部６４２とでは下り傾斜の方向が異なっている。
【０２５８】
開閉装置６１５は、図３４（ａ）に示す閉状態から開閉体６１６が球通路６０８の上流側へ向けてスライド移動することにより、開状態に切り替わる。開状態においては、上段部６４１の全体が上面部６１０にて流入口６１１の上流側に位置する部分（以下、上流部分６１０ａという）に下方から重なっており、下段部６４２が流入口６１１に対して下方から対峙している。
【０２５９】
上段部６４１と下段部６４２との高低差は遊技球の直径寸法よりも大きくなっており、流入口６１１へ流入した遊技球は下段部６４２へと落下する。つまり、本実施の形態においては当該下段部６４２が「球受け部」として機能している。下段部６４２の下方には上記第１ハウジング構成体６０５の一部が位置しており、当該ハウジング構成体６０５によって下段部６４２の下側への撓み変形が規制されている。これは、下段部６４２が遊技球を受けて撓み変形した場合に、その変形が過剰となることを抑制し且つ下段部６４２に加わった負荷を第１ハウジング構成体６０５側に分散させる工夫である。
【０２６０】
下段部６４２にて段差部６４３が形成されている側とは反対側の端部、すなわち球通路６０８の通路方向における下流側の端部には、上方に突出する突起６４４が形成されている。当該通路方向にて下段部６４２の延長上となる位置には第２案内通路６３２の入口部分６３２ａが位置しているものの、下段部６４２へと落下した遊技球については上記突起６４４によって入口部分６３２ａ側への移動が妨げられ、下段部６４２（上面６４２ａ）の傾斜によって遊技機前方へ移動することとなる。
【０２６１】
図３４（ｃ）に示すように、第１案内通路６３１の入口部分６３１ａについては、下段部６４２に対して当該下段部６４２の傾斜方向における下流側に位置しており、当該傾斜に沿って遊技機前方へ移動した遊技球は第１案内通路６３１の入口部分６３１ａへ流入することとなる。
【０２６２】
本実施の形態に示す下段部６４２については上記傾斜が緩やかであり、下段部６４２上に位置する遊技球が当該下段部６４２から入口部分６３１ａへ移動するにはある程度の期間が必要となる。下段部６４２上に遊技球が位置している状況下にて、開閉装置６１５が開状態から閉状態に切り替わる場合には、当該遊技球が第２案内通路６３２の入口部分６３２ａへ案内されることとなる。ここで、図３５を参照して第２案内通路６３２への遊技球の振り分けの流れについて説明する。
【０２６３】
図３５（ａ）に示すように、開閉装置６１５が開状態となっている場合には、遊技球の主たる案内先は、第１案内通路６３１となっている。開閉体６１６の下段部６４２上に遊技球が位置している状況下にて、開閉装置６１５の閉鎖条件が成立すると、開閉体６１６が球通路６０８の下流側へ向けたスライド移動を開始する。このスライド移動では、下段部６４２の上面６４２ａの高さ位置が徐々に降下する。このように、上面６４２ａを降下させることにより、当該上面６４２ａによって上記遊技球が第２案内通路６３２の入口部分６３２ａ側に案内されることを抑制している。
【０２６４】
図３５（ａ）→図３５（ｂ）に示すように、開閉体６１６のスライド移動が進むことにより、段差部６４３が上面６４２ａ上の遊技球に対して入口部分６３２ａとは反対側から衝突する。なお、当該衝突の発生前は、遊技球が上面６４２ａの動きに追従して移動することが抑制され、段差部６４３と遊技球との衝突が上手く発生しなくなることを抑制している。
【０２６５】
ここで、段差部６４３については、球通路６０８の通路方向における下流側を向く（詳しくは鉛直な）壁状をなしており、上面６４２ａからの起立量については遊技球の半径寸法よりも大きくなっている。これにより、遊技球を入口部分６３２ａに向けて押された遊技球の挙動の乱れを抑制し、入口部分６３２ａへの案内を円滑に行うことが可能となっている。
【０２６６】
図３５（ｂ）→図３５（ｃ）に示すように、段差部６４３によって押された遊技球については、上面６４２ａに形成された上記突起６４４を乗り越えるようにして、第２案内通路６３２の入口部分６３２ａへ流入することとなる。言い換えれば、開閉体６１６のスライド移動の速度については、上面６４２ａ上に位置する遊技球が突起６４４を乗り越えることが可能となるように設定されている。
【０２６７】
図３５（ｃ）→図３５（ｄ）に示すように、開閉装置６１５が閉状態に切り替えが完了した後は、球通路６０８の下流側へ向けた開閉体６１６のスライド移動が回避される。上述した第１案内通路６３１の入口部分６３１ａについては横長となるように形成されており、仮にこの状態にて下段部６４２の上面６４２ａ上に遊技球が残っている場合には、当該遊技球は上面６４２ａの傾斜に沿って遊技機前方へ転動し、第１案内通路６３１の入口部分６３１ａに流入することとなる。
【０２６８】
以上詳述したように、第２案内通路６３２へ遊技球が移動する場合の遊技球の挙動を第１案内通路６３１へ遊技球が移動する場合の遊技球の挙動とを大きく異ならせることができる。これにより、開閉装置６１５を閉状態へ切り替える際のインパクトを強化できる。
【０２６９】
下段部６４２の上面６４２ａについては傾斜方向が前後方向となっているため、当該上面６４２ａ上に位置する遊技球があとどのくらいの期間に亘って上面６４２ａ上に滞在するかを目視で特定することが困難となる。つまり、閉状態へ切り替わるタイミングまで上面６４２ａ上に遊技球が滞在し続けるか否かを予め推測することが困難になる。これにより、上面６４２ａ上に位置する遊技球への注目を好適に促すことができる。
【０２７０】
＜変形例１＞
上記第６の実施の形態では、開閉体６１６の下段部６４２の上面６４２ａを遊技機前方に下り傾斜させて、当該上面６４２ａに載っている遊技球が遊技機前方へ転動することにより第１案内通路６３１の入口部分６３１ａに流入する構成としたが、これに限定されるものではない。開閉体６１６の下段部６４２の上面６４２ａを遊技機後方へ下り傾斜させて、当該上面６４２ａに載っている遊技球が遊技機後方へ転動することにより第１案内通路６３１の入口部分６３１ａに流入する構成とすることも可能である。
【０２７１】
＜変形例２＞
上記第６の実施の形態では、第１案内通路６３１の入口部分６３１ａへ向けた遊技球の移動方向と、第２案内通路６３２の入口部分６３２ａへ向けた遊技球の移動方向とが異なる方向（交差する方向）となるように構成したが、それら移動方向を同じ方向となるように構成してもよい。以下、図３６及び図３７の概略図を参照して、その具体例について説明する。
【０２７２】
図３６（ａ）に示すように、本変形例に示す開閉体６１６Ａについては、その基本構造が上記第６の実施の形態と同様となっているものの、下段部６４２Ａの上面６４２ａについては遊技機前方ではなく開閉装置６１５Ａが開状態から閉状態に切り替わる際の開閉体６１６Ａのスライド移動方向における先側（球通路６０８の通路方向における下流側）に下り傾斜となるように形成されている。このため、当該上面６４２ａに到達した遊技球は当該傾斜に沿って遊技機側方へ転動して、案内通路６０２Ａに向かうこととなる。本実施の形態においても案内通路６０２Ａは、その最上流部分（開閉体６１６Ａの配設箇所）にて第１案内通路６３１Ａ及び第２案内通路６３２Ａに分岐しており、第１案内通路６３１Ａの入口部分６３１ａＡ及び第２案内通路６３２Ａの入口部分６３２ａＡは、前者が遊技球の転動方向における手前側、後者が遊技球の転動方向における奥側に位置するように配設されている。
【０２７３】
図３６（ｂ）に示すように、開閉装置６１５Ａが開状態となっている場合には、流入口６１１を通じて下段部６４２Ａへ落下した遊技球は、下段部６４２Ａの上面６４２ａＡの傾斜に沿って転動し、第１案内通路６３１Ａの入口部分６３１ａＡへ流入する。これに対して、開状態から閉状態に切り替わる場合に下段部６４２Ａ上に遊技球が載っている場合には、当該遊技球は第２案内通路６３２Ａの入口部分６３２ａＡに流入する場合がある。具体的には、図３７（ａ）に示すように、下段部６４２Ａに遊技球が載っている状況下にて開閉装置６１５Ａの閉鎖条件が成立した場合には、開閉体６１６Ａが閉位置へ向けてスライド移動を開始する。本実施の形態においては、このスライド方向と、下段部６４２Ａの上面６４２ａＡの傾斜方向とが同じ方向となっており、当該スライド移動によって、下段部６４２Ａ上の遊技球が当該下段部６４２Ａによって下流側へ押されることが抑制されている。
【０２７４】
図３７（ａ）→図３７（ｂ）に示すように、開閉体６１６Ａが閉位置へ近づくことにより、下段部６４２Ａ上の遊技球に対して段差部６４３Ａがスライド方向における元側から当たる。図３７（ｂ）→図３７（ｃ）に示すように、段差部６４３Ａに押された遊技球は、勢いを増し、第１案内通路６３１Ａの入口部分６３１ａＡの上方を横切って第２案内通路６３２Ａの入口部分６３２ａＡに流入することとなる。
【０２７５】
仮に下段部６４２Ａに載っている遊技球が段差部６４３Ａから最も遠い箇所に位置している場合であっても図３７（ｄ）に示すように、閉状態への切り替えが完了した状態では、第１案内通路６３１Ａの入口部分６３１ａＡが下段部６４２Ａによって覆われることで、当該入口部分６３１ａへの遊技球の流入が回避される。このため、段差部６４３Ａとの衝突が回避される等して上手く加速されなかった場合であっても、下段部６４２Ａ上の遊技球は第２案内通路６３２Ａの入口部分６３２ａＡに流入することとなる。
【０２７６】
＜変形例３＞
上記第６の実施の形態では、開閉装置６１５が開状態となっている場合に第２案内通路６３２の入口部分６３２ａへの遊技球の流入が発生し得る構成としたが、これに限定されるものではない。開閉装置が開状態となっている場合に第２案内通路の入口部分への遊技球の流入が回避される構成とすることも可能である。以下、図３８の概略図を参照して、その具体例について説明する。
【０２７７】
本変形例に示すハウジング６０１Ｂには、上面部６１０Ｂの下流部分６１０ｂＢにて第２案内通路６３２の入口部分６３２ａを形成している部分、詳しくは閉位置に配置された開閉体６１６の突起６１４と対峙する部分には、下方に突出する突起６１３Ｂが形成されている。開閉装置６１５が開状態となっている場合には、突起６１４と突起６１３Ｂとの隙間Ｌ１は遊技球の直径寸法Ｄよりも小さくなっている。このため、流入口６１１Ｂを通過した遊技球がこの隙間を通じて第２案内通路６３２の入口部分６３２ａに流入することが回避されている。
【０２７８】
開閉体６１６の閉位置へ向けた移動により流入口６１１Ｂの大きさが遊技球の直径寸法Ｄよりも小さくることで、突起６１４と突起６１３Ｂとの隙間Ｌ２が遊技球の直径寸法Ｄよりも大きくなり、突起６１４と下流部分６１０ｂＢとの最短距離Ｌ３についても遊技球の直径寸法Ｄよりも大きくなる。これにより、流入口６１１Ｂを通過した遊技球がこの隙間を通じて第２案内通路６３２の入口部分６３２ａに流入可能となる。
【０２７９】
＜変形例４＞
上記第６の実施の形態では、開閉体６１６を閉位置へ移動させる際に当該開閉体６１６が降下する構成とすることにより、開閉体６１６の下段部６４２に載っている遊技球との摩擦を軽減させる構成とした。開閉体６１６の閉位置への移動に伴って段差部６４３に押される前に遊技球が第１案内通路６３１の入口部分６３１ａに向けて移動することを抑制する上では、下段部６４２上に位置する遊技球を段差部６４３側へ偏倚させる構成とすることも可能である。例えば、下段部６４２の上面６４２ａを閉位置へ向けたスライド方向とは反対側に傾斜させることで、開閉体６１６の下段部６４２に載っている遊技球を段差部６４３側へ偏倚させてもよい。これにより、上述した遊技球の動きを抑える上で、開閉体６１６のスライド方向に係る制約が強くなることを抑制できる。
【０２８０】
＜第７の実施の形態＞
本実施の形態に示す可変入賞ユニット７００においては、当該可変入賞ユニット７００の上部に球通路７０８が形成され、この球通路７０８の途中位置に設けられた流入口７１１を開閉装置７１５によって開閉する構成となっている点で、第１の実施の形態に示した可変入賞ユニット３００と構成が一致しているものの、開閉装置及びそれに関連する構成が第１の実施の形態と相違している。詳しくは、上記第１の実施の形態においては開閉体３１６を横方向（球通路３０８の通路方向と同じ方向）に延びる回動中心軸線ＣＬ１を中心に回動させることで閉状態／閉状態の切り替えを行う構成としたが、本実施の形態では開閉体７１６を縦方向（詳しくは遊技盤８０ａの前面と平行な方向且つ球通路７０８の通路方向と直交する方向）に延びる回動中心軸線ＣＬ３を中心に回動させることにより、開状態／閉状態の切り替えを行う構成となっている点で上記第１の実施の形態と構成が相違している。以下、図３９を参照して、第１の実施の形態との相違点を中心に、本実施の形態における開閉装置７１５及びそれに関連する構成について説明する。図３９（ａ）は閉状態となっている開閉装置７１５を示す平面図、図３９（ｂ）は開閉体の斜視図である。
【０２８１】
開閉体７１６は、回動中心軸線ＣＬ３を中心とする略円盤状の本体部７１６ａを有してなる。開閉体７１６の回動中心軸線ＣＬ３は流入口７１１に対して球通路７０８上流側となる位置にオフセットしており、開閉装置７１５が閉状態となっている場合には本体部７１６ａによって球通路６０８の転動面（流入口７１１が形成されている部分）が補完されている。
【０２８２】
開閉体７１６の下側には、案内通路７０２を構成する２つの分岐通路として第１案内通路７３１及び第２案内通路７３２が配設されている。第１案内通路７３１の入口部分７３１ａは流入口７１１の直下となる位置に配されており、第２案内通路７３２の入口部分７３２ａは入口部分７３１ａよりも回動中心軸線ＣＬ３側、詳しくは回動中心軸線ＣＬ３上に配されている（図３９の２点鎖線参照）。
【０２８３】
開閉体７１６の本体部７１６ａには、流入口７１１に流入した遊技球を第１案内通路７３１の入口部分７３１ａ及び第２案内通路７３２の入口部分７３２ａに案内する通路形成部７１６ｂが設けられている。通路形成部７１６ｂは本体部７１６ａの下面側へ延出しており、第１案内通路７３１の入口部分７３１ａに案内する縦長の第１通路部７４５と、流入口７１１に流入した遊技球を第２案内通路７３２の入口部分７３２ａに案内するクランク状の第２通路部７４６とに大別される。
【０２８４】
本体部７１６ａには、第１通路部７４５の入口７４５ａ及び第２通路部７４６の入口７４６ａが形成されている。これら入口７４５ａ，７４６ａは、本体部７１６ａの厚さ方向に貫通しており、流入口７１１よりは小さく且つ遊技球が通過可能な大きさとなるように形成されている。
【０２８５】
入口７４５ａ，７４６ａは、回動中心軸線ＣＬ３を中心とした回動方向（周方向）に並んでおり、開閉体７１６の回動位置に応じて流入口７１１に連通する対象が切り替わる構成となっている。本実施の形態に示す開閉装置７１５においては、入口７４５ａが流入口７１１に連通した状態が第１開状態（図４０（１）参照）、入口７４６ａが流入口７１１に連通した状態が第２開状態（図４０（２）参照）、入口７４５ａ，７４６ａの何れも流入口７１１に連通していない状態が閉状態（図３９（ａ）参照）である。
【０２８６】
図４０（１）に示すように、第１開状態では、第１通路部７４５の出口７４５ｂが第１案内通路７３１の入口部分７３１ａに上方から対峙しており、流入口７１１に流入した遊技球は第１通路部７４５に沿って落下することで、流入口７１１の直下に位置する第１案内通路７３１の入口部分７３１ａへ向かう。
【０２８７】
これに対して、第２開状態では、図４０（２）に示すように、第２通路部７４６の出口７４６ｂが第２案内通路７３２の入口部分７３２ａに上方から対峙しており、流入口７１１に流入した遊技球は第２通路部７４６を通過する過程で、回動中心軸線ＣＬ３側へ向きを変え、開閉体７１６の回動中心部の直下に位置する第２案内通路７３２の入口部分７３２ａへ向かう。
【０２８８】
ここで、図３９（ａ）及び図４０を参照して、開閉装置７１５の動作態様について説明する。
【０２８９】
作動入球部８４，８５への入球に基づく抽選に当選した場合には、開閉体７１６が遊技機上方から見て時計回り方向に１８０°回動することにより、開閉装置７１５が閉状態から第１開状態に切り替わる（図３９（ａ）→図４０（２）→図４０（１）参照）。
【０２９０】
この切り替えの過程においては、図４０（２）に示す第２開状態を経由する。開閉装置７１５については、第２開状態にて一旦停止する構成ではないため、流入口７１１を第２通路部７４６の入口７４６ａが横切ることとなる。流入口７１１と第２通路部７４６の入口７４６ａとが連通したタイミングにて流入口７１１に流入した遊技球については、第２通路部７４６によって第２案内通路７３２の入口部分７３２ａへ案内される。
【０２９１】
具体的には、第２通路部７４６については第１通路部７４５よりも通路長が長くなっており、遊技球の通過にある程度の期間を要し、この期間中も開閉体７１６の回動は進むこととなるが、当該回動に伴い、第２通路部７４６の入口７４６ａの位置は回動中心軸線ＣＬ３を中心として円弧を描くように変化する一方、第２通路部７４６の出口７４６ｂについては第２案内通路７３２の入口部分７３２ａへ遊技球を案内可能な位置（入口部分７３２ａの上方）に留まることとなる。故に、第２通路部７４６による案内機能については、開閉体７１６が閉状態に切り替わる場合であっても維持されることとなる。
【０２９２】
第１開状態に切り替わった後は当該第１開状態が維持され、開放終了条件が成立した場合に、開閉体７１６が遊技機上方から見て反時計回り方向に１８０°回動することにより、開閉装置７１５が第１開状態から閉状態に切り替わる（図４０（１）→図４０（２）→図３９（ａ）参照）。
【０２９３】
この切り替えの過程においては、図４０（２）に示す第２開状態を経由する。開閉装置７１５については、第２開状態にて一旦停止する構成ではないため、流入口７１１を第２通路部７４６の入口７４６ａが横切ることとなる。流入口７１１と第２通路部７４６の入口７４６ａとが連通したタイミングにて流入口７１１に流入した遊技球については、第２通路部７４６によって第２案内通路７３２の入口部分７３２ａへ案内される。
【０２９４】
具体的には、第２通路部７４６については第１通路部７４５よりも通路長が長くなっており、遊技球の通過にある程度の期間を要し、この期間中も開閉体７１６の回動は進むこととなるが、当該回動に伴い、第２通路部７４６の入口７４６ａの位置は回動中心軸線ＣＬ３を中心として円弧を描くように変化する一方、第２通路部７４６の出口７４６ｂについては第２案内通路７３２の入口部分７３２ａへ遊技球を案内可能な位置（入口部分７３２ａの上方）に留まることとなる。故に、第２通路部７４６による案内機能については、開閉体７１６が閉状態に切り替わる場合であっても維持されることとなる。
【０２９５】
従来の遊技機で採用されているように、所定の入球口への入球後に当該所定の入球口から大きく離れた箇所にて遊技球の振分けを行う構成では、遊技者が注目すべき箇所が散在することとなる。これでは、入球箇所と振分箇所との一方に注視すると、他方での遊技球の動き等が分かりづらくなり、遊技者の困惑を招きやすくなる。この点、本特徴に示す構成によれば、「所定の入球口」としての流入口７１１に流入した遊技球については開閉体７１６の第１通路部７４５及び第２通路部７４６によって不利側の第１流路としての第１案内通路７３１及び有利側の第２流路としての第２案内通路７３２に振り分けられることとなる。そして、この開閉体７１６が開状態／閉状態に切り替わることにより、流入口７１１への流入が左右されることとなる。つまり、本実施の形態に示す開閉体７１６には流入口７１１への入球制限機能と流入口７１１へ流入した遊技球の振分機能とが付与されている。流入口７１１に併設された開閉体７１６を見れば入球の可否や振分先等を容易に把握することができる。これにより、遊技への注目度の向上に寄与できる。
【０２９６】
単に入球箇所や振分箇所を一所にまとめようとしても入球制限用の可動部材と振分用の可動部材とが個別となることで、遊技者の困惑を抑える効果は低下すると想定される。また、複数の可動部材を並存させようとした場合には、それら可動部材の占有領域が嵩む。これは、それら可動部材の配置に係る制約を緩和させる上で好ましくない。この点、本実施の形態に示すように、開閉体７１６の動作に伴って流入口７１１に対する第１通路部７４５及び第２通路部７４６の位置を変化させる構成とすれば、簡素な構造によって入球制限及び振分の各機能を発揮させることができ、それらの課題を好適に解消できる。
【０２９７】
また、第１通路部７４５の入口７４５ａと第２通路部７４６の入口７４６ａとを個別に設けることにより、遊技者が流入口７１１付近を注視している場合であっても何れの入口７４５ａ、７４６ａを経由するかを見極めやすくなる。これは、上述した注目度向上効果を好適に発揮させる上で好ましい。
【０２９８】
開閉装置７１５が第１開状態となっている場合には、遊技球の案内先が相対的に不利な第１案内通路７３１となり、第１開状態から閉状態へ切り替わる過程では遊技球の案内先が相対的に有利な第２案内通路７３２となる。このような構成とすれば、入球が困難又は不可となる閉状態への切り替えに際して、有利側の第２案内通路７３２への遊技球の振り分けへ期待が持てることとなり、閉状態への切り替えが遊技者の遊技意欲を低下させる要因になることを好適に抑制できる。
【０２９９】
第１通路部７４５及び第２通路部７４６については、遊技球の通過所要期間が相違している。通過所要期間が相対的に長い第２通路部７４６については、開閉装置７１５が第２案内状態から閉状態に切り替わる過程や閉状態に切り替わった後についても、案内先となる第２案内通路７３２への案内機能が維持される。このような構成とすれば、通過所要期間を確保することが、第１案内状態から閉状態への切替応答性の向上を妨げる要因になることを好適に抑制できる。また、第２通路部７４６による第２案内通路７３２への遊技球の案内が完了するまで閉状態への切り替えを遅延させる必要がなくなり、第１開状態から閉状態への切替応答性を好適に向上させることができる。
【０３００】
＜変形例１＞
上記第７の実施の形態では、第１通路部７４５の入口７４５ａと第２通路部７４６の入口７４６ａとを同じ大きさとしたが、これに限定されるものではない。第１通路部７４５の入口７４５ａの大きさと第２通路部７４６の入口７４６ａの大きさとを相違させてもよい。
【０３０１】
例えば、第１通路部７４５の入口７４５ａが流入口７１１と連通する位置にて停留し、第２通路部７４６の入口７４６ａは流入口７１１と連通する位置に停留しない構成を前提とした場合には、入口７４６ａへの流入は入口７４５ａへの流入よりも困難となる。このような事情に配慮して、第２通路部７４６の入口７４６ａを第１通路部７４５の入口７４５ａよりも大きくして、第２案内通路７３２へ遊技球が振り分けられる頻度を高くすることも可能である。特に、第１開状態から閉状態への切替応答性の向上を図るべく、開閉体７１６の動作速度を高くすれば、第２開状態を経由する際に入球が発生する可能性は低くなる。このように実質的に入球が困難となれば、上述した注目度向上効果を発揮させる上で妨げになると懸念される。そこで、本変形例に示すように、通過の対象となっている一方の入口を他方よりも大きくすることで、遊技者に入球の余地が十分にあるとの印象を与え、上記不都合の発生を抑制できる。
【０３０２】
＜変形例２＞
上記第７の実施の形態では、第２案内通路７３２の入口部分７３２ａを回動中心軸線ＣＬ３上に位置する構成としたが、第２案内通路７３２の入口部分７３２ａの位置については任意に変更してもよい。但し、流入口７１１を通過した遊技球を第２案内通路７３２の入口部分７３２ａに案内する機能を担保する上では、第１案内通路７３１の入口部分７３１ａよりも回動中心軸線ＣＬ３寄りとなる配設することが好ましい。
【０３０３】
＜変形例３＞
上記第７の実施の形態では、第１通路部７４５の通路長が第２通路部７４６の通路長よりも短くなるように構成したが、これに限定されるものではない。第１通路部７４５の通路長と第２通路部７４６の通路長とを同じ長さとなるように構成してもよいし、第２通路部７４６の通路長が第１通路部７４５の通路長よりも長くなるように構成してもよい。
【０３０４】
＜変形例４＞
上記第７の実施の形態では、円盤状をなす本体部７１６ａと当該本体部７１６ａから下方に延設された通路形成部７１６ｂとによって開閉体７１６を構成したが、開閉体７１６に各案内通路７３１，７３２に遊技球を案内する機能が付与されているのであれば、例えば通路形成部７１６ｂを省略することも可能である。
【０３０５】
＜変形例５＞
上記第７の実施の形態に示したように、開閉体を移動させて第１開状態から閉状態に切り替える過程で第２開状態を経由する構成とする上では、開閉体を回動式とする必要は必ずしもなく、開閉体をスライド式とすることも可能である。
【０３０６】
＜変形例６＞
上記第７の実施の形態では、開閉装置７１５が閉状態から第１開状態に切り替わる場合及び第１開状態から閉状態に切り替わる場合の両方にて、第２開状態を経由する構成としたが、これに限定されるものではない。開閉装置７１５が閉状態から第１開状態に切り替わる場合及び第１開状態から閉状態に切り替わる場合の何れか一方にて第２開状態を経由する構成としてもよい。
【０３０７】
＜変形例７＞
上記第７の実施の形態では、開閉装置７１５を第１開状態→閉状態に切り替える場合及び閉状態→第１開状態に切り替える場合の回動角度を何れも３６０°よりも小さくしたが、第１開状態→閉状態に切り替える場合及び閉状態→第１開状態に切り替える場合の回動角度の少なくとも一方を３６０°よりも大きくすることも可能である。
【０３０８】
＜変形例８＞
上記第７の実施の形態では、第２通路部７４６の出口７４６ｂが水平方向を向く構成としたが、出口７４６ｂから流出した遊技球を第２案内通路７３２の入口部分７３２ａへ流入させる上では、出口７４６ｂを下向きとなるように形成し、開閉体７１６の回動位置に関係なく、出口７４６ｂが第２案内通路７３２の入口部分７３２ａに上方から対峙した状態が維持される構成とすることも可能である。
【０３０９】
＜変形例９＞
開閉装置７１５を第１開状態から第２開状態を経由して閉状態に切り替える場合及び閉状態から第２開状態を経由して第１開状態に切り替える場合の少なくとも何れかにおいて、一時的に開閉装置７１５が第２開状態に維持されるように開閉体７１６を一旦停止させる構成としてもよい。
【０３１０】
＜変形例１０＞
作動入球部８４，８５への入球に基づく抽選結果が第１抽選結果である場合には開閉装置７１５を閉状態から第１開状態に切り替え、第２抽選結果である場合には開閉装置７１５を第１開状態から閉状態に切り替える構成とすることも可能である。この構成においては、閉状態から第１開状態に切り替える場合の開閉体７１６の回動方向と閉状態から第２開状態に切り替える場合の開閉体７１６の回動方向とを逆とし、何れの切替においても他方の開状態を経由しない構成とすることも可能である。
【０３１１】
＜その他の実施の形態＞
なお、上述した各実施の形態の記載内容に限定されず例えば次のように実施してもよい。ちなみに、以下の各構成を個別に上記各実施の形態に対して適用してもよく、一部又は全部を組み合わせて上記各実施の形態に対して適用してもよい。また、上記各実施の形態に示した各種構成の全て又は一部を任意に組み合わせることも可能である。この場合、組み合わせの対象となる各構成の技術的意義（発揮される効果）が担保されることが好ましい。実施の形態の組み合わせからなる新たな構成に対して以下の各構成を個別に適用してもよく、一部又は全部を組み合わせて適用することも可能である。
【０３１２】
（１）上記各実施の形態では、開閉装置３１５が閉状態となっている場合には、開閉体３１６によって流入口３１１が完全に塞がれる構成について例示したが、これに限定されるものではない。少なくとも閉状態となっている場合に流入口３１１への遊技球の入球を不可とすることができるのであれば足り、遊技球の通過が不可となる程度に流入口３１１等の一部が開放されたままとすることを否定するものではない。
【０３１３】
なお、開閉装置３１５については、流入口３１１への入球が可能な第１の状態と、当該第１の状態よりも入球が困難となる第２の状態とに切替可能となっているのであれば足り、第２の状態については必ずしも入球を不可とする必要はない。
【０３１４】
（２）上記各実施の形態では、相対的に不利な第２案内通路３４２へ遊技球が案内されている場合には、当該第２案内通路３４２へ案内された遊技球の数が多くなる程、有利度が高くなるように構成したが、これに限定されるものではない。有利度が案内された遊技球の数に依存しない構成とすることも可能である。
【０３１５】
（３）上記各実施の形態では、右ルート及び左ルートの両ルートに開閉装置３１５を各々配設したが、これに限定されるものではない。開閉装置３１５の数や位置については任意である。例えば、右ルート及び左ルートの何れか一方に開閉装置を配設してもよいし、両ルートへの分岐位置に開閉装置３１５を配設する構成としてもよい。
【０３１６】
（４）上記各実施の形態では、開閉体３１６の動作速度が一定となるように構成したが、開閉体３１６の動作速度として第１動作速度と、当該第１動作速度よりも遅い第２動作速度を設けてもよい。
【０３１７】
（５）上記各実施の形態では、流入口３１１に流入した遊技球が開閉装置３１５によって第１案内通路３３１及び第２案内通路３３２の何れかに振り分けられる構成としたが、これに限定されるものではない。開閉装置については複数の案内通路の何れかに遊技球を振り分けることが可能となっているのであれば足り、振分先の数については任意である。例えば、第１案内通路〜第３案内通路の何れかに遊技球を振り分ける構成としてもよい。
【０３１８】
なお、遊技球の振り分け先は通路である必要はなく、例えば入球口や排出口とすることも可能である。
【０３１９】
（６）上記各実施の形態では、作動入球部への入球に基づいて所定の開放条件が成立した場合に開閉装置３１５が閉状態から開状態に切り替わり、所定の閉鎖条件が成立した場合に開閉装置３１５が開状態から閉状態に切り替わる構成としたが、これに限定されるものではない。開閉装置３１５が予め設定された周期で開状態／閉状態に切り替わる構成とすることも可能である。
【０３２０】
（７）上記各実施の形態では、第１案内通路３３１よりも第２案内通路３３２の方が遊技者に有利となるように有利度の差を設けたが、これを変更し、第２案内通路３３２よりも第１案内通路３３１の方が遊技者に有利となるように差を設けてもよい。
【０３２１】
（８）上記各実施の形態では、第１案内通路３３１及び第２案内通路３３２の何れに振り分けられた遊技球についてもＶ入賞口３８６へ入賞し得る構成としたが、これを変更し、第２案内通路３３２に振り分けられた遊技球はＶ入賞口３８６へ入賞し、第１案内通路３３１に振り分けられた遊技球はＶ入賞口３８６へ入賞しない構成とすることも可能である。また、振分先に有利度の差が設けられているのであれば足り、例えば第１案内通路３３１及び第２案内通路３３２への遊技球が流入した場合に遊技者に賞球が付与される構成においてはそれら賞球の数に差を設定することで有利度の差を設けてもよい。
【０３２２】
（９）第２作動入球部８５に付随する電動役物９１として上記開閉装置３１５等を用いてもよい。この場合、例えば第１案内通路へ振り分けられた遊技球は第２作動入球部８５における遊技球の検知位置を通過し、第２案内通路へ振り分けられた遊技球は第当該検知位置を通過しない構成とすることも可能である。
【０３２３】
（１０）上記各実施の形態では、「第１通路部」としての第１案内通路３４１と「第２通路部」としての第２案内通路３４２とを遊技機の正面視にて左右に並べて配置したが、少なくとも有利／不利の差が設定された「第１通路部」及び「第２通路部」に相当する構成を有していればよく、その配置については任意である。例えば、第１案内通路及び第２案内通路を前後方向に並べて配置することも可能である。
【０３２４】
（１１）上記各実施の形態に示したように、複数の開閉装置３１５を併用する場合には、各開閉装置３１５に駆動部３１７を個別に設けてもよいし、それら開閉装置３１５にて駆動部を共用としてもよい。
【０３２５】
（１２）上記各実施の形態に示した開閉体３１６等については、開状態／閉状態への切り替えに際して球詰まり等によって当該切替が妨げられた場合には、開閉体を反転させた後、再度切り替えを行う構成とすることで、動作の確実性を高めることができる。
【０３２６】
（１３）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０３２７】
また、弾球式でない遊技機、例えば、複数種の図柄が周方向に付された複数のリールを備え、メダルの投入及びスタートレバーの操作によりリールの回転を開始し、ストップスイッチが操作されることでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０３２８】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０３２９】
＜上記各実施の形態から抽出される発明群について＞
以下、上述した各実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０３３０】
＜特徴Ａ群＞
以下の特徴Ａ群は、「パチンコ遊技機等の遊技機には、遊技球が流下する遊技領域が形成された遊技盤を備えているものがある。遊技者の発射操作に基づいて遊技球が遊技領域に向けて発射され、発射された遊技球が遊技領域に設けられた入球部に入ると、それに基づいて遊技球の払い出し等の特典が遊技者に付与される。このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。」という背景技術について、「しかしながら、遊技球の動きによって遊技への注目度を向上させる上では、その構成に未だ改善の余地がある。」という発明が解決しようとする課題をもってなされたものである。
【０３３１】
特徴Ａ１．遊技領域（遊技領域ＰＥ）が形成された遊技盤（遊技盤ユニット８０）と、前記遊技領域を流下する遊技球であって所定の入球口（流入口３１１）に入球した遊技球を、第１流路（第１案内通路３３１）及び第２流路（第２案内通路３３２）に振分可能な振分手段（可変入賞ユニット３００の開閉装置３１５）とを備えている遊技機であって、
前記振分手段は、
球受け部（内面部３２８）が形成され、当該球受け部に到達した遊技球を前記第１流路及び前記第２流路に振り分ける振分部材（開閉体３１６）と、
前記振分部材を動作させる駆動部（駆動部３１７）と
を有し、
前記駆動部を駆動制御することにより、前記振分部材を、前記所定の入球口を開放し、当該所定の入球口に流入した遊技球を受ける位置に前記球受け部が配置された第１状態（開状態）と、前記振分部材の一部であって前記球受け部とは異なる所定部位（外面部３２９）が前記所定の入球口の遊技球の通過を妨げる位置に配置された第２状態とに切り替える駆動制御手段（主制御装置１６２にて開閉装置３１５の駆動制御を実行する機能）を備えていることを特徴とする遊技機。
【０３３２】
特徴Ａ１に示す構成によれば、振分部材を動作させることにより、所定の入球口への入球と当該所定の入球口へ入球した遊技球の振り分けとを制御することができ、所定の入球口に到達した遊技球の挙動を様々に変化させることができる。これは、遊技球の挙動を変化させるための構成の複雑化を抑制し、遊技者の理解を促したり、遊技（遊技球の挙動）への注目度の向上を図ったりする上で有利である。また、注目すべき箇所が振分手段に集約されることで、遊技球の動きを多様化したとしても、遊技球の動きが見逃される機会を少なくすることができる。なお、振分部材によって所定の入球口への入球と所定の入球口へ入球した遊技球の振り分けを行う構成とすれば、振分手段に係る構成の占有領域が大きくなることを抑制できる。これは、振分手段の配置に係る制約を緩和する上でも好ましい。
【０３３３】
なお、本特徴に示す構成を「遊技領域（遊技領域ＰＥ）が形成された遊技盤（遊技盤ユニット８０）と、前記遊技領域を流下する遊技球であって所定の入球口（流入口３１１）に入球した遊技球を、第１流路（第１案内通路３３１）と当該第１流路よりも遊技者に有利な第２流路（第２案内通路３３２）とに振分可能な振分手段（可変入賞ユニット３００の開閉装置３１５）とを備え、前記振分手段は、球受け部（内面部３２８）が形成され、当該球受け部に到達した遊技球を前記第１流路及び前記第２流路に振り分ける振分部材（開閉体３１６）と、前記振分部材を動作させる駆動部（駆動部３１７）とを有し、前記駆動部を駆動制御することにより、前記振分部材を、前記所定の入球口を開放し、当該所定の入球口に流入した遊技球を受ける位置に前記球受け部が配置された第１状態（開状態）と、前記振分部材の一部であって前記球受け部とは異なる所定部位（外面部３２９）が前記所定の入球口の遊技球の通過を妨げる位置に配置された第２状態とに切り替える駆動制御手段（主制御装置１６２にて開閉装置３１５の駆動制御を実行する機能）を備えていることを特徴とする遊技機。」とすることも可能である。
【０３３４】
因みに、本特徴に示す構成を「遊技領域（遊技領域ＰＥ）が形成された遊技盤（遊技盤ユニット８０）と、前記遊技領域を流下する遊技球であって所定の入球口に入球した遊技球を、第１流路（第１案内通路３３１）と、当該第１流路よりも遊技者に有利な第２流路（第２案内通路３３２）とに振分可能な振分手段（可変入賞ユニット３００の開閉装置３１５）とを備え、前記振分手段は、球受け部（内面部３２８）が形成され、当該球受け部に到達した遊技球を前記第１流路及び前記第２流路に振り分ける振分部材（開閉体３１６）と、前記振分部材を動作させる駆動部（駆動部３１７）とを有し、前記振分部材が動作することにより第１状態と当該第１状態よりも前記所定の入球口への入球が困難な第２状態とに切り替わる構成となっており、前記振分部材は、前記第２状態となっている場合に、前記球受け部とは異なる所定部位（外面部３２９）により前記所定の入球口を塞ぐように構成されていることを特徴とする遊技機。」とすることも可能である。
【０３３５】
また、本特徴に示す構成を「遊技領域（遊技領域ＰＥ）が形成された遊技盤（遊技盤ユニット８０）と、前記遊技領域を流下する遊技球であって所定の入球口に入球した遊技球を、第１流路（第１案内通路３３１）と、当該第１流路よりも遊技者に有利な第２流路（第２案内通路３３２）とに振分可能な振分手段（可変入賞ユニット３００の開閉装置３１５）とを備え、前記振分手段は、遊技球が滞在可能な滞在部（内面部３２８）が形成され、当該滞在部に到達した遊技球を前記第１流路及び前記第２流路に振り分ける振分部材（開閉体３１６）と、前記振分部材を動作させる駆動部（駆動部３１７）とを有し、前記振分部材は、前記所定の入球口を開放し、当該所定の入球口の下方に前記滞在部が配置された第１状態と、前記滞在部とは異なる所定部位（外面部３２９）が前記所定の入球口の遊技球の通過を妨げる位置に配置された第２状態とに切り替わる構成となっていることを特徴とする遊技機。」とすることも可能である。因みに、上記「滞在部」を遊技球が転動可能な「転動部」としてもよい。
【０３３６】
特徴Ａ２．前記振分部材には、前記第１状態となっている場合に、前記球受け部に到達した遊技球を前記第１流路側へ排出可能な第１排出部（第２開放部３２５）と、前記第２状態となる場合に前記球受け部に位置している遊技球を前記第２流路側へ排出可能な第２排出部（第１開放部３２４）とが形成されていることを特徴とする特徴Ａ１に記載の遊技機。
【０３３７】
特徴Ａ２によれば、所定の流入口を通じて球受け部に到達した遊技球は、第１状態であれば第１排出部を通じて第１流路側へ排出され、第２状態であれば第２排出部を通じて第２流路側へ排出される。このように、振分部材から遊技球が排出される排出部として第１排出部と第２排出部とを各々設けることにより、１の排出部がそれら第１排出部及び第２排出部を兼ねる構成と比較して、振分部材からの排出位置等を見れば遊技球の振り分け先を容易に特定することができる。特に、特徴Ａ１に示したように、所定の流入口付近での遊技球の動きが多様となる構成であるため、排出部を個別とすることは遊技者の理解を促す上で好ましい。
【０３３８】
特徴Ａ３．前記振分手段は、前記振分部材が前記第１状態となっている場合には前記球受け部に到達した遊技球を前記第１排出部へ案内し、前記振分部材が前記第１状態から前記第２状態に切り替わる場合には前記球受け部上に位置する遊技球を前記第２排出部へ案内するように構成されていることを特徴とする特徴Ａ２に記載の遊技機。
【０３３９】
特徴Ａ３に示す構成によれば、第１状態となっているにも関わらず第２排出部から遊技球が排出されたり、第２状態となっているにも関わらず第１排出部から遊技球が排出されたりすることを抑制できる。つまり、振分部材の状態と振分先との関係が分かりづらくなることを抑制できる。
【０３４０】
特徴Ａ４．前記振分部材には、前記第１状態から前記第２状態に切り替わる場合に前記球受け部上に位置する遊技球が前記第２排出部へ移動する移動経路が設けられており、
前記移動経路は、前記第１状態にて前記球受け部上に位置する遊技球が前記第１排出部へ移動する移動経路よりも短くなっていることを特徴とする特徴Ａ２又は特徴Ａ３に記載の遊技機。
【０３４１】
特徴Ａ４によれば、第１状態から第２状態に切り替わることで球受け部上に位置する遊技球が第２排出部へ移動することとなる。この際の遊技球の移動経路については、第１状態にて第１排出部へ遊技球が移動する場合の移動経路よりも短くなっている。第１状態から第２状態への切り替え時には遊技球を第２排出部を通じて第２流路側（有利側）へ速やかに排出することにより、遊技球の振り分けが無駄に遅延されているかのような印象を遊技者に与えることを回避できる。
【０３４２】
特徴Ａ５．前記振分部材は、前記第１状態となっている場合に、前記所定の入球口へ入球した遊技球が前記第２排出部を通じて前記球受け部に到達するように構成されていることを特徴とする特徴Ａ２乃至特徴Ａ４のいずれか１つに記載の遊技機。
【０３４３】
特徴Ａ５によれば、第２流路側へ向かう遊技球が通過する第２排出部が、所定の入球口から球受け部へ遊技球が移る際の入口部として機能する。このように、第２排出部を振分部材の入口部及び出口部として兼用することにより、振分部材の構造の簡素化に寄与できる。
【０３４４】
特徴Ａ６．前記振分部材は、当該振分部材にて前記球受け部の裏面側となる部位が前記所定部位となるように形成されていることを特徴とする特徴Ａ１乃至特徴Ａ５のいずれか１つに記載の遊技機。
【０３４５】
特徴Ａ６に示す振分部材においては、所定の入球口へ入球した遊技球が当たる部位（球受け部）と、所定の入球口への入球が不可又は困難となっている場合に遊技球が当たる部位（所定部位）とが分けている。このような構成とすれば、遊技球が当たる箇所を分散させることができ、振分部材の耐久性が上記複数の機能を併有することに起因して低下することを好適に抑制できる。これは、上述した第１流路及び第２流路への遊技球の振分機能等を安定して発揮させる上で好ましい。
【０３４６】
特徴Ａ７．前記振分部材は所定の回動中心軸線（回動中心軸線ＣＬ１）を中心として回動可能となるように保持され、当該所定の回動中心軸線を中心に回動することで前記第１状態及び前記第２状態に切り替わる構成となっており、
前記球受け部及び前記所定部位は、前記所定の回動中心軸線から離れており、前記球受け部が前記回動中心軸線側を向き、前記所定部位が前記球受け部とは反対側を向くように形成されていることを特徴とする特徴Ａ１乃至特徴Ａ６のいずれか１つに記載の遊技機。
【０３４７】
本特徴に示すように振分部材を回動式とした上で球受け部が中心側且つ所定部位が外側を向くように形成することにより、特徴Ａ１に示した入球及び振分の制御機能を発揮させる上で振分部材の構造の複雑化を好適に抑制できる。
【０３４８】
特徴Ａ８．前記球受け部は、前記回動中心軸線を中心とする円弧状をなしており、
前記第２流路の入口部分（入口部分３３２ａ）が前記球受け部の下方に位置していることを特徴とする特徴Ａ７に記載の遊技機。
【０３４９】
特徴Ａ８によれば、球受け部上に遊技球が位置している状態にて振分部材が回動した場合に、球受け部に押されたり引っ張られたりして回動方向における遊技球の位置が変化することを抑制できる。これにより第２状態への切り替え時に遊技球を振分部材の直下へ落下させることが可能となる。第２流路の入口部分を球受け部の下方に配設することができるため、振分手段及びそれに関連する構成の厚さ（遊技盤の厚さ方向における大きさ）を小さくすることができる。これは、当該振分手段等の配置自由度の向上を図る上で好ましい。
【０３５０】
特徴Ａ９．前記振分部材には、少なくとも前記球受け部から前記所定部位への遊技球の移動を規制する規制部（例えば段差部５１７）が設けられていることを特徴とする特徴Ａ１乃至特徴Ａ８のいずれか１つに記載の遊技機。
【０３５１】
本特徴に示すように、球受け部上の遊技球の所定部位への移動を規制することにより、第１状態から第２状態に切り替える際等に遊技球が所定部位へと移動して当該所定部位へ移動した遊技球によって振分部材の動きが妨げられることを抑制できる。
【０３５２】
特徴Ａ１０．前記球受け部に位置する遊技球を遊技機前方から視認可能となっており、
前記第１状態から前記第２状態へ切り替える場合の前記振分部材の動作方向は、当該第１状態から前記第２状態への切り替え途中にて前記球受け部が遊技機正面前方を向く状態を経由する方向となるように規定されていることを特徴とする特徴Ａ１乃至特徴Ａ９のいずれか１つに記載の遊技機。
【０３５３】
振分部材が第１状態から第２状態に切り替わる場合には、球受け部が遊技機前方（正面側）を向く状態を経由することとなる。このような構成とすれば、球受け部上に位置する遊技球が振分部材の背後に隠れる等して、当該遊技球の視認性が低下することを好適に抑制できる。
【０３５４】
特徴Ａ１１．前記振分部材には、前記第１状態となっている場合に、前記球受け部に到達した遊技球を前記第１流路側へ排出可能な第１排出部（第２開放部３２５）と、前記第２状態となる場合に前記球受け部に位置している遊技球を前記第２流路側へ排出可能な第２排出部（第１開放部３２４）とが形成されており、
前記第２流路は、前記第１流路よりも遊技者に有利となるように構成されていることを特徴とする特徴Ａ１乃至特徴Ａ１０のいずれか１つに記載の遊技機。
【０３５５】
第１状態から第２状態へ切り替わる場合に相対的に遊技者に有利な第２流路へ遊技球が振り分けられる機会が発生するため、第１状態の終了に向けて遊技が進むことにより、遊技者の遊技意欲の低下を好適に抑制できる。
【０３５６】
特徴Ａ１２．前記第１状態から前記第２状態へ切り替える場合の前記振分部材の動作方向として、第１の方向と当該第１の方向とは逆となる第２の方向とが設定されていることを特徴とする特徴Ａ１乃至特徴Ａ１１のいずれか１つに記載の遊技機。
【０３５７】
特徴Ａ１２によれば、第１の方向に回動させる場合と第２の方向に回動させる場合とで、遊技球の振分先を異ならせることができる。これにより、遊技球の動きの更なる多様化を実現できる。
【０３５８】
＜特徴Ｂ群＞
以下の特徴Ｂ群は、「パチンコ遊技機等の遊技機には、遊技球が流下する遊技領域が形成された遊技盤を備えているものがある。遊技者の発射操作に基づいて遊技球が遊技領域に向けて発射され、発射された遊技球が遊技領域に設けられた入球部に入ると、それに基づいて遊技球の払い出し等の特典が遊技者に付与される。このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。」という背景技術について、「しかしながら、遊技球の動きによって遊技への注目度を向上させる上では、その構成に未だ改善の余地がある。」という発明が解決しようとする課題をもってなされたものである。
【０３５９】
特徴Ｂ１．遊技領域（遊技領域ＰＥ）が形成された遊技盤（遊技盤ユニット８０）と、
前記遊技領域を流下する遊技球であって所定の入球口（流入口７１１）に入球した遊技球を第１流路（第１案内通路７３１）側へ案内する第１案内部（第１通路部７４５）及び当該第１流路よりも遊技者に有利な第２流路（第２案内通路７３２）側へ案内する第２案内部（第２通路部７４６）が形成された振分部材（開閉体７１６）と、
前記振分部材を動作させる駆動部（駆動部７１７）と
を備え、
前記駆動部を駆動制御することにより、前記振分部材を、前記所定の入球口への入球が可能な第１状態（開状態）と、当該第１状態よりも前記所定の入球口への入球が困難な第２状態（閉状態）とに切り替える切替手段（主制御装置１６２にて開閉装置７１５の駆動制御を実行する機能）を備えていることを特徴とする遊技機。
【０３６０】
従来の遊技機で採用されているように、所定の入球口への入球後に当該所定の入球口から大きく離れた箇所にて遊技球の振分けを行う構成では、遊技者が注目すべき箇所が散在することとなる。これでは、入球箇所と振分箇所との一方に注視すると、他方での遊技球の動き等が分かりづらくなり、遊技者の困惑を招きやすくなる。この点、本特徴に示す構成によれば、所定の入球口に入球した遊技球については振分部材の第１案内部及び第２案内部によって不利側の第１流路及び有利側の第２流路に振り分けられることとなる。そして、この振分部材が第１状態／第２状態に切り替わることにより、所定の入球口への入球が左右されることとなる。つまり、本特徴に示す振分部材には所定の入球口への入球制限機能と所定の入球口へ入球した遊技球の振分機能とが付与されている。所定の入球口に併設された振分部材を見れば入球の可否や振分先等を容易に把握することができる。これにより、遊技への注目度の向上に寄与できる。
【０３６１】
特徴Ｂ２．前記第１案内部及び前記第２案内部は、前記振分部材の動作に伴って前記所定の入球口に対する位置が変化するように構成されていることを特徴とする特徴Ｂ１に記載の遊技機。
【０３６２】
単に入球箇所や振分箇所を一所にまとめようとしても入球制限用の可動部材と振分用の可動部材とが個別となることで、遊技者の困惑を抑える効果は低下すると想定される。また、複数の可動部材を並存させようとした場合には、それら可動部材の占有領域が嵩む。これは、それら可動部材の配置に係る制約を緩和させる上で好ましくない。この点、本特徴に示すように、振分部材の動作に伴って第１案内部及び第２案内部の所定の入球口に対する位置を変化させる構成とすれば、簡素な構造によって入球制限及び振分の各機能を発揮させることができ、それらの課題を好適に解消できる。
【０３６３】
特徴Ｂ３．前記第１案内部は、前記所定の入球口に連通することにより当該第１案内部へ遊技球が流入可能となる入口部分（入口７４５ａ）を有しており、
前記第２案内部には、前記所定の入球口に連通することにより当該第２案内部へ遊技球が流入可能となる入口部分（入口７４６ａ）を有していることを特徴とする特徴Ｂ２に記載の遊技機。
【０３６４】
特徴Ｂ３によれば、第１案内部用の入口部分と第２案内部用の入口部分とを個別に設けることにより、遊技者が所定の入球口付近を注視している場合であっても何れの案内部を経由するかを見極めやすくなる。これは、上述した注目度向上効果を好適に発揮させる上で好ましい。
【０３６５】
特徴Ｂ４．前記振分部材は、前記第１状態では前記第１案内部の入口部分及び前記第２案内部の入口部分の一方が前記所定の入球口に対応する特定位置に停留し、前記第１状態から前記第２状態に切り替わる過程で前記第１案内部の入口部分及び前記第２案内部の入口部分の他方が前記特定位置を通過するように構成されていることを特徴とする特徴Ｂ３に記載の遊技機。
【０３６６】
特徴Ｂ４によれば、第１状態では所定の入球口に到達した遊技球は一方の案内部の入口部分へ流入する。第１状態から第２状態へ切り替わる場合には、その過程で他方の案内部へ遊技球が流入可能となる。このような構成とすれば、第２状態への切り替え前に遊技球の振分先が変化することとなり、遊技の単調化を好適に抑制できる。
【０３６７】
なお、本特徴に示す構成を「前記振分部材は、前記第１状態では前記第１案内部及び前記第２案内部の一方が前記所定の入球口に対応する特定位置に停留し、前記第１状態から前記第２状態に切り替わる過程で前記第１案内部及び前記第２案内部の他方が前記特定位置を通過するように構成されていることを特徴とする特徴Ｂ２に記載の遊技機。」とすることも可能である。
【０３６８】
特徴Ｂ５．前記振分部材は、前記第１状態では前記所定の入球口に対応する特定位置に前記第１案内部の入口部分が位置し、前記第１状態及び前記第２状態の一方から他方へ切り替わる過程で前記特定位置を前記第２案内部の入口部分が通過するように構成されていることを特徴とする特徴Ｂ３に記載の遊技機。
【０３６９】
特徴Ｂ５によれば、第１状態では遊技球の案内先が相対的に不利な第１流路となり、第１状態から第２状態へ切り替わる過程では遊技球の案内先が相対的に有利な第２流路となる。このような構成とすれば、入球が困難又は不可となる第２状態への切り替えに際して、有利側の第２流路への遊技球の振り分けへ期待が持てることとなり、第２状態への切り替えが遊技者の遊技意欲を低下させる要因になることを好適に抑制できる。
【０３７０】
なお、本特徴に示す構成を「前記振分部材は、前記第１状態では前記所定の入球口に対応する特定位置に前記第１案内部が位置し、前記第１状態及び前記第２状態の一方から他方へ切り替わる過程で前記特定位置を前記第２案内部が通過するように構成されていることを特徴とする特徴Ｂ２に記載の遊技機。」とすることも可能である。
【０３７１】
特徴Ｂ６．前記第１案内部の入口部分及び前記第２案内部の入口部分のうち前記第１状態から前記第２状態に切り替わる過程で前記特定位置を通過する入口部分は、前記第１案内部の入口部分及び前記第２案内部の入口部分のうち前記通過の対象ではない入口部分よりも大きくなっていることを特徴とする特徴Ｂ４又は特徴Ｂ５に記載の遊技機。
【０３７２】
特徴Ｂ３等に示したように、第１状態から第２状態への切替過程にて所定の入球口に対応する特定位置を一方の案内部の入口部分が通過する構成においては、通過の過程で遊技球が入口部分を通過するため、当該入口部分への入球については他方の入口部分への入球よりも困難になる。特に、第１状態から第２状態への切替応答性の向上を図るべく、振分部材の動作速度を高くすれば、通過時に入球が発生する可能性は低くなる。このように実質的に入球が困難となれば、特徴Ｂ１に示した注目度向上効果を発揮させる上で妨げになると懸念される。そこで、本特徴に示すように、通過の対象となっている一方の入口部分を他方よりも大きくすることで、遊技者に入球の余地が十分にあるとの印象を与え、上記不都合の発生を抑制できる。
【０３７３】
なお、本特徴に示す構成を「前記第１案内部及び前記第２案内部のうち前記第１状態から前記第２状態に切り替わる過程で前記特定位置を通過するものは、その入口部分が前記第１案内部及び前記第２案内部のうちの他方の入口部分よりも大きくなっていることを特徴とする特徴Ｂ４又は特徴Ｂ５に記載の遊技機。」とすることも可能である。
【０３７４】
特徴Ｂ７．前記第１案内部及び前記第２案内部は、遊技球の案内に要する所要期間が相違しており、
それら第１案内部及び第２案内部のうち前記所要期間が相対的に長いものについては、前記第１状態から前記第２状態に切り替わった後も案内先となる流路への案内機能が維持される構成となっていることを特徴とする特徴Ｂ４乃至特徴Ｂ６のいずれか１つに記載の遊技機。
【０３７５】
特徴Ｂ７に示すよう案内に要する所要期間が長いものについては、第１状態から第２状態に切り替わった後も案内機能が維持される構成とすれば、所要期間の確保が第１状態から第２状態への切替応答性の向上を妨げる要因になることを抑制できる。
【０３７６】
特徴Ｂ８．前記第２案内部を遊技球が通過するのに要する所要期間は、前記第１案内部を遊技球が通過するのに要する所要期間よりも長くなっており、
前記第２案内部は、当該第２案内部へ流入した遊技球を前記第２状態となっている場合であっても前記第２流路への案内機能が維持される構成となっていることを特徴とする特徴Ｂ４乃至特徴Ｂ６のいずれか１つに記載の遊技機。
【０３７７】
特徴Ｂ８によれば、第２案内部による第２流路への遊技球の案内が完了するまで第２状態への切り替えを遅延させる必要がなくなり、第１状態から第２状態への切替応答性を好適に向上させることができる。
【０３７８】
特徴Ｂ９．前記第１流路の流入口及び前記第２流路の流入口の一方は、前記所定の入球口の直下となる位置に配設され、前記第１流路の流入口及び前記第２流路の流入口の他方は、前記所定の入球口に対して水平方向にずれた位置に配設されており、
前記第１案内部及び前記第２案内部のうち前記ずれた位置に配設された流入口に対応するものについては通路状をなしており、水平方向において当該通路状の案内部の出口部分と入口部分とがずれていることを特徴とする特徴Ｂ７又は特徴Ｂ８に記載の遊技機。
【０３７９】
本特徴に示すように、第２流路の流入口用に設けられた通路状をなす案内部について、水平方向にて出口部分と入口部分とをずらすことにより、第１流路の流入口と第２流路の流入口とを好適に共存させることができる。
【０３８０】
特徴Ｂ１０．前記振分部材は、回動可能に保持されており、
前記第１案内部及び前記第２案内部は、回動方向に並設されており、
前記通路状の案内部の出口部分は、当該通路状の案内部の入口部分よりも前記振分部材の回動中心寄りとなるように形成されていることを特徴とする特徴Ｂ９に記載の遊技機。
【０３８１】
特徴Ｂ１０によれば、振分部材の回動によって案内部の位置が変化した場合であっても案内先となる流入口への遊技球の案内機能を好適に維持させる上で、当該流入口の大型化を抑え、流入口と周辺構成とを好適に共存させることができる。
【０３８２】
特徴Ｂ１１．前記はずれた位置に配設された入口部分は、前記振分部材の回動中心軸線上に位置していることを特徴とする特徴Ｂ１０に記載の遊技機。
【０３８３】
特徴Ｂ１１によれば、特徴Ｂ１０に示した効果を一層好適に発揮させることができる。
【０３８４】
なお、上記特徴Ａ群に示した各技術的思想を特徴Ｂ１〜特徴Ｂ１１に適用してもよい。
【０３８５】
＜特徴Ｃ群＞
以下の特徴Ｃ群は、「パチンコ遊技機等の遊技機には、遊技球が流下する遊技領域が形成された遊技盤を備えているものがある。遊技者の発射操作に基づいて遊技球が遊技領域に向けて発射され、発射された遊技球が遊技領域に設けられた入球部に入ると、それに基づいて遊技球の払い出し等の特典が遊技者に付与される。このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。」という背景技術について、「しかしながら、遊技球の動きによって遊技への注目度を向上させる上では、その構成に未だ改善の余地がある。」という発明が解決しようとする課題をもってなされたものである。
【０３８６】
特徴Ｃ１．遊技領域（遊技領域ＰＥ）が形成された遊技盤（遊技盤ユニット８０）と、
前記遊技領域を流下する遊技球であって所定の入球口（流入口５１１）に入球した遊技球を、第１流路（第１案内通路５３１）と当該第１流路よりも遊技者に有利な第２流路（第２案内通路５３２）とに振分可能な振分手段（可変入賞ユニット５００の開閉装置５１５）と
を備え、
前記振分手段は、前記所定の入球口への入球を許容し且つ当該所定の入球口へ入球した遊技球を前記第１流路へ案内する第１状態（第１開状態）と、前記所定の入球口への入球を許容し且つ当該所定の入球口へ入球した遊技球を前記第２流路へ案内する第２状態（第２開状態）と、それら第１状態及び第２状態よりも前記所定の入球口への入球を困難又は不可とする第３状態（閉状態）とに切替可能となっていることを特徴とする遊技機。
【０３８７】
特徴Ｃ１によれば、振分手段が第３状態となっている場合には、所定の入球口への入球を困難又は不可となる。振分手段が第１状態に切り替わると、所定の入球口への入球が許容され且つ当該所定の入球口へ入球した遊技球が第１流路へ案内されることとなる。これに対して、振分手段が第２状態に切り替わると、所定の入球口への入球が許容される点では第１状態と同様であるが、所定の入球口へ入球した遊技球については第２流路へ案内される。つまり、第１状態と第２状態では所定の入球口へ遊技球が入球するものの、その案内先については各状態に応じて切り替えられることとなる。このような構成とすれば、遊技球の動きを多様化し、遊技の単調化を抑制することが可能となる。故に、遊技への注目度の向上に寄与できる。
【０３８８】
特徴Ｃ２．前記振分手段は、前記第１状態となっている場合に前記第１流路の流入口へ遊技球を案内する第１案内路を形成し、前記第２状態となっている場合に前記第２流路の流入口へ遊技球を案内する第２案内路を形成する案内部材（開閉体５１６）を有していることを特徴とする特徴Ｃ１に記載の遊技機。
【０３８９】
本特徴に示すように、案内部材による案内路を第１状態／第２状態にて切り替える構成とすることにより、特徴Ｃ１に示した技術的思想を好適に具現化できる。
【０３９０】
特徴Ｃ３．前記案内部材は、前記振分手段が前記第１状態となっている場合に前記第１案内路を形成する案内路形成部（開閉体５１６の上面部分）を有し、前記振分手段が前記第２状態となっている場合には前記案内路形成部によって前記第２流路の流入口への前記案内路を形成することを特徴とする特徴Ｃ２に記載の遊技機。
【０３９１】
本特徴に示す構成によれば、第１状態及び第２状態にて遊技球の案内先が変更される場合であっても、遊技球の案内には同じ案内路形成部が用いられることとなり、遊技球の挙動に違いを付与しつつもそれが過剰となる等して遊技者を困惑させる要因になることを抑制できる。
【０３９２】
特徴Ｃ４．前記案内路形成部は、遊技球の転動面を形成しており、
前記案内部材は、前記案内路形成部上に遊技球が位置している場合に、当該遊技球の重さに抗して前記第１状態及び前記第２状態に切り替わる構成となっていることを特徴とする特徴Ｃ３に記載の遊技機。
【０３９３】
本特徴に示す構成によれば、遊技球が案内路形成部上に位置している状態にて案内部材の姿勢や位置等を変化させることができる。これにより、例えば第１流路及び第２流路の一方へ案内中の遊技球の案内先を途中で他方へ変更させることができる。つまり、案内部材に到達した時点では遊技球の案内先が確定しない。このような構成とすることにより、遊技球の挙動への注目度を好適に向上させることができる。
【０３９４】
特徴Ｃ５．前記第１状態から前記第３状態へ切り替わる場合に前記第２状態を経由する構成となっており、
前記第１状態における前記案内路形成部の高さ位置よりも前記第２状態における前記案内路形成部の高さ位置のほうが高くなるように構成されていることを特徴とする特徴Ｃ３又は特徴Ｃ４に記載の遊技機。
【０３９５】
本特徴に示す構成によれば、第１状態から第２状態に切り替わる場合には、案内路形成部に載っている遊技球を持ち上げる必要が生じ、第２状態への切り替わりを遅らせることができる。これにより、第２流路へ遊技球が案内される機会が増えることとなる。このように、案内路形成部に遊技球が位置するか否かによって第２流路へ遊技球が案内される機会が増減することにより、遊技球の挙動が単調になることを好適に抑制できる。
【０３９６】
特徴Ｃ６．前記第１状態から前記第３状態へ切り替わる場合に前記第２状態を経由する構成となっており、
前記第１状態から前記第３状態へ切り替わる場合に、前記案内路形成部上に遊技球が位置していない場合と比べて、前記案内路形成部上に遊技球が位置している場合のほうが前記第１状態から前記第２状態への切り替えが遅くなるように構成されていることを特徴とする特徴Ｃ３乃至特徴Ｃ５のいずれか１つに記載の遊技機。
【０３９７】
特徴Ｃ６に示す構成によれば、第１状態→第２状態→第３状態に切り替わる場合には、第１状態にて案内路形成部に遊技球が載っている場合の方が第２状態への切り替えが遅れることとなる。これにより、第２流路へ遊技球が案内される機会が増えることとなる。このように、案内路形成部に遊技球が位置するか否かによって第２流路へ遊技球が案内される機会が増減することにより、遊技球の挙動が単調になることを好適に抑制できる。
【０３９８】
特徴Ｃ７．前記第３状態から前記第１状態へ切り替わる場合に前記第２状態を経由する構成となっており、
前記第３状態から前記第１状態へ切り替わる場合に、前記案内路形成部上に遊技球が位置していない場合と比べて、前記案内路形成部上に遊技球が位置している場合のほうが前記第３状態から前記第１状態への切り替えが速くなるように構成されていることを特徴とする特徴Ｃ６に記載の遊技機。
【０３９９】
案内路形成部上に遊技球が位置している状況下にて第１状態への切り替えが行われる場合に当該遊技球が第２流路へ案内されることは、第１状態から第３状態への切り替えが行われる場合に第２流路へ遊技球が案内されることについてその希少性を低下させる要因になる。そこで、第３状態から第１状態へ切り替わる場合には、遊技球の重さ等を利用して第１状態への切り替えを速やかに行うことにより、第２流路へ案内される機会が増えることを好適に抑制できる。
【０４００】
特徴Ｃ８．前記第１状態から前記第３状態へ切り替わる場合に前記第２状態を経由する構成となっていることを特徴とする特徴Ｃ１乃至特徴Ｃ７のいずれか１つに記載の遊技機。
【０４０１】
所定の入球口への入球に期待する遊技者は、第１状態や第２状態に期待して遊技を行うものと想定される。このため、第３状態への切り替えが発生することが遊技意欲を低下させる契機になり得る。ここで、本特徴に示す構成においては、第１状態から第３状態へ変化する場合には、第２状態を経由することで遊技球の案内先が第１流路から第２流路に切り替わることとなる。つまり、所定の入球口への入球が困難又は不可となる第３状態への切り替わりの際には、当該第３状態への切替直前に一時的に遊技者の有利度が増すこととなる。これにより、第１状態の終了に向けて遊技者の注目度が低下することを抑制し、第３状態への切り替えが遊技意欲低下の要因になることを抑制できる。
【０４０２】
特徴Ｃ９．前記振分手段は、前記第１状態となっている場合に前記第１流路の流入口へ遊技球を案内する第１案内路を形成し、前記第２状態となっている場合に前記第２流路の流入口へ遊技球を案内する第２案内路を形成する案内部材（開閉体５１６）を有し、
前記第１流路の流入口は前記所定の入球口の直下となる位置に設けられ、前記第２流路の流入口は前記直下となる位置から外れた位置に設けられており、
前記振分手段は、前記第１状態では前記案内部材が前記流入口と前記所定の入球口の間となる位置から退避し、前記第２状態では前記案内部材が前記間となる位置に位置するように構成されていることを特徴とする特徴Ｃ２乃至特徴Ｃ８のいずれか１つに記載の遊技機。
【０４０３】
本特徴に示す構成によれば、第１状態及び第２状態のいずれにおいても所定の入球口から落下した遊技球が案内部材に衝突するのではなく、遊技球が衝突する機会を第２状態に限定することができる。このような構成とすれば、案内部材を保護し、案内部材に歪み等の変形が生じることを抑制できる。これは、案内部材による遊技球の案内機能の低下を抑える上で好ましい。
【０４０４】
特徴Ｃ１０．第１条件が成立した場合に前記振分手段を前記第３状態から前記第１状態に切り替え、前記第１条件とは異なる第２条件が成立した場合に前記振分手段を前記第３状態から前記第１状態に切り替える切替手段を備えていることを特徴とする特徴Ｃ１乃至特徴Ｃ９のいずれか１つに記載の遊技機。
【０４０５】
特徴Ｃ１０によれば、成立した条件に応じて振分手段が第３状態から第１状態に切り替わったり第３状態から第２状態に切り替わったりする。このようにして、遊技球の挙動が単調になることを抑制したとしても、入球の可否や振り分け先を規定する構成が散在することを回避できる。故に、遊技への注目後の向上を図りつつ、それが遊技者の困惑を招く要因になることを好適に抑制できる。
【０４０６】
特徴Ｃ１１．前記第１条件は前記第２条件よりも成立しやすい構成となっており、
前記切替手段は、前記第１条件が成立した場合には、前記第３状態から前記第１状態に切り替えた後に前記第１状態から前記第２状態を経て前記第３状態に切り替える構成となっていることを特徴とする特徴Ｃ１０に記載の遊技機。
【０４０７】
特徴Ｃ１１によれば、相対的に成立が容易な第１条件が成立した場合には、第１状態から第３状態へ復帰する場合に第２状態を経由することとなる。このようにして第２流路への流入機会を増やすことにより、第１条件の成立に基づいて振分手段を動作させる場合であっても、遊技への注目度を好適に向上させることができる。
【０４０８】
特徴Ｃ１２．前記切替手段は、前記第２条件が成立した場合には、前記第３状態から前記第２状態に切り替えた後に前記第２状態から前記第１状態を経由することなく前記第３状態に切り替える構成となっていることを特徴とする特徴Ｃ１１に記載の遊技機。
【０４０９】
特徴Ｃ１２によれば、第２条件が成立して第２状態から第３状態へ復帰させる場合には第１状態を非経由とすることにより、特徴Ｃ１１に示した効果を発揮させつつ、第１条件成立時と第２条件成立時との有利度の差が過度に小さくなることを抑制できる。
【０４１０】
なお、特徴Ａ群〜特徴Ｂ群に示した各技術的思想を特徴Ｃ１〜特徴Ｃ１２に適用してもよい。
【０４１１】
＜特徴Ｄ群＞
以下の特徴Ｄ群は、「パチンコ遊技機等の遊技機には、遊技球が流下する遊技領域が形成された遊技盤を備えているものがある。遊技者の発射操作に基づいて遊技球が遊技領域に向けて発射され、発射された遊技球が遊技領域に設けられた入球部に入ると、それに基づいて遊技球の払い出し等の特典が遊技者に付与される。このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。」という背景技術について、「しかしながら、遊技球の動きによって遊技への注目度を向上させる上では、その構成に未だ改善の余地がある。」という発明が解決しようとする課題をもってなされたものである。
【０４１２】
特徴Ｄ１．遊技領域（遊技領域ＰＥ）が形成された遊技盤（遊技盤ユニット８０）と、
前記遊技盤の前面に沿う方向に延びる回動中心軸線を中心に回動可能に設けられた開閉体（開閉体３１６）を有し、当該開閉体が回動することにより、前記遊技領域を流下する遊技球の所定の入球口（流入口３１１）への入球を許容する第１状態（開状態）と、前記第１状態よりも前記所定の入球口への入球を困難又は不可とする第２状態（閉状態）とに切り替わる可変入球部（可変入賞ユニット３００の開閉装置３１５）を有し、
前記開閉体には、前記第１状態となっている状況下にて前記所定の入球口の奥側に位置し且つ当該所定の入球口に入球した遊技球を前記遊技盤の前面に沿う方向に案内する球通路（溝部３２３）が形成されていることを特徴とする遊技機。
【０４１３】
特徴Ｄ１によれば、遊技盤の前面に沿う方向に延びる回動中心軸線を中心に開閉体が回動することにより、可変入球部が第２状態から第１状態に切り替わる。第１状態では、所定の入球口への入球が許容され、開閉体の一部が入球口の奥側に位置することとなる。入球口を通過した遊技球は、開閉体に形成された球通路により、遊技盤の前面に沿う方向に移動することとなる。このような構成とすれば、構造の複雑化を抑えつつ、開閉体の動きと遊技球の動きとに関連性を付与し、遊技への注目度を好適に向上させることができる。
【０４１４】
特徴Ｄ２．前記開閉体には前記遊技盤の前面に沿う方向に延びる溝部が形成されており、当該溝部によって前記球通路が構成されており、前記第１状態では当該溝部の開放部分（第１開放部３２４）が前記所定の入球口に対して当該所定の入球口の奥側から対峙するように構成されていることを特徴とする特徴Ｄ１に記載の遊技機。
【０４１５】
特徴Ｄ１に示したように開閉体が所定の入球口の奥側に位置する通路として機能している場合には、開閉体によって入球口に入球した遊技球を受けたり、遊技球を支えたりする必要が生じる。溝部によって球通路を形成すれば、開閉体の強度を向上させることができる。故に、強度不足による開閉体の変形を抑制し、通路としての機能の付加が原因となって本来の開閉機能が上手く発揮されなくなることを抑制できる。また、強度不足を解消しつつも開閉体の重量増加を抑えることができる。これは、第１状態／第２状態の切り替えを行う際の応答性の低下を抑制する上で好ましい。
【０４１６】
特徴Ｄ３．前記所定の入球口の内部を遊技機前方から視認可能となっており、
前記第１状態から前記第２状態を切り替える場合には、前記溝部の開放部分（第１開放部３２４）が遊技機前方を向く状態を経由する構成となっていることを特徴とする特徴Ｄ２に記載の遊技機。
【０４１７】
特徴Ｄ３によれば、第１状態から第２状態に切り替わる際に球通路を通過中の遊技球が存在する場合に、当該通過中の遊技球の動きを遊技機前方から確認することができる。これにより、遊技球の動きに注目している状態にて、視認性が突如として低下することを抑制できる。
【０４１８】
特徴Ｄ４．遊技領域（遊技領域ＰＥ）が形成された遊技盤（遊技盤ユニット８０）と、
前記遊技盤の前面に沿う方向に延びる回動中心軸線を中心に回動可能に設けられた開閉体（開閉体３１６）を有し、当該開閉体が回動することにより、前記遊技領域を流下する遊技球の所定の入球口（流入口３１１）への入球を許容する第１状態（開状態）と、前記第１状態よりも前記所定の入球口への入球を困難又は不可とする第２状態（閉状態）とに切り替わる可変入球部（可変入賞ユニット３００の開閉装置３１５）を有し、
前記開閉体には、遊技球が通過可能な通過部（第１開放部３２４）と、当該通過部を通過した遊技球が前記回動中心軸線方向に案内する転動面（内面部３２８）が形成された通路部（溝部３２３）とが当該開閉体の回動方向に並設されており、
前記通過部及び前記通路部は、前記可変入球部が前記第１状態となっている場合に、前記通過部が前記所定の入球口と連通し、当該通過部の下方に前記転動面が位置するように構成されていることを特徴とする遊技機。
【０４１９】
特徴Ｄ４によれば、開閉体が回動中心軸線を中心に回動することにより、可変入球部が第１状態／第２状態に切り替わる。ここで、開閉体には、通過部及び通路部が形成されており、第１状態では所定の入球口に入球した遊技球が通過部を通過して通路部に到達する。その後は、通路部の転動面に沿って回動中心軸線方向に移動する。このような構成とすれば、第１状態／第２状態の切り替えに際して開閉体が回動して当該開閉体の姿勢が変化することで通路部の状態を変化させることができる。つまり、通路部を通過中の遊技球の挙動を変化させることができる。これにより、所定の入球部へ入球した後の遊技球の挙動が単調になることを抑制し、遊技への注目度の向上に寄与できる。
【０４２０】
特徴Ｄ５．前記第１状態においては、前記通過部を通過した遊技球が前記通路部へ到達するように構成されており、
前記可変入球部が前記第１状態から前記第２状態となる場合には、前記開閉体の前記通過部と前記通路部の位置が逆転するように構成されていることを特徴とする特徴Ｄ４に記載の遊技機。
【０４２１】
特徴Ｄ５によれば、通過部と通路部との位置か逆転することにより、前記通路部を通過中の遊技球は、通過部を通じて開閉体から流出することとなる。これにより、所定の入球口への入球後の遊技球の挙動を更に多様化することができる。
【０４２２】
特徴Ｄ６．前記開閉体は、前記所定の入球口の奥側に配設されており、
前記可変入球部が前記第２状態となっている場合には、前記開閉体において前記通路部を形成している部分にて前記転動面が形成されている側とは反対側の面部（外面部３２９）によって前記所定の入球口が当該所定の入球口の奥側から覆われることを特徴とする特徴Ｄ４又は特徴Ｄ５に記載の遊技機。
【０４２３】
特徴Ｄ６によれば、開閉体が回動中心軸線を中心に回動することにより、当該開閉体の上記面部によって所定の入球口が覆われることとなる。
【０４２４】
なお、特徴Ａ群〜特徴Ｃ群に示した各技術的思想を特徴Ｄ１〜特徴Ｄ６に適用してもよい。
【０４２５】
＜特徴Ｅ群＞
以下の特徴Ｅ群は、「パチンコ遊技機等の遊技機には、遊技球が流下する遊技領域が形成された遊技盤を備えているものがある。遊技者の発射操作に基づいて遊技球が遊技領域に向けて発射され、発射された遊技球が遊技領域に設けられた入球部に入ると、それに基づいて遊技球の払い出し等の特典が遊技者に付与される。このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。」という背景技術について、「しかしながら、遊技球の動きによって遊技への注目度を向上させる上では、その構成に未だ改善の余地がある。」という発明が解決しようとする課題をもってなされたものである。
【０４２６】
特徴Ｅ１．遊技領域（遊技領域ＰＥ）が形成された遊技盤（遊技盤ユニット８０）と、
前記遊技盤に配設され、遊技球を所定位置（第１案内通路３３１の入口部分３３１ａ）へ案内可能な通路部（溝部３２３Ｃ）を形成する通路形成体（開閉体３１６）と、
前記通路形成体を、前記案内を行う案内状態（開状態）及び前記案内を行わない非案内状態（閉状態）に切り替える切替手段（駆動部３１７及び主制御装置１６２）と
を備え、
前記通路形成体の前記案内状態として、第１案内状態（第１開状態）と、当該第１案内状態とは前記通路部における遊技球の通過に要する期間が長い第２案内状態（第２開状態）とを含んでいることを特徴とする遊技機。
【０４２７】
特徴Ｅ１によれば、遊技領域を流下する遊技球にて通路形成体（通路部）に到達したものは当該通路によって所定位置へ案内される。ここで、通路形成体の案内状態には第１案内状態と第２案内状態とが設けられており、何れの案内状態になるかによって通路部の通過に要する期間（通過所要期間）に差が生じる。このように通路形成体の状態によって通過所要期間が異なる構成とすれば、遊技球の挙動が単調になることを抑制して、遊技への注目度の向上に寄与できる。
【０４２８】
特徴Ｅ２．前記切替手段は、前記第１案内状態から前記非案内状態に切り替える場合に、前記第２案内状態を経由させるように構成されていることを特徴とする特徴Ｅ１に記載の遊技機。
【０４２９】
特徴Ｅ２によれば、第１案内状態から非案内状態に切り替わる場合には第２案内状態を経由することで、遊技球の通過所要期間が一時的に延長されることとなる。これにより、所定位置に向けた遊技球の動きを多様化させることができる。
【０４３０】
特徴Ｅ３．前記所定位置は、第１所定位置であり、
前記通路形成体が、前記非案内状態となった場合に前記通路部に位置している遊技球は前記第１所定位置とは異なる第２所定位置（第２案内通路３３２の入口部分３３２ａ）へ排出される構成となっていることを特徴とする特徴Ｅ２に記載の遊技機。
【０４３１】
案内状態においては通路部に到達した遊技球は第１所定位置へと移動する。案内状態から非案内状態に切り替わる場合には通路部に位置している遊技球は第２所定位置へ移動することとなる。ここで、第１案内状態から第２案内状態を経て非案内状態に切り替わる場合には、第２案内状態となることで遊技球の移動が遅延される等し、非案内状態に切り替わるまで遊技球が通路部に留まる可能性が高くなる。これにより、第２所定位置へ遊技球が移動することへ期待する遊技者に対して、遊技への注目を促すことができる。
【０４３２】
特徴Ｅ４．前記切替手段は、前記通路形成体を所定方向へ動作させることにより、前記第１案内状態から前記非案内状態への切り替えを行うものであり、
前記通路部には、遊技球の流路として、第１流路（溝部３２３Ｃにて突起３２８Ｃが形成されていない部分）及び当該第１流路よりも遊技球の通過期間が長い第２流路（溝部３２３Ｃにて突起３２８Ｃが形成されている部分）とが前記所定方向と交差する方向に並べて設けられており、前記第１案内状態から前記第２案内状態となることで前記第１流路に位置する遊技球が前記第２流路に移るように構成されていることを特徴とする特徴Ｅ２又は特徴Ｅ３に記載の遊技機。
【０４３３】
特徴Ｅ４によれば、通路形成体が所定方向へ動作することにより通路部における遊技球の流路が第１流路から第２流路に切り替る。これにより、遊技球の通過所要期間が長くなる。このような構成とすれば、特徴Ｅ２等に示した技術的思想を好適に具現化できる。
【０４３４】
特徴Ｅ５．前記通路部の全域にて前記第１流路から前記第２流路への遊技球の移動が可能となっていることを特徴とする特徴Ｅ４に記載の遊技機。
【０４３５】
通路形成体を非案内状態に切り替える場合には、遊技球が通路部におけるどの位置に存在しているかは様々となる。そこで、本特徴に示すように、通路部の全域にて第１流路から第２流路への遊技球の移動を可能とすれば、特徴Ｅ４に示した機能を好適に発揮させることができる。
【０４３６】
特徴Ｅ６．前記第１案内状態においては前記通路部にて前記第１流路を形成している部分が当該通路部の底部となり、前記第２案内状態においては前記通路部にて前記第２流路を形成している部分が当該通路部の底部となるように構成されていることを特徴とする特徴Ｅ４又は特徴Ｅ５に記載の遊技機。
【０４３７】
特徴Ｅ６によれば、遊技球を通路部の底部に据えたまま流路が第１流路／第２流路に切り替る。このような構成とすれば、通路部を移動する遊技球を目で追いにくくなるといった不都合を生じにくくすることができる。
【０４３８】
特徴Ｅ７．前記通路形成体は、前記通路部の通路方向と同じ方向に延びる回動中心軸線を中心として回動可能となるように保持されており、
前記切替手段は当該通路形成体を回動させることにより、前記第１案内状態から前記非案内状態への切り替えを行うものであり、
前記通路部における前記回動中心軸線と交差する断面が当該回動中心軸線を中心とする円弧状をなしていることを特徴とする特徴Ｅ６に記載の遊技機。
【０４３９】
特徴Ｅ７によれば、通路部に位置する遊技球は円弧状をなす通路部の底部を通過することとなる。ここで、第１案内状態から第２案内状態に切り替わる場合には、底部に位置する流路が第１流路から第２流路に切り替ることとなり、遊技球自体を回動中心軸線と交差する方向に移動させる必要がなくなる。このような構成とすれば、上述した流路の切り替えを円滑に行うことが可能となる。
【０４４０】
特徴Ｅ８．前記通路形成体には、前記第２流路を通過する遊技球に当接することにより、前記通路部の通路方向へ移動する遊技球を減速させる減速部（突起３２８Ｃ）が形成されていることを特徴とする特徴Ｅ４乃至特徴Ｅ７のいずれか１つに記載の遊技機。
【０４４１】
特徴Ｅ１に示したように第１流路及び第２流路によって通路部の通過所要期間を相違させる上では、遊技球に当接することで当該遊技球を減速させる構成とすればよい。これにより、通路部に係る構成を簡素化しつつ通過所要期間の差を確保できる。
【０４４２】
特徴Ｅ９．前記所定位置は、第１所定位置であり、
前記通路形成体が、前記非案内状態となった場合に前記通路部に位置している遊技球は前記第１所定位置とは異なる第２所定位置（第２案内通路３３２の入口部分３３２ａ）へ排出される構成となっており、
前記減速部は、前記通路部の通路方向と交差する方向に延びていることを特徴とする特徴Ｅ８に記載の遊技機。
【０４４３】
特徴Ｅ９によれば、通路部から第２所定位置へ排出される遊技球の動きが減速部によって妨げられることを抑制し、第２所定位置への遊技球を円滑に排出することができる。
【０４４４】
なお、特徴Ａ群〜特徴Ｄ群に示した各技術的思想を特徴Ｅ１〜特徴Ｅ９に適用してもよい。
【０４４５】
＜特徴Ｆ群＞
以下の特徴Ｆ群は、「パチンコ遊技機等の遊技機には、遊技球が流下する遊技領域が形成された遊技盤を備えているものがある。遊技者の発射操作に基づいて遊技球が遊技領域に向けて発射され、発射された遊技球が遊技領域に設けられた入球部に入ると、それに基づいて遊技球の払い出し等の特典が遊技者に付与される。このように遊技球の動きに応じて特典の付与が左右される遊技機においては、遊技領域に釘や風車等の遊技部品を配設することにより、遊技球の流下経路を分散させ、遊技球の動きを多様化させることで同遊技球の動きへの注目度、ひいては遊技への注目度を高めているものがある（例えば、特許文献１参照）。」という背景技術について、「しかしながら、遊技球の動きによって遊技への注目度を向上させる上では、その構成に未だ改善の余地がある。」という発明が解決しようとする課題をもってなされたものである。
【０４４６】
特徴Ｆ１．遊技領域（遊技領域ＰＥ）が形成された遊技盤（遊技盤ユニット８０）を備え、前記遊技領域を流下する遊技球が通過する通路を形成する通路形成体（開閉体６１６）が設けられている遊技機であって、
前記通路形成体には所定位置（第１案内通路６３１の入口部分６３１ａ）に向けて下り傾斜となる転動面（開閉部材６１６の下段部６４２の上面６４２ａ）が形成されており、
前記通路形成体を、前記転動面の傾斜方向（例えば前方）に対して交差する所定方向（例えば右方）に移動可能に保持する保持手段（ハウジング）を備え、
前記通路形成体には、前記転動面における前記所定方向とは反対側の端部から起立する壁部（段差部６４３）が形成されていることを特徴とする遊技機。
【０４４７】
特徴Ｆ１によれば、遊技領域を流下する遊技球は、転動面に到達した後、当該転動面の傾斜に沿って所定位置へ移動する。ここで、転動面に遊技球が位置している状況下にて通路形成体が所定方向に移動すると、当該遊技球は転動面の端部から起立する壁部によって押されることで当該所定方向へ移動する。このようにして遊技球の挙動を変化させることにより、例えば所定位置への移動を妨げることができる。このような構成とすれば、転動面に到達した遊技球の挙動が単調になることを抑制することができ、遊技への注目度の向上に寄与できる。
【０４４８】
特徴Ｆ２．前記転動面にて前記所定方向における先側の端部には当該所定方向への遊技球の移動を妨げる突起（突起６４４）が設けられており、
前記突起は、前記通路形成体の前記所定方向への移動に伴って前記壁部により押された遊技球が前記突起を乗り越えることが可能となるように形成されていることを特徴とする特徴Ｆ１に記載の遊技機。
【０４４９】
特徴Ｆ２に示す突起によれば、転動面に到達した遊技球が到達前の勢いによって所定方向へ移動して転動面から離脱すること抑制し、特徴Ｆ１に示した遊技球の特殊な挙動が発生する機会を好適に確保できる。所定方向への通路形成体の移動に伴って転動面上に位置する遊技球が押された場合には、当該遊技球が突起を乗り越えることとなる。これにより、通路形成体の移動に伴う上記特殊な挙動が妨げられることを抑制できる。
【０４５０】
特徴Ｆ３．前記通路形成体が前記所定方向への移動前の位置に待機している状態にて、前記突起の上方に位置し、当該突起との隙間が前記遊技球の直径寸法よりも小さくなるように形成され、当該隙間を通じた前記所定方向への遊技球の移動を規制する規制部（突起６１３Ｂ）を備え、
前記通路形成体が前記所定方向へ移動して前記突起と前記規制部との隙間が前記直径寸法よりも大きくなることにより、前記規制が解除されるように構成されていることを特徴とする特徴Ｆ２に記載の遊技機。
【０４５１】
特徴Ｆ３によれば、壁部によって押された場合の所定方向への遊技球の動きを許容しつつ、通路形成体が所定方向へ移動する前に遊技球が自力で所定方向へ移動して転動面から離脱することを好適に回避できる。
【０４５２】
特徴Ｆ４．前記通路形成体の高さ位置は、前記所定方向へ移動することにより、当該移動の前と比べて低くなるように構成されていることを特徴とする特徴Ｆ１乃至特徴Ｆ３のいずれか１つに記載の遊技機。
【０４５３】
転動面上に遊技球が載っている状況下にて通路形成体が移動すると、遊技球と転動面との間に生じる摩擦によって遊技球の所定方向への移動が促される可能性がある。このような動きが顕著となれば、壁部によって遊技球を押して当該遊技球を加速させることが困難になると懸念される。これは、遊技球の所定方向への移動を確実性を高める上で好ましくない。この点、本特徴に示す構成によれば、通路形成体を所定方向に移動させる場合に下側への移動成分を含ませることができ、上述した懸念を好適に払拭できる。
【０４５４】
特徴Ｆ５．前記通路形成体の下方には、前記転動面が形成されている部分の下側への変形を阻止する阻止部が設けられていることを特徴とする特徴Ｆ１乃至特徴Ｆ４のいずれか１つに記載の遊技機。
【０４５５】
特徴Ｆ１等に示した構成においては、転動面に歪み等の変形が生じることで転動面上での遊技球の挙動が設計上の想定から外れやすくなる。この点、本特徴に示すように、転動面の下側への変形を阻止する構成とすることにより、そのようは不都合の発生を好適に抑制できる。
【０４５６】
特徴Ｆ６．前記通路形成体は、所定の入球口（流入口３１１）を開閉する開閉手段として機能しており、前記所定の入球口に入球した遊技球を前記転動面にて受ける構成となっており、
前記所定方向へ前記通路形成体が移動することにより、前記所定の入球口への入球が当該通路形成体によって規制された状態となることを特徴とする特徴Ｆ１乃至特徴Ｆ５のいずれか１つに記載の遊技機。
【０４５７】
特徴Ｆ６によれば、所定の入球口が開放された状態では、当該所定の入球口に入球した遊技球は転動面を経由して所定位置へ移動する。ここで、通路形成体が閉位置へ向けて移動することにより、所定の入球口への入球が規制されるとともに、転動面上に位置する遊技球が所定位置とは異なる位置へと移動することとなる。このような構成とすれば、遊技への注目度の向上効果を一層好適に発揮させることができる。
【０４５８】
特徴Ｆ７．前記所定の入球口は、遊技領域に形成された所定の流路（球通路６０８）の途中位置に設けられており、
前記所定方向は、前記所定の流路における遊技球の流下方向と同じ方向となるように規定されていることを特徴とする特徴Ｆ６に記載の遊技機。
【０４５９】
特徴Ｆ７によれば、所定の入球口に入球した遊技球が壁部に衝突する機会を少なくすることができる。これにより、壁部に変形等の不都合が生じることを抑制し、壁部によって遊技球を押した際の遊技球の挙動のばらつきを好適に抑制できる。
【０４６０】
特徴Ｆ８．前記壁部の起立量は、遊技球の半径寸法よりも大きいことを特徴とする特徴Ｆ１乃至特徴Ｆ７のいずれか１つに記載の遊技機。
【０４６１】
本特徴に示す構成によれば、壁部によって押された遊技球の転動面からの浮き上がりを抑制できる。
【０４６２】
特徴Ｆ９．前記通路形成体は、前記壁部と前記転動面とのなす角が直角となるように構成されていることを特徴とする特徴Ｆ１乃至特徴Ｆ８のいずれか１つに記載の遊技機。
【０４６３】
本特徴に示す構成によれば、壁部によって押された遊技球の転動面からの浮き上がりを抑制できる。
【０４６４】
特徴Ｆ１０．遊技領域（遊技領域ＰＥ）が形成された遊技盤（遊技盤ユニット８０）を備え、前記遊技領域を流下する遊技球が通過する通路を形成する通路形成体（開閉体６１６）が設けられている遊技機であって、
前記通路形成体には遊技球が転動する転動面（下段部６４２の上面６４２ａ）が形成されており、
前記通路形成体を、前記転動面に位置する遊技球を第１所定位置（第１案内通路６３１の入口部分６３１ａ）へ移動させる第１状態（開状態）と、当該第１状態とは異なる第２状態（閉状態）とに切り替える切替手段（主制御装置１６２にて開閉制御を実行する機能）を備え、
前記通路形成体は、当該通路形成体が前記第１状態から前記第２状態に切り替わる場合に前記転動面に位置している遊技球を、当該第２状態への切り替わりに伴って第２所定位置（第２案内通路６３２の入口部分６３２ａ）へ移動させる手段（段差部６４３）を有していることを特徴とする遊技機。
【０４６５】
特徴Ｆ１０によれば、通路形成体が第１状態となっている場合には、遊技領域を流下する遊技球は、転動面に到達した後、当該転動面を経由して第１所定位置へ移動する。ここで、転動面に遊技球が位置している状況下にて通路形成体が第１状態から第２状態に切り替わると、転動面に位置する遊技球は当該第２状態への切り替えに伴って第２所定位置へ移動する。このような構成とすれば、転動面に到達した遊技球の挙動が単調になることを抑制することができ、遊技への注目度の向上に寄与できる。
【０４６６】
なお、特徴Ｆ１〜特徴Ｆ９に示した各技術的思想を特徴Ｆ１０に適用してもよい。
【０４６７】
また、特徴Ａ群〜特徴Ｅ群に示した各技術的思想を特徴Ｆ１〜特徴Ｆ１０に適用してもよい。
【０４６８】
上述した各特徴に示す技術的思想のいずれか１つを他の特徴に適用してもよいし、複数の特徴に示した技術的思想を組み合わせて他の特徴に適用してもよい。また、各特徴に示す構成の一部を抽出して他の特徴に適用することも可能である。
【０４６９】
以下に、以上の各特徴を適用し得る遊技機の基本構成を示す。
【０４７０】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘等）とを備え、それら各遊技部品のうち所定の通過部（一般入賞口８１等）を遊技球が通過した場合に遊技者に特典を付与する遊技機。
【０４７１】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０４７２】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０４７３】
１０…遊技機としてのパチンコ機、８０…遊技盤ユニット、８０ａ…遊技盤、８４，８５…作動入球部、１６２…主制御装置、３００…可変入賞ユニット、３０１…ハウジング、３０２…案内通路、３０８…球通路、３１０…上面部、３１１…流入口、３１５…開閉装置、３１６…開閉体、３１７…駆動部、３２１…本体部、３２３…溝部、３２４…第１開放部、３３１…第１案内通路、３３２…第２案内通路、ＣＬ１…回動中心軸線、ＰＥ…遊技領域。
【図１】
2020192035.tif 000003
【図２】
2020192035.tif 000004
【図３】
2020192035.tif 000005
【図４】
2020192035.tif 000006
【図５】
2020192035.tif 000007
【図６】
2020192035.tif 000008
【図７】
2020192035.tif 000009
【図８】
2020192035.tif 000010
【図９】
2020192035.tif 000011
【図１０】
2020192035.tif 000012
【図１１】
2020192035.tif 000013
【図１２】
2020192035.tif 000014
【図１３】
2020192035.tif 000015
【図１４】
2020192035.tif 000016
【図１５】
2020192035.tif 000017
【図１６】
2020192035.tif 000018
【図１７】
2020192035.tif 000019
【図１８】
2020192035.tif 000020
【図１９】
2020192035.tif 000021
【図２０】
2020192035.tif 000022
【図２１】
2020192035.tif 000023
【図２２】
2020192035.tif 000024
【図２３】
2020192035.tif 000025
【図２４】
2020192035.tif 000026
【図２５】
2020192035.tif 000027
【図２６】
2020192035.tif 000028
【図２７】
2020192035.tif 000029
【図２８】
2020192035.tif 000030
【図２９】
2020192035.tif 000031
【図３０】
2020192035.tif 000032
【図３１】
2020192035.tif 000033
【図３２】
2020192035.tif 000034
【図３３】
2020192035.tif 000035
【図３４】
2020192035.tif 000036
【図３５】
2020192035.tif 000037
【図３６】
2020192035.tif 000038
【図３７】
2020192035.tif 000039
【図３８】
2020192035.tif 000040
【図３９】
2020192035.tif 000041
【図４０】
2020192035.tif 000042